(57)【要約】  本願の実施形態は、伝送方法、および、伝送方法を適用するネットワークデバイスを提供する。伝送方法は、制御プレーンノードが第１のメッセージを受信する段階と、制御プレーンノードが第２のメッセージを送信する段階と、制御プレーンノードが第３のメッセージを送信する段階とを備え、第１のメッセージは、第１のインタフェースのアップリンクトンネルエンドポイントと、第２のインタフェースのアップリンクトンネルエンドポイントと、第３のインタフェースのダウンリンクトンネルエンドポイントとを含み、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースであり、第２のメッセージは、第１のインタフェースのアップリンクトンネルエンドポイントを含み、第３のメッセージは、第２のインタフェースのアップリンクトンネルエンドポイントと第３のインタフェースのダウンリンクトンネルエンドポイントとを含む。本願の実施形態における通信方法は、複数のインタフェースの複数のネットワークセグメントに一貫性がない場合に、ユーザプレーンに対するアップリンクトンネルアドレスおよびダウンリンクトンネルアドレスの割り当ておよび表示を判断することを助け、これにより、完全なデータ伝送を助けることができる。
2021513810.tif 000002
【特許請求の範囲】
【請求項１】
伝送方法であって、
制御プレーンノードが、ユーザプレーンノードから第１のメッセージを受信する段階と、
前記制御プレーンノードが、第２のメッセージを第２のネットワークノードに送信する段階と、
前記制御プレーンノードが、第３のメッセージを第３のネットワークノードに送信する段階と
を備え、
前記第１のメッセージは、第１のインタフェースのアップリンクトンネルエンドポイント、第２のインタフェースのアップリンクトンネルエンドポイント、および、第３のインタフェースのダウンリンクトンネルエンドポイントを含み、前記第１のインタフェースは、前記ユーザプレーンノードと前記第２のネットワークノードとの間のインタフェースであり、前記第２のインタフェースは、前記ユーザプレーンノードと前記第３のネットワークノードとの間のインタフェースであり、前記第３のインタフェースは、前記ユーザプレーンノードとコアネットワークノードとの間のインタフェースであり、
前記第２のメッセージは、前記第１のインタフェースの前記アップリンクトンネルエンドポイントを含み、
前記第３のメッセージは、前記第２のインタフェースの前記アップリンクトンネルエンドポイントおよび前記第３のインタフェースの前記ダウンリンクトンネルエンドポイントを含む、
伝送方法。
【請求項２】
前記制御プレーンノードが第１の表示情報を前記ユーザプレーンノードに送信する段階を更に備え、
前記第１の表示情報は、前記制御プレーンノードによって要求されたベアラタイプがセカンダリセル分割ベアラであることを示すのに用いられ、若しくは、
前記第１の表示情報は、前記ユーザプレーンノードが、前記第１のインタフェースの前記アップリンクトンネルエンドポイント、前記第２のインタフェースの前記アップリンクトンネルエンドポイント、および、前記第３のインタフェースの前記ダウンリンクトンネルエンドポイントを割り当てることをトリガするのに用いられ、若しくは、
前記第１の表示情報は、前記第１のインタフェースのダウンリンクトンネルエンドポイント、前記第２のインタフェースのダウンリンクトンネルエンドポイント、または、前記第３のインタフェースのアップリンクトンネルエンドポイントのうちの少なくとも１つを含み、若しくは、
前記第１の表示情報は、前記ユーザプレーンノードがパケットデータ収束プロトコル層の機能を有することを必要とされること、前記ユーザプレーンノードがマスタセルリソース構成を有することを必要とされること、または、前記ユーザプレーンノードがセカンダリセルリソース構成を有することを必要とされること、のうちの少なくとも１つを示すのに用いられる、
請求項１に記載の方法。
【請求項３】
前記制御プレーンノードが、前記第２のネットワークノードから第４のメッセージを受信する段階と、
前記制御プレーンノードが、第５のメッセージを前記ユーザプレーンノードに送信する段階と
を更に備え、
前記第４のメッセージは、前記第１のインタフェースの前記ダウンリンクトンネルエンドポイントを含み、
前記第５のメッセージは、前記第１のインタフェースの前記ダウンリンクトンネルエンドポイント、前記第２のインタフェースの前記ダウンリンクトンネルエンドポイント、または、前記第３のインタフェースの前記アップリンクトンネルエンドポイントのうちの少なくとも１つを含む、
請求項１または２に記載の方法。
【請求項４】
前記制御プレーンノードが、データ転送命令を前記ユーザプレーンノードに送信する段階を更に備え、
前記データ転送命令は、前記ユーザプレーンノードに対して、データ転送のためにアップリンクデータ転送アドレスおよびダウンリンクデータ転送アドレスを割り当てるよう命令するのに用いられる、
請求項１から３の何れか一項に記載の方法。
【請求項５】
前記制御プレーンノードが、前記ユーザプレーンノードから前記アップリンクデータ転送アドレスおよび前記ダウンリンクデータ転送アドレスを受信する段階を更に備える、請求項４に記載の方法。
【請求項６】
前記制御プレーンノードが、データ転送のためにアップリンクデータ転送アドレスおよびダウンリンクデータ転送アドレスを割り当て、且つ、前記アップリンクデータ転送アドレスおよび前記ダウンリンクデータ転送アドレスを前記ユーザプレーンノードに送信する段階を更に備える、請求項１から３の何れか一項に記載の方法。
【請求項７】
前記アップリンクデータ転送アドレスおよび前記ダウンリンクデータ転送アドレスは特定のベアラのためであり、または、前記アップリンクデータ転送アドレスおよび前記ダウンリンクデータ転送アドレスは特定のＱｏＳフローのためである、請求項４から６の何れか一項に記載の方法。
【請求項８】
前記制御プレーンノードは、無線リソース制御プロトコル層の機能、サービスデータアダプテーションプロトコル層の機能、または、パケットデータ収束プロトコル層の機能のうちの少なくとも１つを含み、及び／又は、
前記第２のネットワークノードは、無線リンク制御プロトコル層の機能、媒体アクセス制御層の機能、または、物理層の機能のうちの少なくとも１つを含む、
請求項１から７の何れか一項に記載の方法。
【請求項９】
伝送方法であって、
ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを判断する段階と、
前記ユーザプレーンノードが、第１のメッセージを制御プレーンノードに送信する段階と
を備え、
前記第１のインタフェースは、前記ユーザプレーンノードと第２のネットワークノードとの間のインタフェースであり、前記第２のインタフェースは、前記ユーザプレーンノードと第３のネットワークノードとの間のインタフェースであり、前記第３のインタフェースは、前記ユーザプレーンノードとコアネットワークノードとの間のインタフェースであり、
前記第１のメッセージは、前記第１のインタフェースの前記アップリンクトンネルエンドポイント、前記第２のインタフェースの前記アップリンクトンネルエンドポイント、および、前記第３のインタフェースの前記ダウンリンクトンネルエンドポイントを含む、
伝送方法。
【請求項１０】
前記ユーザプレーンノードが前記制御プレーンノードから第１の表示情報を受信する段階を更に備え、
前記第１の表示情報は、前記制御プレーンノードによって要求されたベアラタイプがセカンダリセル分割ベアラであることを示すのに用いられ、若しくは、
前記第１の表示情報は、前記ユーザプレーンノードが、前記第１のインタフェースの前記アップリンクトンネルエンドポイント、前記第２のインタフェースの前記アップリンクトンネルエンドポイント、および、前記第３のインタフェースの前記ダウンリンクトンネルエンドポイントを割り当てることをトリガするのに用いられ、若しくは、
前記第１の表示情報は、前記第１のインタフェースのダウンリンクトンネルエンドポイント、前記第２のインタフェースのダウンリンクトンネルエンドポイント、または、前記第３のインタフェースのアップリンクトンネルエンドポイントのうちの少なくとも１つを含み、若しくは、
前記第１の表示情報は、前記ユーザプレーンノードがパケットデータ収束プロトコル層の機能を有することを必要とされること、前記ユーザプレーンノードがマスタセルリソース構成を有することを必要とされること、または、前記ユーザプレーンノードがセカンダリセルリソース構成を有することを必要とされること、のうちの少なくとも１つを示すのに用いられる、
請求項９に記載の方法。
【請求項１１】
前記ユーザプレーンノードが、前記制御プレーンノードから第５のメッセージを受信する段階を更に備え、
前記第５のメッセージは、前記第１のインタフェースの前記ダウンリンクトンネルエンドポイント、前記第２のインタフェースの前記ダウンリンクトンネルエンドポイント、または、前記第３のインタフェースの前記アップリンクトンネルエンドポイントのうちの少なくとも１つを含む、
請求項９または１０に記載の方法。
【請求項１２】
前記ユーザプレーンノードが、前記制御プレーンノードからデータ転送命令を受信する段階を更に備え、
前記データ転送命令は、前記ユーザプレーンノードに対して、データ転送のために、アップリンクデータ転送アドレスおよびダウンリンクデータ転送アドレスを割り当てるよう命令するのに用いられる、
請求項９から１１の何れか一項に記載の方法。
【請求項１３】
前記ユーザプレーンノードが、前記アップリンクデータ転送アドレスおよび前記ダウンリンクデータ転送アドレスを前記制御プレーンノードに送信する段階を更に備える、請求項１２に記載の方法。
【請求項１４】
ユーザプレーンノードが、制御プレーンノードからアップリンクデータ転送アドレスおよびダウンリンクデータ転送アドレスを受信する段階を更に備える、請求項９から１１の何れか一項に記載の方法。
【請求項１５】
前記アップリンクデータ転送アドレスおよび前記ダウンリンクデータ転送アドレスは特定のベアラのためであり、または、前記アップリンクデータ転送アドレスおよび前記ダウンリンクデータ転送アドレスは特定のＱｏＳフローのためである、請求項１２から１４の何れか一項に記載の方法。
【請求項１６】
前記ユーザプレーンノードは、無線リソース制御プロトコル層の機能、サービスデータアダプテーションプロトコル層の機能、または、パケットデータ収束プロトコル層の機能のうちの少なくとも１つを含み、及び／又は、
前記第２のネットワークノードは、無線リンク制御プロトコル層の機能、媒体アクセス制御層の機能、または、物理層の機能のうちの少なくとも１つを含む、
請求項９から１５の何れか一項に記載の方法。
【請求項１７】
伝送方法であって、
第３のネットワークノードが、制御プレーンノードから第３のメッセージを受信する段階を備え、
前記第３のメッセージは、第２のインタフェースのアップリンクトンネルエンドポイントおよび第３のインタフェースのダウンリンクトンネルエンドポイントを含み、前記第２のインタフェースは、ユーザプレーンノードと前記第３のネットワークノードとの間のインタフェースであり、前記第３のインタフェースは、前記ユーザプレーンノードとコアネットワークノードとの間のインタフェースであり、
前記制御プレーンノードは、無線リソース制御プロトコル層の機能、サービスデータアダプテーションプロトコル層の機能、または、パケットデータ収束プロトコル層の機能のうちの少なくとも１つを有する、
伝送方法。
【請求項１８】
前記第３のネットワークノードが、第６のメッセージを前記制御プレーンノードに送信する段階を更に備え、
前記第６のメッセージは、前記第２のインタフェースのダウンリンクトンネルエンドポイントおよび前記第３のインタフェースのアップリンクトンネルエンドポイントを含む、
請求項１７に記載の方法。
【請求項１９】
伝送方法であって、
第１のネットワークノードが、第２のネットワークノードから第７のメッセージを受信する段階と、
前記第１のネットワークノードが、第８のメッセージを第３のネットワークノードに送信する段階と
を備え、
前記第７のメッセージは、前記第２のネットワークノードによって伝送されるデータトラフィック情報を有し、
前記第８のメッセージは前記データトラフィック情報を有し、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２０】
前記第１のネットワークノードが、第２の表示情報を前記第２のネットワークノードに送信する段階を更に備え、
前記第２の表示情報は、前記第２のネットワークノードが、前記第２のネットワークノードによって伝送されるデータトラフィック情報を報告することをトリガするのに用いられる、
請求項１９に記載の方法。
【請求項２１】
前記第２のネットワークノードによって伝送される前記データトラフィック情報は、前記第２のネットワークノードによって伝送されるアップリンクデータトラフィック、前記第２のネットワークノードによって伝送されるダウンリンクデータトラフィック、並びに、前記第２のネットワークノードによって伝送されるデータトラフィックについての統計を収集する統計収集の開始時間および終了時間のうちの少なくとも１つを含む、
請求項１９または２０に記載の方法。
【請求項２２】
第２のネットワークノードが、第７のメッセージを第１のネットワークノードに送信する段階を備え、
前記第７のメッセージは、前記第２のネットワークノードによって伝送されるデータトラフィック情報を有し、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２３】
前記第２のネットワークノードが、前記第１のネットワークノードによって送信される第２の表示情報を受信する段階を更に備え、
前記第２の表示情報は、前記第２のネットワークノードが、前記第２のネットワークノードによって伝送される前記データトラフィック情報を報告することをトリガするのに用いられ、
前記第１のネットワークノードのプロトコル層の機能は、無線リソース制御プロトコル層、サービスデータアダプテーションプロトコル層、または、パケットデータ収束プロトコル層のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
請求項２２に記載の方法。
【請求項２４】
前記第２のネットワークノードによって伝送される前記データトラフィック情報は、前記第２のネットワークノードによって伝送されるアップリンクデータトラフィック、前記第２のネットワークノードによって伝送されるダウンリンクデータトラフィック、または、前記第２のネットワークノードによって伝送されるデータトラフィックについての統計を収集する統計収集の開始時間および終了時間のうちの少なくとも１つを含む、
請求項２２または２３に記載の方法。
【請求項２５】
伝送方法であって、
第１のネットワークノードが、第９のメッセージを第２のネットワークノードに送信する段階を備え、
前記第９のメッセージは、第１の電力構成パラメータを有し、前記第１の電力構成パラメータは、マスタセルグループで端末デバイスが用いることができる最大伝送電力であり、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２６】
第１のネットワークノードが、第１０のメッセージを受信する段階を更に備え、
前記第１０のメッセージは、第２の電力構成パラメータを有し、前記第２の電力構成パラメータは、前記マスタセルグループで前記端末デバイスが用いることができる前記最大伝送電力である、または、前記第２の電力構成パラメータは、セカンダリセルグループで前記端末デバイスが用いることができる最大伝送電力である、
請求項２５に記載の方法。
【請求項２７】
伝送方法であって、
第１のネットワークノードが、電力更新情報を第２のネットワークノードに送信する段階を備え、
前記電力更新情報は、前記第１のネットワークノードによって更新される第３の電力構成パラメータを有し、前記第３の電力構成パラメータは、セカンダリセルグループで端末デバイスが用いることができる最大伝送電力であり、
前記第１のネットワークノードのプロトコル層の機能は、無線リンク制御プロトコル層の機能、媒体アクセス制御層の機能、または、物理層の機能のうちの少なくとも１つであり、及び／又は、
前記第２のネットワークノードのプロトコル層の機能は、無線リソース制御プロトコル層の機能、サービスデータアダプテーションプロトコル層の機能、または、パケットデータ収束プロトコル層の機能のうちの少なくとも１つである、
伝送方法。
【請求項２８】
伝送方法であって、
第１のネットワークノードが、第２のネットワークノードのセルグループ識別子を前記第２のネットワークノードに割り当てる段階と、
前記第１のネットワークノードが、第１１のメッセージを前記第２のネットワークノードに送信する段階と
を備え、
前記第１１のメッセージは、前記第２のネットワークノードの前記セルグループ識別子を有し、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２９】
通信デバイスであって、
少なくとも１つのプロセッサと、メモリとを備え、
前記メモリは、プログラム命令を有し、
前記プロセッサは、前記プログラム命令を実行し、これにより、前記通信デバイスは、請求項１から２８の何れか一項に記載の方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能を実装する、
通信デバイス。
【請求項３０】
通信デバイスであって、
請求項１から２８の何れか一項に記載の方法における任意の操作を実行するモジュールを備え、
前記第１のネットワークノード、前記第２のネットワークノード、前記第３のネットワークノード、前記ユーザプレーンノード、および、前記制御プレーンノードのうちのいずれか１つである、
通信デバイス。
【請求項３１】
通信デバイスであって、
請求項１から２８の何れか一項に記載の方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能を実行するように構成される、
通信デバイス。
【請求項３２】
コンピュータプログラム記憶媒体であって、
プログラム命令を備え、
前記プログラム命令が直接的に又は間接的に実行された場合に、請求項１から２８の何れか一項に記載の方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能が実装される、
コンピュータプログラム記憶媒体。
【請求項３３】
チップシステムであって、
少なくとも１つのプロセッサを備え、
前記少なくとも１つのプロセッサでプログラム命令が実行された場合に、請求項１から２８の何れか一項に記載の方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能が実装される、
チップシステム。
【請求項３４】
通信システムであって、
請求項２９から３１の何れか一項に記載の通信デバイス、
請求項３２に記載のコンピュータプログラム記憶媒体、および、
請求項３３に記載のチップシステム、
のうちの１つ又は複数を備える、通信システム。
【発明の詳細な説明】
【技術分野】
【０００１】
本願は、２０１８年２月１４日に中国特許庁に出願した「伝送方法およびネットワークデバイス」と題する中国特許出願第２０１８１０１５２１８３．７号に基づく優先権を主張し、当該中国特許出願は参照によりその全体が本明細書に組み込まれる。
【０００２】
本願は、通信分野に関し、より具体的には、伝送方法およびネットワークデバイスに関する。
【背景技術】
【０００３】
５Ｇ（Ｎｅｗ  Ｒａｄｉｏ、ＮＲ）技術のような新しいアクセス技術において、基地局は、集中型ユニット（Ｃｅｎｔｒａｌｉｚｅｄ  Ｕｎｉｔ、ＣＵ）および分散型ユニット（Ｄｉｓｔｒｉｂｕｔｅｄ  Ｕｎｉｔ、ＤＵ）を有するかもしれない。より具体的には、元のアクセスネットワークにおける基地局の複数の機能は分割され、基地局のいくつかの機能は１つのＣＵ内に展開され、残りの機能は複数のＤＵ内に展開される。複数のＤＵは、１つのＣＵを共有し、これにより、コストを削減することができ、ネットワーク拡張を容易に実行することができる。
【０００４】
いくつかのベアラのデータについて、マスタ基地局のユーザプレーンからオフロードされるデータは、セカンダリ基地局のＤＵに直接送信され、ダウンリンクデータ伝送の宛先アドレスは、セカンダリ基地局のＤＵによって割り当てられる。現在、複数のインタフェースは、セカンダリ基地局のＤＵによって割り当てられる複数のダウンリンクアドレスに対して区別されていない。マスタ基地局と、セカンダリ基地局のＤＵとの間のＸ２インタフェース（又はＸｎインタフェース）のネットワークセグメントが、セカンダリ基地局のＣＵとセカンダリ基地局のＤＵとの間のＦ１インタフェースのネットワークセグメントと異なり、且つ、セカンダリ基地局のＤＵによって割り当てられるアドレスがＦ１ネットワークセグメントに属するならば、マスタ基地局は、アドレスを用いることによって、セカンダリ基地局のＤＵにいくつかのベアラのダウンリンクデータを伝送することができない。
【発明の概要】
【０００５】
本願は、伝送方法およびネットワークデバイスを提供する。第２のネットワークノードはダウンリンクアドレスを割り当て、これにより、第３のネットワークノードまたはコアネットワークノードは、第２のネットワークノードにデータを直接伝送することができる。
【０００６】
第１の態様によると、伝送方法が提供される。伝送方法は、第１のネットワークノードが、第４のインタフェースによって第３の表示情報を送信する段階と、第１のネットワークノードが、第２のネットワークノードから第１１のメッセージを受信する段階とを備え、第３の表示情報は、第２のネットワークノードが第５のインタフェースのダウンリンクトンネルエンドポイント及び／又は第６のインタフェースのダウンリンクトンネルエンドポイントを割り当てることをトリガするのに用いられ、第５のインタフェースは、第２のネットワークノードと第３のネットワークノードとの間のインタフェースであり、第６のインタフェースは、第２のネットワークノードとコアネットワークノードとの間のインタフェースであり、第４のインタフェース、第５のインタフェースおよび第６のインタフェースは異なるインタフェースであり、第１１のメッセージは、第５のインタフェースのダウンリンクトンネルエンドポイント及び／又は第６のインタフェースのダウンリンクトンネルエンドポイントを含む。
【０００７】
いくつかの実現可能な実装例において、第１のネットワークノードは、第４のインタフェースによって第３の表示情報を第２のネットワークノードに送信し、第３の表示情報は、第２のネットワークノードが、第１のベアラのダウンリンクトンネルエンドポイントを第５のインタフェースに対して割り当てること、及び／又は、第２のベアラのダウンリンクトンネルエンドポイントを第６のインタフェースに対して割り当てることをトリガするのに用いられる。
【０００８】
いくつかの実現可能な実装例において、第１のベアラは、マスタセルグループ分割ベアラ（ＭＣＧ分割ベアラ）である。
【０００９】
いくつかの実現可能な実装例において、第２のベアラは、セカンダリセルグループベアラ（ＳＣＧベアラ）である。
【００１０】
本願の本実施形態における伝送方法によれば、第２のネットワークノードは、ダウンリンクアドレスを割り当て、これにより、第３のネットワークノードまたはコアネットワークノードは、第２のネットワークノードにデータを直接伝送することができる。
【００１１】
いくつかの実現可能な実装例において、第３の表示情報は、第５のインタフェースのアップリンクトンネルエンドポイント及び／又は第６のインタフェースのアップリンクトンネルエンドポイントを含み、または、第３の表示情報は、第１のベアラと第５のインタフェースとの間のマッピング関係、及び／又は、第２のベアラと第６のインタフェースとの間のマッピング関係を示すのに用いられる。
【００１２】
本願の本実施形態における伝送方法によれば、第１のネットワークノードは、明示的に又は暗示的に、第２のネットワークノードに対して、ダウンリンクトンネルエンドポイントを割り当てるよう命令し、これにより、第３のネットワークノードまたはコアネットワークノードは、第２のネットワークノードにデータを直接伝送することができる。
【００１３】
第１の態様を参照すると、第１の態様のいくつかの実現可能な実装例において、第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含む。
【００１４】
いくつかの実現可能な実装例において、第１のネットワークノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【００１５】
第２の態様によると、伝送方法が提供される。伝送方法は、第２のネットワークノードが、第４のインタフェースによって第１のネットワークノードから第３の表示情報を受信する段階と、第２のネットワークノードが、第１１のメッセージを送信する段階とを備え、第３の表示情報は、第２のネットワークノードが、第５のインタフェースのダウンリンクトンネルエンドポイント及び／又は第６のインタフェースのダウンリンクトンネルエンドポイントを割り当てることをトリガするのに用いられ、第５のインタフェースは、第２のネットワークノードと第３のネットワークノードとの間のインタフェースであり、第６のインタフェースは、第２のネットワークノードとコアネットワークノードとの間のインタフェースであり、第４のインタフェース、第５のインタフェースおよび第６のインタフェースは異なるインタフェースであり、第１１のメッセージは、第５のインタフェースのダウンリンクトンネルエンドポイント及び／又は第６のインタフェースのダウンリンクトンネルエンドポイントを含む。
【００１６】
いくつかの実現可能な実装例において、第２のネットワークノードは、第１１のメッセージを第１のネットワークノードに送信する。
【００１７】
いくつかの実現可能な実装例において、第１のネットワークノードは、第４のインタフェースによって第３の表示情報を送信し、第３の表示情報は、第２のネットワークノードが、第１のベアラのダウンリンクトンネルエンドポイントを第５のインタフェースに対して割り当てること、及び／又は、第２のベアラのダウンリンクトンネルエンドポイントを第６のインタフェースに対して割り当てることをトリガするのに用いられる。
【００１８】
いくつかの実現可能な実装例において、第１のベアラはマスタセル分割ベアラ（ＭＣＧ分割ベアラ）である。
【００１９】
いくつかの実現可能な実装例において、第２のベアラは、セカンダリセルベアラ（ＳＣＧベアラ）である。
【００２０】
本願の本実施形態における伝送方法によれば、第２のネットワークノードは、ダウンリンクアドレスを割り当て、これにより、第３のネットワークノードまたはコアネットワークノードは、第２のネットワークノードにデータを直接伝送することができる。
【００２１】
いくつかの実現可能な実装例において、第３の表示情報は、第５のインタフェースのアップリンクトンネルエンドポイント及び／又は第６のインタフェースのアップリンクトンネルエンドポイントを含み、または、第３の表示情報は、第１のベアラと第５のインタフェースとの間のマッピング関係、及び／又は、第２のベアラと第６のインタフェースとの間のマッピング関係を示すのに用いられる。
【００２２】
本願の本実施形態における伝送方法によれば、第１のネットワークノードは、明示的に又は暗示的に、第２のネットワークノードに対して、ダウンリンクトンネルエンドポイントを割り当てるよう命令し、これにより、第３のネットワークノードまたはコアネットワークノードは、第２のネットワークノードにデータを直接伝送することができる。
【００２３】
第２の態様を参照すると、第２の態様のいくつかの実現可能な実装例において、第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含む。
【００２４】
いくつかの実現可能な実装例において、第１のネットワークノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【００２５】
第３の態様によると、伝送方法が提供される。伝送方法は、第３のネットワークノードが、第１のネットワークノードから第１の要求確認メッセージを受信する段階を備え、第１の要求確認メッセージは、第５のインタフェースのダウンリンクトンネルエンドポイント及び／又は第６のインタフェースのダウンリンクトンネルエンドポイントを含み、第５のインタフェースは、第２のネットワークノードと第３のネットワークノードとの間のインタフェースであり、第６のインタフェースは、第２のネットワークノードとコアネットワークノードとの間のインタフェースであり、第５のインタフェースおよび第６のインタフェースは異なるインタフェースである。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含む。
【００２６】
第３の態様を参照すると、第３の態様のいくつかの実現可能な実装例において、方法は更に、第３のネットワークノードが、要求メッセージを第１のネットワークノードに送信する段階を備え、要求メッセージは、第５のインタフェースのダウンリンクトンネルエンドポイント及び／又は第６のインタフェースのダウンリンクトンネルエンドポイントを含み、要求メッセージは、第１のネットワークノードに対して、無線リソースを第１のベアラ及び／又は第２のベアラに割り当てることを要求するのに用いられる。
【００２７】
いくつかの実現可能な実装例において、第１のベアラはＭＣＧ分割ベアラである。
【００２８】
いくつかの実現可能な実装例において、第２のベアラはＳＣＧベアラである。
【００２９】
第３の態様を参照すると、第３の態様のいくつかの実現可能な実装例において、方法は更に、第３のネットワークノードが、第２の要求確認メッセージをコアネットワークノードに送信する段階を備え、第２の要求確認メッセージは、第６のインタフェースのダウンリンクトンネルエンドポイントを含む。
【００３０】
いくつかの実現可能な実装例において、第３のネットワークノードは、無線リソース制御プロトコル層、サービスデータアダプテーションプロトコル層の機能、パケットデータ収束プロトコル層の機能、無線リンク制御プロトコル層の機能、媒体アクセス制御層の機能、および、物理層の機能のうちの少なくとも１つを含む。
【００３１】
第４の態様によると、伝送方法が提供される。伝送方法は、制御プレーンノードが、ユーザプレーンノードから第１のメッセージを受信する段階と、制御プレーンノードが、第２のメッセージを送信する段階と、制御プレーンノードが、第３のメッセージを送信する段階とを備え、第１のメッセージは、第１のインタフェースのアップリンクトンネルエンドポイント、第２のインタフェースのアップリンクトンネルエンドポイント、および、第３のインタフェースのダウンリンクトンネルエンドポイントを含み、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースであり、第１のインタフェース、第２のインタフェースおよび第３のインタフェースは異なるインタフェースであり、第２のメッセージは、第１のインタフェースのアップリンクトンネルエンドポイントを含み、第３のメッセージは、第２のインタフェースのアップリンクトンネルエンドポイントおよび第３のインタフェースのダウンリンクトンネルエンドポイントを含む。
【００３２】
いくつかの実現可能な実装例において、制御プレーンノードは第２のメッセージを第２のネットワークノードに送信し、第３のメッセージを第３のネットワークノードに送信する。
【００３３】
いくつかの実現可能な実装例において、制御プレーンノードおよびユーザプレーンノードは第１のシステムに属し、第１のシステムは、無線リソース制御プロトコル層の機能、サービスデータアダプテーションプロトコル層の機能、および、パケットデータ収束プロトコル層の機能のうちの少なくとも１つを含む。
【００３４】
いくつかの実現可能な実装例において、第１のインタフェースのアップリンクトンネルエンドポイント、第２のインタフェースのアップリンクトンネルエンドポイント、および、第３のインタフェースのダウンリンクトンネルエンドポイントは異なる。
【００３５】
いくつかの実現可能な実装例において、第１のメッセージは表示情報を含み、表示情報は、第１のインタフェースのアップリンクトンネルエンドポイントが第１のインタフェースのために用いられることを示すのに用いられ、及び／又は、制御プレーンノードに対して、第２のインタフェースのアップリンクトンネルエンドポイントが第２のインタフェースのために用いられることを示すのに用いられ、及び／又は、制御プレーンノードに対して、第３のインタフェースのダウンリンクトンネルエンドポイントが第３のインタフェースのために用いられることを示すのに用いられる。
【００３６】
本願の本実施形態における伝送方法によれば、ユーザプレーンノードは、異なるトンネルエンドポイントを判断し、これにより、複数のインタフェースの複数のネットワークセグメントに一貫性がない場合に、ユーザプレーンに対する、アップリンクトンネルおよびダウンリンクトンネルの割り当ておよび表示の課題を解決することを助けることになる。
【００３７】
第４の態様を参照すると、第４の態様のいくつかの実現可能な実装例において、方法は更に、制御プレーンノードが第１の表示情報を送信する段階を備え、第１の表示情報は、制御プレーンノードによって要求されたベアラタイプがセカンダリセル分割ベアラであることを示すのに用いられ、または、第１の表示情報は、ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを割り当てることをトリガするのに用いられ、または、第１の表示情報は、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含み、または、第１の表示情報は、以下の複数のこと、すなわち、ユーザプレーンノードがパケットデータ収束プロトコル層の機能を有することを必要とされること、ユーザプレーンノードがマスタセルリソース構成を有することを必要とされること、または、ユーザプレーンノードがセカンダリセルリソース構成を有することを必要とされること、のうちの少なくとも１つを示すのに用いられる。
【００３８】
第４の態様を参照すると、第４の態様のいくつかの実現可能な実装例において、方法は更に、制御プレーンノードが、第２のネットワークノードから第４のメッセージを受信する段階と、制御プレーンノードが、第５のメッセージを送信する段階とを備え、第４のメッセージは、第１のインタフェースのダウンリンクトンネルエンドポイントを含み、第５のメッセージは、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含む。
【００３９】
いくつかの実現可能な実装例において、方法は更に、制御プレーンノードが、第３のネットワークノードによって送信される第２の要求メッセージを受信する段階を備え、第２の要求メッセージは、制御プレーンノードに対して、無線リソースを第２のベアラに割り当てることを要求するのに用いられる。
【００４０】
いくつかの実現可能な実装例において、第２のベアラのタイプは、セカンダリセル分割ベアラ（ＳＣＧ分割ベアラ）である。
【００４１】
いくつかの実現可能な実装例において、第２の要求メッセージは、第２のインタフェースのダウンリンクトンネルエンドポイント及び／又は第３のインタフェースのアップリンクトンネルエンドポイントを含む。
【００４２】
いくつかの実現可能な実装例において、第２の要求メッセージは、ベアラ及び／又はセッション構成パラメータを含み、例えば、ベアラ識別子（ＥＲＡＢ  ＩＤまたはＤＲＢ  ＩＤ）、ベアラレベルＱｏＳパラメータ、データパケットセッション識別子、ＱｏＳフローインジケータ（ＱｏＳ  ｆｌｏｗ  ｉｎｄｉｃａｔｏｒ、ＱＦＩ）、ベアラとＱＦＩとの間のマッピング関係、および、ＱＦＩレベルＱｏＳパラメータのうちの少なくとも１つを含む。
【００４３】
いくつかの実現可能な実装例において、第２の要求メッセージは、データ転送命令を含み、例えば、特定のベアラのデータ転送命令（例えばＤＬ転送）を含む。
【００４４】
第４の態様を参照すると、第４の態様のいくつかの実現可能な実装例において、方法は更に、制御プレーンノードが、データ転送命令をユーザプレーンノードに送信する段階を備え、データ転送命令は、ユーザプレーンノードに対して、データ転送のためにアップリンクデータ転送アドレスおよびダウンリンクデータ転送アドレスを割り当てるよう命令するのに用いられる。
【００４５】
第４の態様を参照すると、第４の態様のいくつかの実現可能な実装例において、方法は更に、制御プレーンノードが、ユーザプレーンノードによって送信されるアップリンクデータ転送アドレスおよびダウンリンクデータ転送アドレスを受信する段階を備える。
【００４６】
第４の態様を参照すると、第４の態様のいくつかの実現可能な実装例において、方法は更に、制御プレーンノードが、データ転送のためにアップリンクデータ転送アドレスおよびダウンリンクデータ転送アドレスを割り当て、且つ、アップリンクデータ転送アドレスおよびダウンリンクデータ転送アドレスをユーザプレーンノードに送信する段階を備える。
【００４７】
第４の態様を参照すると、第４の態様のいくつかの実現可能な実装例において、アップリンクデータ転送アドレスおよびダウンリンクデータ転送アドレスは特定のベアラのためであり、または、アップリンクデータ転送アドレスおよびダウンリンクデータ転送アドレスは特定のＱｏＳフローのためである。
【００４８】
第４の態様を参照すると、第４の態様のいくつかの実現可能な実装例において、制御プレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【００４９】
いくつかの実現可能な実装例において、制御プレーンノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【００５０】
いくつかの実現可能な実装例において、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能のうちの少なくとも１つを含む。
【００５１】
第５の態様によると、伝送方法が提供される。伝送方法は、ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを判断する段階と、ユーザプレーンノードが、第１のメッセージを送信する段階とを備え、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースであり、第１のインタフェース、第２のインタフェースおよび第３のインタフェースは異なるインタフェースであり、第１のメッセージは、第１のインタフェースのアップリンクトンネルエンドポイント、第２のインタフェースのアップリンクトンネルエンドポイント、および、第３のインタフェースのダウンリンクトンネルエンドポイントを含む。
【００５２】
いくつかの実現可能な実装例において、ユーザプレーンノードは、第１のメッセージを制御プレーンノードに送信する。
【００５３】
いくつかの実現可能な実装例において、制御プレーンノードおよびユーザプレーンノードは、第１のシステムに属し、第１のシステムは、無線リソース制御プロトコル層の機能、サービスデータアダプテーションプロトコル層の機能、および、パケットデータ収束プロトコル層の機能のうちの少なくとも１つを含む。
【００５４】
いくつかの実現可能な実装例において、第１のインタフェースのアップリンクトンネルエンドポイント、第２のインタフェースのアップリンクトンネルエンドポイント、および、第３のインタフェースのダウンリンクトンネルエンドポイントは異なる。
【００５５】
いくつかの実現可能な実装例において、第１のメッセージは表示情報を含み、表示情報は、第１のインタフェースのアップリンクトンネルエンドポイントが第１のインタフェースのために用いられることを示すのに用いられ、及び／又は、制御プレーンノードに対して、第２のインタフェースのアップリンクトンネルエンドポイントが第２のインタフェースのために用いられることを示すのに用いられ、及び／又は、制御プレーンノードに対して、第３のインタフェースのダウンリンクトンネルエンドポイントが第３のインタフェースのために用いられることを示すのに用いられる。
【００５６】
本願の本実施形態における伝送方法によれば、ユーザプレーンノードは、異なるトンネルエンドポイントを判断し、これにより、複数のインタフェースの複数のネットワークセグメントに一貫性がない場合に、ユーザプレーンに対する、アップリンクトンネルおよびダウンリンクトンネルの割り当ておよび表示の課題を解決することを助けることになる。
【００５７】
第５の態様を参照すると、第５の態様のいくつかの実現可能な実装例において、方法は更に、ユーザプレーンノードが制御プレーンノードから第１の表示情報を受信する段階を備え、第１の表示情報は、制御プレーンノードによって要求されたベアラタイプがセカンダリセル分割ベアラであることを示すのに用いられ、または、第１の表示情報は、ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを割り当てることをトリガするのに用いられ、または、第１の表示情報は、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含み、または、第１の表示情報は、以下の複数のこと、すなわち、ユーザプレーンノードがパケットデータ収束プロトコル層の機能を有することを必要とされること、ユーザプレーンノードがマスタセルリソース構成を有することを必要とされること、または、ユーザプレーンノードがセカンダリセルリソース構成を有することを必要とされること、のうちの少なくとも１つを示すのに用いられる。
【００５８】
第５の態様を参照すると、第５の態様のいくつかの実現可能な実装例において、方法は更に、ユーザプレーンノードが、制御プレーンノードから第５のメッセージを受信する段階を備え、第５のメッセージは、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含む。
【００５９】
第５の態様を参照すると、第５の態様のいくつかの実現可能な実装例において、方法は更に、ユーザプレーンノードが、制御プレーンノードによって送信されるデータ転送命令を受信する段階を備え、データ転送命令は、ユーザプレーンノードに対して、データ転送のために、アップリンクデータ転送アドレスおよびダウンリンクデータ転送アドレスを割り当てるよう命令するのに用いられる。
【００６０】
第５の態様を参照すると、第５の態様のいくつかの実現可能な実装例において、方法は更に、ユーザプレーンノードが、アップリンクデータ転送アドレスおよびダウンリンクデータ転送アドレスを制御プレーンノードに送信する段階を備える。
【００６１】
第５の態様を参照すると、第５の態様のいくつかの実現可能な実装例において、方法は更に、ユーザプレーンノードが、制御プレーンノードによって送信されるアップリンクデータ転送アドレスおよびダウンリンクデータ転送アドレスを受信する段階を備える。
【００６２】
第５の態様を参照すると、第５の態様のいくつかの実現可能な実装例において、アップリンクデータ転送アドレスおよびダウンリンクデータ転送アドレスは特定のベアラのためであり、または、アップリンクデータ転送アドレスおよびダウンリンクデータ転送アドレスは特定のＱｏＳフローのためである。
【００６３】
第５の態様を参照すると、第５の態様のいくつかの実現可能な実装例において、ユーザプレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【００６４】
いくつかの実現可能な実装例において、ユーザプレーンノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【００６５】
いくつかの実現可能な実装例において、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能のうちの少なくとも１つを含む。
【００６６】
第６の態様によると、伝送方法が提供される。伝送方法は、第３のネットワークノードが、制御プレーンノードから第３のメッセージを受信する段階を備え、第３のメッセージは、第２のインタフェースのアップリンクトンネルエンドポイントおよび第３のインタフェースのダウンリンクトンネルエンドポイントを含み、第２のインタフェースは、ユーザプレーンノードと第３のネットワークノードとの間のインタフェースであり、第３のインタフェースは、ユーザプレーンノードとコアネットワークノードとの間のインタフェースであり、第２のインタフェースおよび第３のインタフェースは異なるインタフェースである。制御プレーンノードは、無線リソース制御プロトコル層の機能、サービスデータアダプテーションプロトコル層の機能、および、パケットデータ収束プロトコル層の機能のうちの少なくとも１つを含む。
【００６７】
いくつかの実現可能な実装例において、制御プレーンノードのプロトコルスタックアーキテクチャは、無線リソース制御プロトコル層、サービスデータアダプテーションプロトコル層、および、パケットデータ収束プロトコル層の機能のうちの少なくとも１つである。
【００６８】
第６の態様を参照すると、第６の態様のいくつかの実現可能な実装例において、方法は更に、第３のネットワークノードが、第６のメッセージを制御プレーンノードに送信する段階を備え、第６のメッセージは、第２のインタフェースのダウンリンクトンネルエンドポイントおよび第３のインタフェースのアップリンクトンネルエンドポイントを含む。
【００６９】
いくつかの実現可能な実装例において、方法は更に、第３のネットワークノードが、第２の要求メッセージを制御プレーンノードに送信する段階を備え、第２の要求メッセージは、制御プレーンノードに対して、無線リソースを第２のベアラに割り当てることを要求するのに用いられる。
【００７０】
いくつかの実現可能な実装例において、第２のベアラタイプは、セカンダリセル分割ベアラ（ＳＣＧ分割ベアラ）である。
【００７１】
いくつかの実現可能な実装例において、第２の要求メッセージは、第２のインタフェースのダウンリンクトンネルエンドポイント及び／又は第３のインタフェースのアップリンクトンネルエンドポイントを含む。
【００７２】
いくつかの実現可能な実装例において、第２の要求メッセージは、ベアラ及び／又はセッション構成パラメータを含み、例えば、ベアラ識別子（ＥＲＡＢ  ＩＤまたはＤＲＢ  ＩＤ）、ベアラレベルＱｏＳパラメータ、データパケットセッション識別子、ＱｏＳフローインジケータ（ＱｏＳ  ｆｌｏｗ  ｉｎｄｉｃａｔｏｒ、ＱＦＩ）、ベアラとＱＦＩとの間のマッピング関係、および、ＱＦＩレベルＱｏＳパラメータのうちの少なくとも１つを含む。
【００７３】
いくつかの実現可能な実装例において、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能のうちの少なくとも１つを含む。
【００７４】
第７の態様によると、伝送方法が提供される。伝送方法は、第２のネットワークノードが、制御プレーンノードから第２のメッセージを受信する段階を備え、第２のメッセージは、第１のインタフェースのアップリンクトンネルエンドポイントを含む。制御プレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【００７５】
いくつかの実現可能な実装例において、制御プレーンノードのプロトコルスタックアーキテクチャは、無線リソース制御プロトコル層、サービスデータアダプテーションプロトコル層、および、パケットデータ収束プロトコル層の機能のうちの少なくとも１つである。
【００７６】
第７の態様を参照すると、第７の態様のいくつかの実現可能な実装例において、伝送方法は更に、第２のネットワークノードが、第４のメッセージを制御プレーンノードに送信する段階を備え、第４のメッセージは、第１のインタフェースのダウンリンクトンネルエンドポイントを含む。
【００７７】
第８の態様によると、伝送方法が提供される。伝送方法は、制御プレーンノードが、第１のインタフェースのアップリンクトンネルエンドポイント、第２のインタフェースのアップリンクトンネルエンドポイント、および、第３のインタフェースのダウンリンクトンネルエンドポイントを判断する段階と、制御プレーンノードが、第２のメッセージを第２のネットワークノードに送信する段階と、制御プレーンノードが、第３のメッセージを第３のネットワークノードに送信する段階とを備え、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースであり、第１のインタフェース、第２のインタフェースおよび第３のインタフェースは異なるインタフェースであり、第２のメッセージは、第１のインタフェースのアップリンクトンネルエンドポイントを含み、第３のメッセージは、第２のインタフェースのアップリンクトンネルエンドポイントおよび第３のインタフェースのダウンリンクトンネルエンドポイントを含む。
【００７８】
いくつかの実現可能な実装例において、第１のインタフェースのアップリンクトンネルエンドポイント、第２のインタフェースのアップリンクトンネルエンドポイント、および、第３のインタフェースのダウンリンクトンネルエンドポイントは、第２のベアラのトンネルエンドポイントである。
【００７９】
いくつかの実現可能な実装例において、第２のベアラはセカンダリセル分割ベアラ（ＳＣＧ分割ベアラ）である。
【００８０】
いくつかの実現可能な実装例において、第１のインタフェースのアップリンクトンネルエンドポイント、第２のインタフェースのアップリンクトンネルエンドポイント、および、第３のインタフェースのダウンリンクトンネルエンドポイントは異なる。
【００８１】
いくつかの実現可能な実装例において、第３のメッセージは、表示情報を含み、表示情報は、制御プレーンノードに対して、第２のインタフェースのアップリンクトンネルエンドポイントが、第２のインタフェースのために用いられることを示すのに用いられ、及び／又は、制御プレーンノードに対して、第３のインタフェースのダウンリンクトンネルエンドポイントが第３のインタフェースのために用いられることを示すのに用いられる。
【００８２】
本願の本実施形態における伝送方法によれば、制御プレーンノードは、異なるトンネルエンドポイントを判断し、これにより、複数のインタフェースの複数のネットワークセグメントに一貫性がない場合に、ユーザプレーンに対する、アップリンクトンネルおよびダウンリンクトンネルの割り当ておよび表示の課題を解決することを助けることになる。
【００８３】
第８の態様を参照すると、第８の態様のいくつかの実現可能な実装例において、方法は更に、制御プレーンノードが、第３のネットワークノードによって送信される第３の要求メッセージを受信する段階を備え、第３の要求メッセージは、制御プレーンノードに対して、無線リソースを第２のベアラに割り当てることを要求するのに用いられる。
【００８４】
いくつかの実現可能な実装例において、第２のベアラはセカンダリセル分割ベアラ（ＳＣＧ分割ベアラ）である。
【００８５】
いくつかの実現可能な実装例において、第２のベアラの特性は、第３の要求メッセージにおいて指定され、ベアラタイプに対応するＴＮＬアドレスおよびベアラパラメータを含む。
【００８６】
いくつかの実現可能な実装例において、第３のネットワークノードは、最新の測定結果を第３の要求メッセージに追加する。
【００８７】
いくつかの実現可能な実装例において、第３の要求メッセージは、第２のインタフェースのダウンリンクトンネルエンドポイント及び／又は第３のインタフェースのアップリンクトンネルエンドポイントを含む。
【００８８】
第８の態様を参照すると、第８の態様のいくつかの実現可能な実装例において、方法は更に、制御プレーンノードが、第２のネットワークノードによって送信される第４のメッセージを受信する段階と、制御プレーンノードが、第５のメッセージをユーザプレーンノードに送信する段階とを備え、第４のメッセージは、第１のインタフェースのダウンリンクトンネルエンドポイントを含み、第５のメッセージは、第１のインタフェースのアップリンクトンネルエンドポイント、第１のインタフェースのダウンリンクトンネルエンドポイント、第２のインタフェースのアップリンクトンネルエンドポイント、第２のインタフェースのダウンリンクトンネルエンドポイント、第３のインタフェースのアップリンクトンネルエンドポイント、および、第３のインタフェースのダウンリンクトンネルエンドポイントのうちの少なくとも１つを含む。
【００８９】
本願の本実施形態における伝送方法によれば、制御プレーンノードによってユーザプレーンノードに送信されるメッセージは、アップリンクトンネルおよびダウンリンクトンネルのトンネルエンドポイントを保持し、これにより、ユーザプレーンノードは、データがユーザプレーンノードに向けて送信されるかどうかを識別することができる。
【００９０】
第８の態様を参照すると、第８の態様のいくつかの実現可能な実装例において、制御プレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【００９１】
いくつかの実現可能な実装例において、制御プレーンノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【００９２】
第９の態様によると、伝送方法が提供される。伝送方法は、ユーザプレーンノードが、制御プレーンノードから第５のメッセージを受信する段階を備え、第５のメッセージは、第１のインタフェースのアップリンクトンネルエンドポイント、第１のインタフェースのダウンリンクトンネルエンドポイント、第２のインタフェースのアップリンクトンネルエンドポイント、第２のインタフェースのダウンリンクトンネルエンドポイント、第３のインタフェースのアップリンクトンネルエンドポイント、および、第３のインタフェースのダウンリンクトンネルエンドポイントのうちの少なくとも１つを含む。制御プレーンノードは、無線リソース制御プロトコル層の機能、サービスデータアダプテーションプロトコル層の機能、および、パケットデータ収束プロトコル層の機能のうちの少なくとも１つを含む。
【００９３】
いくつかの実現可能な実装例において、制御プレーンノードのプロトコルスタックアーキテクチャは、無線リソース制御プロトコル層、サービスデータアダプテーションプロトコル層、および、パケットデータ収束プロトコル層の機能のうちの少なくとも１つである。
【００９４】
第１０の態様によると、伝送方法が提供される。伝送方法は、第２のネットワークノードが、制御プレーンノードによって送信される第２のメッセージを受信する段階を備え、第２のメッセージは、第１のインタフェースのアップリンクトンネルエンドポイントを含み、第１のインタフェースは、ユーザプレーンノードと第２のネットワークノードとの間のインタフェースである。制御プレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【００９５】
第１０の態様を参照すると、第１０の態様のいくつかの実現可能な実装例において、方法は更に、第２のネットワークノードが、第４のメッセージを制御プレーンノードに送信する段階を備え、第４のメッセージは、第１のインタフェースのダウンリンクトンネルエンドポイントを含む。
【００９６】
いくつかの実現可能な実装例において、制御プレーンノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【００９７】
第１１の態様によると、伝送方法が提供される。伝送方法は、第３のネットワークノードが、制御プレーンノードから第３のメッセージを受信する段階を備え、第３のメッセージは、第２のインタフェースのアップリンクトンネルエンドポイントおよび第３のインタフェースのダウンリンクトンネルエンドポイントを含む。制御プレーンノードは、無線リソース制御プロトコル層の機能、サービスデータアダプテーションプロトコル層の機能、および、パケットデータ収束プロトコル層の機能のうちの少なくとも１つを含む。
【００９８】
いくつかの実現可能な実装例において、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能のうちの少なくとも１つを含む。
【００９９】
第１１の態様を参照すると、第１１の態様のいくつかの実現可能な実装例において、方法は更に、第３のネットワークノードが、要求メッセージを制御プレーンノードに送信する段階を備え、要求メッセージは、第２のインタフェースのダウンリンクトンネルエンドポイント及び／又は第３のインタフェースのアップリンクトンネルエンドポイントを含む。
【０１００】
第１２の態様によると、伝送方法が提供される。伝送方法は、第１のネットワークノードが、第２のネットワークノードから第７のメッセージを受信する段階と、第１のネットワークノードが、第８のメッセージを送信する段階とを備え、第７のメッセージは、第２のネットワークノードによって伝送されるデータトラフィック情報を含み、第８のメッセージは、データトラフィック情報を含む。第１のネットワークノードのプロトコルスタックアーキテクチャは、無線リソース制御プロトコル層の機能、サービスデータアダプテーションプロトコル層の機能、および、パケットデータ収束プロトコル層の機能のうちの少なくとも１つであり、及び／又は、第２のネットワークノードのプロトコルスタックアーキテクチャは、無線リンク制御プロトコル層の機能、媒体アクセス制御層の機能、および、物理層の機能のうちの少なくとも１つである。
【０１０１】
本願の本実施形態における伝送方法によれば、セカンダリ基地局がＣＵ−ＤＵアーキテクチャをサポートしているマルチリンクシナリオにおいて、マスタ基地局がセカンダリ基地局のＤＵへのユーザプレーンデータ伝送を直接実行する場合に、セカンダリ基地局のトラフィック統計収集の課題が解決される。
【０１０２】
第１２の態様を参照すると、第１２の態様のいくつかの実現可能な実装例において、方法は更に、第１のネットワークノードが、第２の表示情報を送信する段階を備え、第２の表示情報は、第２のネットワークノードに対して、第２のネットワークノードによって伝送されるデータトラフィック情報を報告するよう命令するのに用いられる。
【０１０３】
いくつかの実現可能な実装例において、第２の表示情報は、第２のネットワークノードに対して、伝送されるデータトラフィック情報を報告するよう命令するのに用いられ、及び／又は、第２のネットワークノードに対して、特定のベアラのトラフィック情報、トラフィック統計収集の開始時間及び終了時間、特定のベアラのトラフィックについての統計を収集する開始時間及び終了時間、アップリンクおよびダウンリンクトラフィック統計、または、特定のベアラのアップリンクおよびダウンリンクトラフィック統計を報告するよう命令するのに用いられ、及び／又は、第２のネットワークノードに対して、データトラフィック情報の報告期間を報告するよう命令するのに用いられる。
【０１０４】
第１２の態様を参照すると、第１２の態様のいくつかの実現可能な実装例において、第２のネットワークノードによって伝送されるデータトラフィック情報は、第２のネットワークノードによって伝送されるアップリンクデータトラフィック、第２のネットワークノードによって伝送されるダウンリンクデータトラフィック、並びに、第２のネットワークノードによって伝送されるデータトラフィックについての統計を収集する統計収集の開始時間および終了時間のうちの少なくとも１つを含む。
【０１０５】
第１３の態様によると、伝送方法が提供される。伝送方法は、第２のネットワークノードが、第７のメッセージを送信する段階を備え、第７のメッセージは、第２のネットワークノードによって伝送されるデータトラフィック情報を含む。第２のネットワークノードのプロトコルスタックアーキテクチャは、無線リンク制御プロトコル層、媒体アクセス制御層、および、物理層の機能のうちの少なくとも１つである。
【０１０６】
本願の本実施形態における伝送方法によれば、セカンダリ基地局がＣＵ−ＤＵアーキテクチャをサポートしているマルチリンクシナリオにおいて、マスタ基地局がセカンダリ基地局のＤＵへのユーザプレーンデータ伝送を直接実行する場合に、セカンダリ基地局のトラフィック統計の課題が解決される。
【０１０７】
第１３の態様を参照すると、第１３の態様のいくつかの実現可能な実装例において、方法は更に、第２のネットワークノードが、第１のネットワークノードによって送信される第２の表示情報を受信する段階を備え、第２の表示情報は、第２のネットワークノードに対して、第２のネットワークノードによって伝送されるデータトラフィック情報を報告するよう命令するのに用いられる。第１のネットワークノードのプロトコルスタックアーキテクチャは、無線リソース制御プロトコル層、サービスデータアダプテーションプロトコル層、および、パケットデータ収束プロトコル層のうちの少なくとも１つであり、及び／又は、第２のネットワークノードのプロトコルスタックアーキテクチャは、無線リンク制御プロトコル層、媒体アクセス制御層、および、物理層の機能のうちの少なくとも１つである。
【０１０８】
第１３の態様を参照すると、第１３の態様のいくつかの実現可能な実装例において、第２のネットワークノードによって伝送されるデータトラフィック情報は、第２のネットワークノードによって伝送されるアップリンクデータトラフィック、第２のネットワークノードによって伝送されるダウンリンクデータトラフィック、並びに、第２のネットワークノードによって伝送されるデータトラフィックについての統計を収集する統計収集の開始時間および終了時間のうちの少なくとも１つを含む。
【０１０９】
第１４の態様によると伝送方法が提供される。伝送方法は、第１のネットワークノードが、第９のメッセージを送信する段階を備え、第９のメッセージは、第２のネットワークノードの電力構成パラメータを含み、電力構成パラメータは、マスタセルグループで端末デバイスが用いることができる最大伝送電力である。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０１１０】
第１５の態様によると、伝送方法が提供される。伝送方法は、第２のネットワークノードが、第１のネットワークノードから第９のメッセージを受信する段階を備え、第９のメッセージは、第２のネットワークノードの電力構成パラメータを含み、電力構成パラメータは、マスタセルグループで端末デバイスが用いることができる最大伝送電力である。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０１１１】
第１６の態様によると、伝送方法が提供される。伝送方法は、第２のネットワークノードが、第１０のメッセージを第１のネットワークノードに送信する段階を備え、第１０のメッセージは、第２のネットワークノードの電力構成パラメータを含み、電力構成パラメータは、セカンダリセルグループで端末デバイスが用いることができる最大伝送電力である。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０１１２】
第１７の態様によると、伝送方法が提供される。伝送方法は、第１のネットワークノードが、第２のネットワークノードから第１０のメッセージを受信する段階を備え、第１０のメッセージは、第２のネットワークノードの電力構成パラメータを含み、電力構成パラメータは、セカンダリセルグループで端末デバイスが用いることができる最大伝送電力である。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０１１３】
第１８の態様によると、伝送方法が提供される。伝送方法は、第１のネットワークノードが、第１２のメッセージを第２のネットワークノードに送信する段階を備え、第１２のメッセージは、第２のネットワークノードのセルグループ識別子を含む。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０１１４】
第１９の態様によると、伝送方法が提供される。伝送方法は、第２のネットワークノードが、第１のネットワークノードから第１２のメッセージを受信する段階を備え、第１２のメッセージは、第２のネットワークノードのセルグループ識別子を含む。第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０１１５】
第２０の態様によると、ネットワークデバイスが提供される。ネットワークデバイスは、前述の複数の態様の任意の実現可能な実装例による方法を実行するように構成される。具体的にはネットワークデバイスは、前述の複数の態様の任意の実現可能な実装例による方法を実行するように構成されるモジュールを含む。
【０１１６】
第２１の態様によると、ネットワークデバイスが提供される。ネットワークデバイスは、トランシーバ、少なくとも１つのプロセッサ、および、メモリを備える。メモリは、プログラム命令を含み、少なくとも１つのプロセッサは、前述の複数の態様の任意の実現可能な実装例による方法における、第１のネットワークノード、第２のネットワークノード、第３のネットワークノード、制御プレーンノード、または、ユーザプレーンノードによって実行される処理操作を実装するためのプログラム命令を実行する。トランシーバは、前述の複数の態様の任意の実現可能な実装例による方法における、第１のネットワークノード、第２のネットワークノード、第３のネットワークノード、制御プレーンノード、または、ユーザプレーンノードによって実行されるメッセージ送信／受信操作を実行するように構成される。
【０１１７】
第２２の態様によると、チップシステムが提供される。チップシステムは、第２１の態様において提供されるネットワークデバイスに適用されてもよい。チップシステムは、少なくとも１つのプロセッサ、少なくとも１つのメモリ、および、インタフェース回路を備える。インタフェース回路は、チップシステムと外部との間の情報交換を担う。少なくとも１つのメモリ、インタフェース回路および少なくとも１つのプロセッサは、通信線を用いることによって、互いに接続される。少なくとも１つのメモリは命令を格納し、当該命令は、少なくとも１つのプロセッサによって実行されると、前述の複数の態様による方法における、第１のネットワークノード、第２のネットワークノード、第３のネットワークノード、制御プレーンノードまたはユーザプレーンノードの操作を実行させる。
【０１１８】
第２３の態様によると、通信システムが提供される。通信システムは、ネットワークデバイス及び／又は端末デバイスを備える。ネットワークデバイスは、前述の複数の態様による新しいネットワークデバイスである。代替的に、通信システムは、第２１の態様において提供されるネットワークデバイスを備える。
【０１１９】
第２４の態様によると、コンピュータプログラム製品が提供される。コンピュータプログラム製品は、第２１の態様において提供されるネットワークデバイスに適用され得、または、第２２の態様において提供されるチップシステムに適用され得る。コンピュータプログラム製品は、一連の命令を含む。命令が実行されると、前述の複数の態様による方法における、第１のネットワークノード、第２のネットワークノード、第３のネットワークノード、制御プレーンノード、または、ユーザプレーンノードの操作を実行させる。
【０１２０】
第２５の態様によると、コンピュータ可読記憶媒体が提供される。コンピュータ可読記憶媒体は、命令を格納する。命令がコンピュータで実行された場合、コンピュータは、前述の複数の態様による方法を実行することが可能である。
【０１２１】
第２６の態様によると、伝送方法が提供される。伝送方法は、第１のネットワークノードが、電力更新情報を第２のネットワークノードに送信する段階を備え、電力更新情報は、第１のネットワークノードの更新された第３の電力構成パラメータを含み、第３の電力構成パラメータは、セカンダリセルグループで端末デバイスが用いることができる最大伝送電力である。第１のネットワークノードのプロトコル層の機能は、無線リンク制御プロトコル層の機能、媒体アクセス制御層の機能、および、物理層の機能のうちの少なくとも１つであり、及び／又は、第２のネットワークノードのプロトコル層の機能は、無線リソース制御プロトコル層の機能、サービスデータアダプテーションプロトコル層の機能、および、パケットデータ収束プロトコル層の機能のうちの少なくとも１つである。
【図面の簡単な説明】
【０１２２】
【図１】本願の実施形態による技術的解決手段の応用シナリオの概略図である。
【０１２３】
【図２】本願の実施形態による技術的解決手段の別の適用シナリオの概略図である。
【０１２４】
【図３】本願の実施形態による技術的解決手段の更に別の適用シナリオの概略図である。
【０１２５】
【図４】本願の実施形態による技術的解決手段の更に別の適用シナリオの概略図である。
【０１２６】
【図５】本願の実施形態による技術的解決手段の更に別の適用シナリオの概略図である。
【０１２７】
【図６】本願の実施形態による技術的解決手段の更に別の適用シナリオの概略図である。
【０１２８】
【図７】本願の実施形態による技術的解決手段の更に別の適用シナリオの概略図である。
【０１２９】
【図８】本願の実施形態による技術的解決手段の更に別の適用シナリオの概略図である。
【０１３０】
【図９】本願の実施形態による技術的解決手段の更に別の適用シナリオの概略図である。
【０１３１】
【図１０】本願の実施形態による技術的解決手段の更に別の適用シナリオの概略図である。
【０１３２】
【図１１】本願の実施形態による伝送方法の概略フローチャートである。
【０１３３】
【図１２】本願の実施形態による伝送方法の別の概略フローチャートである。
【０１３４】
【図１３】本願の実施形態による伝送方法の更に別の概略フローチャートである。
【０１３５】
【図１４】本願の実施形態による伝送方法の更に別の概略フローチャートである。
【０１３６】
【図１５】本願の実施形態による伝送方法の更に別の概略フローチャートである。
【０１３７】
【図１６】本願の実施形態による伝送方法の更に別の概略フローチャートである。
【０１３８】
【図１７】本願の実施形態による伝送方法の更に別の概略フローチャートである。
【０１３９】
【図１８】本願の実施形態によるネットワークデバイスの概略ブロック図である。
【０１４０】
【図１９】本願の実施形態によるネットワークデバイスの別の概略ブロック図である。
【０１４１】
【図２０】本願の実施形態によるネットワークデバイスの更に別の概略ブロック図である。
【０１４２】
【図２１】本願の実施形態によるネットワークデバイスの更に別の概略ブロック図である。
【０１４３】
【図２２】本願の実施形態によるネットワークデバイスの更に別の概略ブロック図である。
【０１４４】
【図２３】本願の実施形態によるネットワークデバイスの更に別の概略ブロック図である。
【０１４５】
【図２４】本願の実施形態によるネットワークデバイスの更に別の概略ブロック図である。
【０１４６】
【図２５】本願の実施形態によるネットワークデバイスの更に別の概略ブロック図である。
【０１４７】
【図２６】本願の実施形態によるネットワークデバイスの更に別の概略ブロック図である。
【０１４８】
【図２７】本願の実施形態によるネットワークデバイスの更に別の概略ブロック図である。
【０１４９】
【図２８】本願の実施形態によるネットワークデバイスの更に別の概略ブロック図である。
【発明を実施するための形態】
【０１５０】
以下では、添付図面を参照しながら本願の技術的解決手段を説明する。
【０１５１】
本願の実施形態は、ネットワークデバイスのいくつかの機能が分離される様々な形態のシステムに適用可能である。図１は、本願の実施形態による技術的解決手段の応用シナリオの概略図である。図１に示されるように、ネットワークデバイスのいくつかの機能は、第１のネットワークノードおよび第２のネットワークノードへと分離される。
【０１５２】
具体的には、図２は、本願の実施形態による技術的解決手段の別の適用シナリオの概略図である。図２に示されるように、ＣＲＡＮアーキテクチャにおいてＣＵ−ＤＵ分離が導入される。ＣＵは、図１における第１のネットワークノードに対応してもよく、ＤＵは、図１における第２のネットワークノードに対応してもよい。
【０１５３】
第１のネットワークノードおよび第２のネットワークノードは、ネットワークアーキテクチャ全体において、２つの物理的に又は論理的に別個のモジュールであってもよく、または、２つの完全に独立な論理ネットワーク要素であってもよいことが理解されるべきである。
【０１５４】
第１のネットワークノードのユーザプレーンおよび第１のネットワークノードの制御プレーンを形成するべく、制御プレーンおよびユーザプレーンの分離が第１のネットワークノードのために実行されてもよいことが更に理解されるべきである。
【０１５５】
ＣＵは、無線リソース制御（Ｒａｄｉｏ  Ｒｅｓｏｕｒｃｅ  Ｃｏｎｔｒｏｌ、ＲＲＣ）機能またはいくつかのＲＲＣ制御機能を有し、且つ、既存の基地局の全ての又はいくつかのプロトコル層の機能を含み、例えば、ＲＲＣ機能のみ又はＲＲＣ機能のいくつかを含み、若しくは、ＲＲＣ機能、または、サービスデータアダプテーションプロトコル（Ｓｅｒｖｉｃｅ  Ｄａｔａ  Ａｄａｐｔａｔｉｏｎ  Ｐｒｏｔｏｃｏｌ、  ＳＤＡＰ）層の機能を含み、若しくは、ＲＲＣ機能／パケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）層の機能を含み、若しくは、ＲＲＣ機能／ＰＤＣＰ層の機能及びいくつかの無線リンク制御（Ｒａｄｉｏ  Ｌｉｎｋ  Ｃｏｎｔｒｏｌ、ＲＬＣ）プロトコル層の機能を含み、若しくは、ＲＲＣ機能／ＰＤＣＰ／媒体アクセス制御（Ｍｅｄｉａ  Ａｃｃｅｓｓ  Ｃｏｎｔｒｏｌ、ＭＡＣ）層の機能及びいくつか又は全ての物理層ＰＨＹ機能でさえも含む。任意の他の可能性もあり得る。
【０１５６】
ＤＵは、既存の基地局の全て又はいくつかのプロトコル層の機能を有し、すなわち、いくつかのＲＲＣ／ＳＤＡＰ／ＰＤＣＰ／ＲＬＣ／ＭＡＣ／ＰＨＹ  プロトコル層の機能ユニットを有し、例えば、いくつかのＲＲＣ機能及びＰＤＣＰ／ＲＬＣ／ＭＡＣ／ＰＨＹ  プロトコル層の機能を含み、若しくは、ＰＤＣＰ／ＲＬＣ／ＭＡＣ／ＰＨＹ  プロトコル層の機能を含み、若しくは、ＲＬＣ／ＭＡＣ／ＰＨＹプロトコル層の機能を含み、若しくは、いくつかのＲＬＣ／ＭＡＣ／ＰＨＹ機能を含み、若しくは、全て又はいくつかのＰＨＹ機能のみを含む。本明細書で言及されるプロトコル層の機能は変わることが有り得、全ての変更は、本願の保護範囲内に属することに留意すべきである。
【０１５７】
本願の本実施形態において、異なるプロトコル層は、第１のネットワークノードおよび第２のネットワークノード上で別々に展開され得ることが理解されるべきである。実現可能な実装例は、第１のネットワークノード上で少なくとも第１のプロトコル層および第２のプロトコル層を展開すること、および、第２のネットワークノード上で少なくとも第３のプロトコル層、第４のプロトコル層並びに第５のプロトコル層を展開することである。
【０１５８】
例えば、第１のプロトコル層はＲＲＣ層であってもよく、第２のプロトコル層はＰＤＣＰ層であってもよく、第３のプロトコル層はＲＬＣ層であってもよく、第４のプロトコル層はＭＡＣ層であってもよく、第５のプロトコル層はＰＨＹ層であってもよい。
【０１５９】
上記で例示された第１のプロトコル層、第２のプロトコル層、第３のプロトコル層、第４のプロトコル層、および、第５のプロトコル層は、単に、例示的な説明のためだけに用いられ、本願に対する何らかの限定も構成しないものと理解されるべきである。第１のプロトコル層および第２のプロトコル層は代替的に、既存のプロトコル（例えば、ＬＴＥプロトコル）または将来のプロトコルにおいて定義される他のプロトコル層であってもよい。これは、本願において具体的には限定されない。
【０１６０】
別の例について、５Ｇネットワークでは、新しい技術的進行もまた、新しい中継ノードのために実現される。例えば、層２（例えば、無線リンク制御（ｒａｄｉｏ  ｌｉｎｋ  ｃｏｎｔｒｏｌ、ＲＬＣ）層およびＭＡＣ層を含む）および層１（例えば、ＰＨＹ層を含む）のみを含むプロトコルスタックアーキテクチャが中継ノード上に展開され、層２の上方にはプロトコルスタック機能の１つも展開されず、例えば、ＲＲＣ層の機能の１つも展開されない。したがって、ドナー基地局によって生成されるデータ又はシグナリングは、中継ノードによって、端末デバイスへと転送される必要がある。
【０１６１】
本願の本実施形態における第１のネットワークノードは、ＣＵ−ＤＵアーキテクチャにおけるＤＵに対応してもよく、または、中継ノードに対応してもよいことが理解されるべきである。第２のネットワークノードは、ＣＵ−ＤＵアーキテクチャにおけるＣＵに対応してもよく、または、ドナー基地局に対応してもよい。代替的に、ＣＵおよびＤＵは、ドナー基地局に対応し、ＤＵおよびＵＥの間の伝送は、１つ又は複数の中継ノードを用いることによって実行される。ＵＥの前のホップ中継ノードは、第１のネットワークノードに対応する。
【０１６２】
図３は、本願の実施形態による技術的解決手段の更に別の適用シナリオの概略図である。図３に示されるように、マスタセル分割ベアラ（Ｍａｓｔｅｒ  Ｃｅｌｌ  Ｇｒｏｕｐ  Ｓｐｌｉｔ  Ｂｅａｒｅｒ、ＭＣＧ  Ｓｐｌｉｔ  Ｂｅａｒｅｒ）またはいくつかの他のベアラについて、マスタ基地局（Ｍａｓｔｅｒ  Ｅｖｏｌｕｔｉｏｎａｌ  Ｎｏｄｅ  Ｂ、Ｍ−ｅＮＢ）は、セカンダリ基地局のＤＵ（Ｓ−ｇＮＢ−ＤＵ）と直接通信することを可能にされる。すなわち、マスタ基地局及びセカンダリ基地局は、ユーザプレーンインタフェースを有し、ユーザプレーンデータ伝送を実行してもよい。
【０１６３】
図３におけるマスタ基地局は、ＬＴＥにおける進化型ＮｏｄｅＢ  ｅＮＢ（ｍａｓｔｅｒ  ｅＮＢ、Ｍ−ｅＮＢ）であってもよく、または、ＮＲにおけるｇＮＢ（ｍａｓｔｅｒ  ｇＮＢ、Ｍ−ｇＮＢ）であってもよいことが理解されるべきである。マスタ基地局がＭ−ｅＮＢであって、セカンダリ基地局がＳ−ｇＮＢであるならば、マスタ基地局及びセカンダリ基地局の間のインタフェースはＸ２インタフェースである。マスタ基地局がＭ−ｇＮＢであって、セカンダリ基地局はＳ−ｇＮＢであるならば、マスタ基地局及びセカンダリ基地局の間のインタフェースはＸｎインタフェースである。インタフェースは、別の名称を有していてもよい。これは、本願において限定されるものではない。
【０１６４】
マスタ基地局がＭ−ｅＮＢであり、セカンダリ基地局がＳ−ｇＮＢであり、セカンダリ基地局が集中型ユニット（ｃｅｎｔｒａｌ  Ｕｎｉｔ、ＣＵ）−分散型ユニット（Ｄｉｓｔｒｉｂｕｔｅｄ  Ｕｎｉｔ、ＤＵ）分離アーキテクチャをサポートしているならば、マスタ基地局がＬＴＥ  ｅＮＢであってセカンダリ基地局がＮＲ  ｇＮＢまたはＬＴＥ  ｅＮＢである場合、若しくは、マスタ基地局がＮＲ  ｇＮＢであってセカンダリ基地局がＬＴＥ  ｅＮＢである場合には、マスタ基地局とセカンダリ基地局のＣＵ（ｇＮＢ−ＣＵ）との間のインタフェースはＸ２制御プレーン（Ｘ２−Ｃ）インタフェースであり、マスタ基地局とセカンダリ基地局のＤＵ（ｇＮＢ−ＤＵ）との間のインタフェースはＸ２ユーザプレーン（Ｘ２−Ｕ）インタフェースであることが、更に理解されるべきである。マスタ基地局がＮＲ  ｇＮＢであり、セカンダリ基地局もまたＮＲ  ｇＮＢである場合、マスタ基地局とセカンダリ基地局のＣＵ（ｇＮＢ−ＣＵ）との間のインタフェースは、Ｘｎ制御プレーン（Ｘｎ−Ｃ）インタフェースであり、マスタ基地局とセカンダリ基地局のＤＵ（ｇＮＢ−ＤＵ）との間のインタフェースは、Ｘｎユーザプレーン（Ｘｎ−Ｕ）インタフェースである。
【０１６５】
図３におけるセカンダリ基地局はＮＲにおけるｇＮｏｄｅＢｇＮＢ（ｓｅｃｏｎｄａｒｙ  ｇＮＢ、Ｓ−ｇＮＢ）であってもよいことが更に理解されるべきである。これに対応して、セカンダリ基地局がＣＵ−ＤＵアーキテクチャをサポートしている場合、対応するＳ−ｇＮＢ−ＤＵとＳ−ｇＮＢ−ＣＵとの間のインタフェースはＦ１インタフェースである。セカンダリ基地局は、ＬＴＥにおける進化型ＮｏｄｅＢ  ｅＮＢ（ｓｅｃｏｎｄａｒｙ  ｅＮＢ、Ｓ−ｅＮＢ）であってもよい。これに対応して、セカンダリ基地局がＣＵ−ＤＵアーキテクチャをサポートしている場合、対応するＳ−ｅＮＢ−ＤＵとＳ−ｅＮＢ−ＣＵとの間のインタフェースはＶ１インタフェースである。
【０１６６】
コアネットワークは、モビリティ管理エンティティ（Ｍｏｂｉｌｉｔｙ  Ｍａｎａｇｅｍｅｎｔ  Ｅｎｔｉｔｙ、ＭＭＥ）およびサービングゲートウェイ（Ｓｅｒｖｉｎｇ  Ｇａｔｅｗａｙ、ＳＧＷ）を含む、ＬＴＥコアネットワーク（Ｅｖｏｌｖｅｄ  Ｐａｃｋｅｔ  Ｃｏｒｅ、ＥＰＣ）であってもよく、または、ユーザプレーン機能（Ｕｓｅｒ  Ｐｌａｎｅ  Ｆｕｎｃｔｉｏｎ、ＵＰＦ）エンティティおよびアクセス並びにモビリティ管理（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）エンティティを含む、ＮＲコアネットワーク（５ＧＣ、５Ｇ  ｃｏｒｅ）であってもよいことが更に理解されるべきである。ＬＴＥコアネットワークとセカンダリ基地局のＤＵとの間のインタフェースは、Ｓ１ユーザプレーン（Ｓ１−Ｕ）インタフェースであり、ＮＲコアネットワークとセカンダリ基地局のＤＵとの間のインタフェースはＮＧユーザプレーン（ＮＧ−Ｕ）インタフェースである。
【０１６７】
図４は、本願の実施形態による技術的解決手段の更に別の適用シナリオの概略図である。図４に示されるように、セカンダリ基地局がＣＵのユーザプレーン（Ｕｓｅｒ  Ｐｌａｎｅ、ＵＰ）と制御プレーン（Ｃｏｎｔｒｏｌ  Ｐｌａｎｅ、ＣＰ）との間の分離をサポートしているアーキテクチャにおいて、セカンダリ基地局がＮＲ  ｇＮＢである場合、セカンダリ基地局のＳ−ｇＮＢ−ＣＵは、Ｓ−ｇＮＢ−ＣＰおよびＳ−ｇＮＢ−ＵＰへ分離されてもよい。Ｓ−ｇＮＢ−ＣＰとＳ−ｇＮＢ−ＵＰとの間のインタフェースはＥ１インタフェースであり、Ｓ−ｇＮＢ−ＣＵ−ＣＰとＳ−ｇＮＢ−ＤＵとの間のインタフェースはＦ１制御パネル（Ｆ１−Ｃ）インタフェースであり、Ｓ−ｇＮＢ−ＣＵ−ＵＰとＳ−ｇＮＢ−ＤＵとの間のインタフェースはＦ１ユーザプレーン（Ｆ１−Ｕ）インタフェースである。セカンダリ基地局がＬＴＥ  ｅＮＢである場合、セカンダリ基地局のＳ−ｅＮＢ−ＣＵは、Ｓ−ｅＮＢ−ＣＰおよびＳ−ｅＮＢ−ＵＰへ分離されてもよい。Ｓ−ｅＮＢ−ＣＰとＳ−ｅＮＢ−ＵＰとの間のインタフェースはＥ１インタフェースであり、Ｓ−ｅＮＢ−ＣＵ−ＣＰとＳ−ｅＮＢ−ＤＵとの間のインタフェースはＶ１制御パネル（Ｖ１−Ｃ）インタフェースであり、Ｓ−ｅＮＢ−ＣＵ−ＵＰとＳ−ｅＮＢ−ＤＵとの間のインタフェースはＶ１ユーザプレーン（Ｖ１−Ｕ）インタフェースである。
【０１６８】
前述のインタフェース名称またはノード名称は他の名称であってもよいことが更に理解されるべきである。これは、本願において限定されるものではない。
【０１６９】
図５は、本願の実施形態による技術的解決手段の更に別の適用シナリオの概略図である。図５に示されるように、マスタ基地局はＣＵ−ＤＵアーキテクチャシステムのシステムをサポートしており、セカンダリ基地局もまたＣＵ−ＤＵアーキテクチャシステムをサポートしている。
【０１７０】
図６は、本願の実施形態による技術的解決手段の更に別の適用シナリオの概略図である。図６に示されるように、マスタ基地局及びセカンダリ基地局は、１つのＣＵと複数のＤＵのアーキテクチャシステムをサポートしている。
【０１７１】
図７は、本願の実施形態による技術的解決手段の更に別の適用シナリオの概略図である。図７に示されるように、セカンダリ基地局はＣＰ−ＵＰアーキテクチャをサポートしている。マスタ基地局、すなわち、図７におけるＭＮ（マスタノード）は、ＬＴＥにおけるｅＮＢまたはＮＲにおけるｇＮＢであってもよく、セカンダリ基地局、すなわち、図７におけるＳＮ（セカンダリノード）は、ＬＴＥにおけるＣＵ−ＵＰまたはＮＲにおけるＣＵ−ＵＰであってもよい。これに対応して、ＣＰとＵＰとの間のインタフェースはＥ１インタフェースであり、マスタ基地局及びセカンダリ基地局の間のインタフェースはＸ２インタフェース又はＸｎインタフェースであってもよく、ＵＰＦ（Ｕｓｅｒ  Ｐｌａｎｅ  Ｆｕｎｃｔｉｏｎ、ＵＰＦ）はコアネットワーク内にある。コアネットワークは代替的に、ＬＴＥコアネットワークであってもよいことが更に理解されるべきである。
【０１７２】
図８は、本願の実施形態による技術的解決手段の更に別の適用シナリオの概略図である。図８に示されるように、本願の本実施形態における技術的解決手段は、ＮＲ  ＣＵ−ＤＵアーキテクチャシステムに適用可能である。ＮＲ  ＣＵ−ＤＵシステムアーキテクチャにおいて、ＣＵおよびＤＵの間のインタフェースはＦ１インタフェースであり、ｇＮｏｄｅＢ１（ｇＮＢ１）とｇＮｏｄｅＢ２（ｇＮＢ２）との間のインタフェースはＸｎインタフェースであり、ｇＮｏｄｅＢとコアネットワーク（５ＧＣ）との間のインタフェースはＮＧインタフェースである。
【０１７３】
図９および図１０は、本願の実施形態による技術的解決手段の更に別の適用シナリオの概略図である。図９および図１０に示されるように、本願の本実施形態における技術的解決手段は、ＬＴＥ  ＣＵ−ＤＵアーキテクチャシステムに適用可能である。ＣＵおよびＤＵの間のインタフェースがＶ１インタフェースであるという点で違いが存在し、Ｖ１インタフェースはＦ１インタフェースと同様である。複数の進化型ＮｏｄｅＢ（ｅＮＢ）の間のインタフェースはＸ２インタフェースである。ＣＵは、進化型パケットコアＥＰＣに接続されてもよく、ＮＲコアネットワーク５ＧＣに接続されてもよい。
【０１７４】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は現在、ＣＵおよびＤＵの間のインタフェースをＦ１と名付けていることが理解されるべきである。Ｆ１インタフェースは、制御プレーン（Ｃｏｎｔｒｏｌ  Ｐｌａｎｅ、ＣＰ）インタフェースおよびユーザプレーン（Ｕｓｅｒ  Ｐｌａｎｅ、ＵＰ）インタフェースを含む。制御プレーンのトランスポート層プロトコルは、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰ）であり、伝送されるアプリケーション層メッセージはＦ１ＡＰ（Ａｐｐｌｉｃａｔｉｏｎ  Ｐｒｏｔｏｃｏｌ）メッセージである。ユーザプレーンのトランスポート層プロトコルはＧＰＲＳトンネリングプロトコルユーザプレーン（ＧＰＲＳ  Ｔｕｎｎｅｌｉｎｇ  Ｐｒｏｔｏｃｏｌ−Ｕｓｅｒ  ｐｌａｎｅ、ＧＴＰ−Ｕ）である。
【０１７５】
本願の実施形態における技術的解決手段は、モバイル通信用グローバルシステム（Ｇｌｏｂａｌ  Ｓｙｓｔｅｍ  ｏｆ  Ｍｏｂｉｌｅ  Ｃｏｍｍｕｎｉｃａｔｉｏｎｓ、ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、将来の第５世代（５ｔｈ−Ｇｅｎｅｒａｔｉｏｎ、５Ｇ）通信システム、および、ＣＲＡＮ通信システムなどの、様々な通信システムに適用されてもよいことが理解されるべきである。
【０１７６】
本願の実施形態におけるネットワークデバイスは、端末デバイスと通信するように構成されたデバイスであってもよいことが更に理解されるべきである。例えば、ネットワークデバイスは、ＧＳＭ（登録商標）システムまたはＣＤＭＡシステムにおける基地トランシーバ局（Ｂａｓｅ  Ｔｒａｎｓｃｅｉｖｅｒ  Ｓｔａｔｉｏｎ、ＢＴＳ）と基地局コントローラ（Ｂａｓｅ  Ｓｔａｔｉｏｎ  Ｃｏｎｔｒｏｌｌｅｒ、ＢＳＣ）との組み合わせであってもよく、ＷＣＤＭＡ（登録商標）システムにおけるＮｏｄｅＢ（ＮｏｄｅＢ、ＮＢ）と無線ネットワークコントローラ（Ｒａｄｉｏ  Ｎｅｔｗｏｒｋ  Ｃｏｎｔｒｏｌｌｅｒ、ＲＮＣ）との組み合わせであってもよく、ＬＴＥシステムにおける進化型ＮｏｄｅＢ（Ｅｖｏｌｕｔｉｏｎａｌ  ＮｏｄｅＢ、ｅＮＢまたはｅＮｏｄｅＢ）であってもよい。代替的に、ネットワークデバイスは、将来の進化型地上波公共移動通信ネットワーク（Ｐｕｂｌｉｃ  Ｌａｎｄ  Ｍｏｂｉｌｅ  Ｎｅｔｗｏｒｋ、ＰＬＭＮ）における次世代基地局またはアクセスネットワークデバイスのような、将来の５Ｇネットワークにおけるアクセスネットワークデバイス、中継局、アクセスポイント、車載デバイス、および、ウェアラブルデバイスであってもよい。
【０１７７】
具体的には、第３世代モバイル通信技術（３ｒｄ−Ｇｅｎｅｒａｔｉｏｎ、３Ｇ）でのＵＭＴシステムにおいて、無線ネットワーク制御ノードが基地局から分離されるシナリオが存在する。ＬＴＥシステムにおいて、ベースバンドモジュールが無線周波数モジュールから分離されるシナリオ、すなわち、リモート無線シナリオと、２つの異なるネットワークの間の相互接続が必要とされるデータセンタ（Ｄａｔａ  Ｃｅｎｔｅｒ、ＤＣ）シナリオと、マクロセルとスモールセルとの間の相互接続のためのインタフェースが存在するマクロ／スモールセルシナリオと、端末デバイスが２つ以上の基地局にデータを伝送し得るデュアルコネクティビティ（Ｄｕａｌ  Ｃｏｎｎｅｃｔｉｖｉｔｙ）シナリオと、ＬＴＥおよびＷｉ−Ｆｉアグリゲーション（ＬＴＥ−Ｗｉ−Ｆｉ  ａｇｇｒｅｇａｔｉｏｎ、ＬＷＡ）シナリオと、が存在する。５Ｇシステムにおいて、１つの制御ノードが全てのセルに接続される、又は複数の伝送ノードが１つのセルに接続される、様々な非セル（ｎｏｎ−ｃｅｌｌ）シナリオ（複数のセルの間を介して端末がランダムにハンドオーバされ得、且つ、複数のセルの間に明示的な境界が１つもない）と、ＢＢＵ分割シナリオを含むＣＲＡＮシナリオと、ＢＢＵのいくつかの機能が中央に展開されて仮想化され、他の機能が別々に展開され、物理的に２つのパートが別々に展開され得るＣＲＡＮ仮想化シナリオと、が存在する。異なるシステム／基準が共存しているシナリオは、本願の適用可能な範囲内に属していることが理解されるべきである。
【０１７８】
本願は、端末デバイスを参照して、複数の実施形態を説明する。端末デバイスはまた、ユーザ機器（Ｕｓｅｒ  Ｅｑｕｉｐｍｅｎｔ、ＵＥ）、アクセス端末、加入者ユニット、加入者局、移動局、移動コンソール、リモート局、リモート端末、移動デバイス、ユーザ端末、端末、無線通信デバイス、ユーザエージェント、または、ユーザ装置と称されてもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  ＬｏｏｐＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続されている別の処理デバイス、車載デバイス、ウェアラブルデバイス、将来の５Ｇネットワークにおける端末デバイス、ＰＬＭＮにおける端末デバイス、等であってもよい。
【０１７９】
本願の実施形態が説明される前に、本願の実施形態に関連付けられるいくつかの概念が、最初に簡潔に説明される。
【０１８０】
トンネルエンドポイント：トンネルはＧＴＰ（ＧＰＲＳ  ｔｕｎｎｅｌｉｎｇ  ｐｒｏｔｏｃｏｌ）トンネルである。ＧＴＰトンネルは、ＧＴＰプロトコルに基づいて２つのネットワークノードの間の通信をサポートする、すなわち、２つのネットワークノードの間のデータ伝送をサポートするのに用いられる。この場合、トンネルエンドポイントは、トンネルが属しているユーザを識別するのに用いられる。トンネルエンドポイントは、ネットワークノードによって割り当てられる。複数のネットワークデバイス（例えば基地局）の間で交換される各アドレスは、トンネルエンドポイント（ＧＰＲＳ  Ｔｕｎｎｅｌ  Ｐｒｏｔｏｃｏｌ  Ｔｕｎｎｅｌ  Ｅｎｄｐｏｉｎｔ、ＧＴＰ  ｔｕｎｎｅｌ  ｅｎｄｐｏｉｎｔ）であり、トンネルエンドポイントは、表１に示される２つの情報要素（Ｉｎｆｏｒｍａｔｉｏｎ  Ｅｌｅｍｅｎｔ、ＩＥ）を含む。
表１  トンネルエンドポイントにおける２つの情報要素
【表１】
2021513810.tif 000003
【０１８１】
本願の実施形態におけるＧＴＰトンネルエンドポイントは次の通り説明される。
【０１８２】
Ｘ２／Ｘｎ  ＵＬ  ＧＴＰトンネルエンドポイント：ネットワークデバイスによってＸ２／Ｘｎ伝送ベアラに割り当てられ、アップリンクデータ（プロトコルデータユニットＰＤＵを含む）を伝送するのに用いられ、且つ、Ｘ２／Ｘｎインタフェース上でアップリンクデータ伝送の宛先アドレスを示すのに用いられる、トンネルエンドポイント。
【０１８３】
Ｘ２／Ｘｎ  ＤＬ  ＧＴＰトンネルエンドポイント：ネットワークデバイスによってＸ２／Ｘｎ伝送ベアラに割り当てられ、ダウンリンクデータ（ＰＤＵを含む）を伝送するのに用いられ、且つ、Ｘ２／Ｘｎインタフェース上でダウンリンクデータ伝送の宛先アドレスを示すのに用いられる、トンネルエンドポイント。
【０１８４】
Ｓ１／ＮＧ  ＵＬ  ＧＴＰトンネルエンドポイント：コアネットワークによってＳ１／ＮＧ伝送ベアラに割り当てられ、アップリンクデータ（ＰＤＵを含む）を伝送するのに用いられ、且つ、Ｓ１／ＮＧインタフェース上でアップリンクデータ伝送の宛先アドレスを示すのに用いられる、トンネルエンドポイント。
【０１８５】
Ｓ１／ＮＧ  ＤＬ  ＧＴＰトンネルエンドポイント：Ｓ１／ＮＧ伝送ベアラのためのネットワークデバイスのトンネルエンドポイントであって、ダウンリンクデータ（ＰＤＵを含む）を伝送するのに用いられ、且つ、Ｓ１／ＮＧインタフェース上でダウンリンクデータ伝送の宛先アドレスを示すのに用いられる。
【０１８６】
Ｆ１  ＵＬ  ＧＴＰトンネルエンドポイント：Ｆ１伝送ベアラのためのネットワークデバイスのトンネルエンドポイントであって、アップリンクデータ（ＰＤＵを含む）を伝送するのに用いられ、且つ、Ｆ１インタフェース上でアップリンクデータ伝送の宛先アドレスを示すのに用いられる。
【０１８７】
Ｆ１  ＤＬ  ＧＴＰトンネルエンドポイント：Ｆ１伝送ベアラのためのネットワークデバイスのトンネルエンドポイントであって、ダウンリンクデータ（ＰＤＵを含む）を伝送するのに用いられ、且つ、Ｆ１インタフェース上でダウンリンクデータ伝送の宛先アドレスを示すのに用いられる。
【０１８８】
前述の複数のトンネルエンドポイントは、複数のベアラと１対１の対応関係にあってもよく、又は複数のセッションと１対１の対応関係にあってもよく、又は複数のサービス品質（ｑｕａｌｉｔｙ  ｏｆ  ｓｅｒｖｉｃｅ、ＱｏＳ）フローと１対１の対応関係にあってもよく、又は１つの特定のベアラに割り当てられる複数のトンネルエンドポイントであってもよく、又は１つの特定のセッションに割り当てられる複数のトンネルエンドポイントであってもよく、または、１つの特定のＱｏＳフローに割り当てられる複数のトンネルエンドポイントであってもよいことに留意すべきである。これは、本願において限定されるものではない。
【０１８９】
本願の実施形態は主に、セカンダリ基地局がＣＵ−ＤＵシステムアーキテクチャおよびＣＰ−ＵＰシステムアーキテクチャをサポートしている場合における、様々なベアラタイプのトラフィックチャージング、電力配分等に特化したものであるが、ＬＴＥおよびＮＲに限定されるものではないことが理解されるべきである。
【０１９０】
本願の実施形態における技術的解決手段は、マルチホップ中継シナリオ、すなわち、ＤＵが中継ノードであり得るシナリオへと更に拡張されてもよく、または、中継デバイスを用いることによって伝送がＤＵと端末デバイスとの間で実行されるシナリオへと更に拡張されてもよいことが更に理解されるべきである。
【０１９１】
図１１は、本願の実施形態による伝送方法１００の概略フローチャートである。図１０に示されるように、伝送方法１００における第１のネットワークノードは、図１における第１のネットワークノードであってもよく、図２におけるＣＵであってもよく、または、図３におけるＳ−ｇＮＢ−ＣＵであってもよく、伝送方法１００における第２のネットワークノードは、図１における第２のネットワークノードであってもよく、図２におけるＣＵであってもよく、または、図３におけるＳ−ｇＮＢ−ＤＵであってもよい。伝送方法１００は、以下のステップを備える。
【０１９２】
Ｓ１１０．第１のネットワークノードは、第４のインタフェースによって、第３の表示情報を第２のネットワークノードに送信し、第２のネットワークノードは、第１のネットワークノードによって送信される第３の表示情報を、第４のインタフェースによって受信し、第３の表示情報は、第２のネットワークノードが第５のインタフェースのダウンリンクトンネルエンドポイント及び／又は第６のインタフェースのダウンリンクトンネルエンドポイントを割り当てることをトリガするよう命令するのに用いられ、第５のインタフェースは、第２のネットワークノードと第３のネットワークノードとの間のインタフェースであり、第６のインタフェースは、第２のネットワークノードとコアネットワークノードとの間のインタフェースであり、第４のインタフェース、第５のインタフェースおよび第６のインタフェースは異なるインタフェースである。
【０１９３】
具体的には、第５のインタフェースのネットワークセグメントが第６のインタフェースのネットワークセグメントと異なると判断する場合、第１のネットワークノードは、第３の表示情報を第２のネットワークノードに送信してもよく、第３の表示情報は、第２のネットワークノードが第５のインタフェースのダウンリンクトンネルエンドポイント及び／又は第６のインタフェースのダウンリンクトンネルエンドポイントを割り当てることをトリガするのに用いられ、第５のインタフェースは、第２のネットワークノードと第３のネットワークノードとの間のインタフェースであり、第６のインタフェースは、第２のネットワークノードとコアネットワークノードとの間のインタフェースであり、第４のインタフェース、第５のインタフェースおよび第６のインタフェースは異なるインタフェースである。
【０１９４】
任意選択で、第３の表示情報は、第２のネットワークノードが、特定のベアラ、特定のセッション、及び／又は、特定のＱｏＳフローに関する、第５のインタフェースのダウンリンクトンネルエンドポイント及び／又は第６のインタフェースのダウンリンクトンネルエンドポイントを割り当てることをトリガするよう命令するのに用いられる。
【０１９５】
第３の表示情報は、Ｆ１  ＡＰメッセージ（例えば、ＵＥコンテキストセットアップ要求、ＵＥコンテキスト修正要求、別の既存Ｆ１  ＡＰメッセージ、または、新しいメッセージ）に保持されてもよく、且つ、第４のインタフェース（例えば、Ｆ１インタフェース）によって、第１のネットワークノードが第２のネットワークノードへと送信してもよいことが理解されるべきである。
【０１９６】
任意選択で、トンネルエンドポイントは、ユーザプレーン上で伝送されるＩＰアドレス、ユーザプレーン上で伝送されるトンネルアドレス（ＧＴＰ  ＴＥＩＤ）のうちの少なくとも１つを含む。
【０１９７】
例えば、図３に示されるように、第１のネットワークノードはＳ−ｇＮＢ−ＣＵであり、第２のネットワークノードはＳ−ｇＮＢ−ＤＵであり、第３のネットワークノードはＭ−ｅＮＢであり、第４のインタフェースはＦ１インタフェースであり、第５のインタフェースはＸ２−Ｕインタフェースであり、第６のインタフェースはＳ１‐Ｕインタフェースである。Ｓ−ｇＮＢ−ＣＵは、ＵＥコンテキストセットアップ要求メッセージをＳ−ｇＮＢ−ＤＵに送信し、ＵＥコンテキストセットアップ要求メッセージは、第３の表示情報を含み、第３の表示情報は、Ｓ−ｇＮＢ−ＤＵに対して、Ｘ２  ＤＬ  ＧＴＰトンネルエンドポイント及び／又はＳ１  ＤＬ  ＧＴＰトンネルエンドポイントを割り当てるよう命令するのに用いられる。具体的には、Ｓ−ｇＮＢ−ＣＵが、Ｆ１インタフェースのネットワークセグメントはＸ２インタフェースのネットワークセグメントと一貫性がない又は別の態様であると判断した場合に、Ｓ−ｇＮＢ−ＣＵはメッセージを送信してもよい。これは、本願において限定されるものではない。
【０１９８】
第３の表示情報は、Ｆ１  ＡＰメッセージ（例えば、ＵＥコンテキストセットアップ要求メッセージ、ＵＥコンテキスト修正要求メッセージ、別の既存Ｆ１  ＡＰメッセージ、または、新しいメッセージであって、本願において限定されるものではない）に保持されてもよく、且つ、第１のネットワークノードが第２のネットワークノードへと送信してもよいことが理解されるべきである。
【０１９９】
任意選択で、第３の表示情報は、第５のインタフェースのアップリンクトンネルエンドポイント及び／又は第６のインタフェースのアップリンクトンネルエンドポイントを含む。
【０２００】
具体的には、第３の表示情報は、第５のインタフェースのアップリンクトンネルエンドポイント及び／又は第６のインタフェースのアップリンクトンネルエンドポイントを保持してもよく、第５のインタフェースのアップリンクトンネルエンドポイント及び／又は第６のインタフェースのアップリンクトンネルエンドポイントは暗示的に、第２のネットワークノードに対して、第５のインタフェースのダウンリンクトンネルエンドポイント及び／又は第６のインタフェースのダウンリンクトンネルエンドポイントを割り当てるよう命令するのに用いられてもよい。
【０２０１】
例えば、図３に示されるように、Ｓ−ｇＮＢ−ＣＵは、Ｘ２  ＵＬ  ＧＴＰトンネルエンドポイント及び／又はＳ１  ＵＬ  ＧＴＰトンネルエンドポイントを、ＵＥコンテキストセットアップ要求メッセージのようなＦ１  ＡＰメッセージに追加する。ＵＥコンテキストセットアップ要求メッセージを受信した後、Ｓ−ｇＮＢ−ＤＵは、Ｘ２  ＤＬ  ＧＴＰトンネルエンドポイント及び／又はＳ１  ＤＬ  ＧＴＰトンネルエンドポイントを、Ｓ−ｇＮＢ−ＣＵへと送信されるＵＥコンテキストセットアップ応答メッセージのようなＦ１  ＡＰメッセージに追加する。Ｆ１  ＡＰメッセージは代替的に、ＵＥコンテキスト修正要求メッセージまたは別の既存のメッセージであってもよい。これは、本願において限定されるものではない。
【０２０２】
任意選択で、第３の表示情報は、第１のベアラと第５のインタフェースとの間のマッピング関係、及び／又は、第２のベアラと第６のインタフェースとの間のマッピング関係を含む。
【０２０３】
具体的には、第３の表示情報は、ベアラとインタフェースとの間のマッピング関係を保持する。第３の表示情報を受信した後、第２のネットワークノードは、ベアラとインタフェースとの間のマッピング関係に基づいて、第１のベアラ用の第５のインタフェースのダウンリンクトンネルエンドポイント、及び／又は、第２のベアラ用の第６のインタフェースのアップリンクトンネルエンドポイントを、第１のネットワークノードにフィードバックされるメッセージへと追加してもよい。フィードバックされるメッセージは、ＵＥコンテキストセットアップ応答メッセージ、ＵＥコンテキスト修正応答メッセージ、別の既存のＦ１  ＡＰメッセージ、または、新しいメッセージであってもよい。これは、本願において限定されるものではない。
【０２０４】
例えば、図３に示されるように、Ｓ−ｇＮＢ−ＣＵは、Ｘ２インタフェースと第１のベアラ（例えば、ＤＲＢ１）との間のマッピング関係、及び／又は、Ｓ１インタフェースと第１のベアラ（例えば、ＤＲＢ２）との間のマッピング関係を、ＵＥコンテキストセットアップ要求メッセージのようなＦ１  ＡＰメッセージに追加し、Ｓ−ｇＮＢ−ＤＵは、Ｘ２  ＤＬ  ＧＴＰトンネルエンドポイント及び／又はＳ１  ＤＬ  ＧＴＰトンネルエンドポイントを、例えば、ＵＥコンテキストセットアップ応答メッセージといった、Ｓ−ｇＮＢ−ＣＵに送信されるＦ１  ＡＰメッセージに追加する。
【０２０５】
任意選択で、第３の表示情報は、第１のベアラのタイプ情報を含む。例えば、第１のベアラがマスタセル分割ベアラ（ＭＣＧ分割ベアラ）であるならば、第３の表示情報は、第２のネットワークノードが第５のインタフェースのダウンリンクトンネルエンドポイントを割り当てることをトリガするよう命令するのに用いられる。別の例について、第１のベアラがセカンダリセルベアラ（ＳＣＧベアラ）であるならば、第３の表示情報は、第２のネットワークノードが第６のインタフェースのダウンリンクトンネルエンドポイントを割り当てることをトリガするよう命令するのに用いられる。上記で説明された第３の表示情報の内容は、単に例に過ぎず、本願はこれに限定されるものではないことが理解されるべきである。例えば、第３の表示情報は代替的に、ビット０またはビット１であってもよい。例えば、第３の表示情報がビット０であるならば、第２のネットワークノードは、第３の表示情報を受信した後に、第５のインタフェースのダウンリンクトンネルアドレスを割り当てる。別の例について、第３の表示情報がビット１であるならば、第２のネットワークノードは、第３の表示情報を受信した後に、第６のインタフェースのダウンリンクトンネルアドレスを割り当てる。
【０２０６】
第３の表示情報は、第１のベアラの構成情報を更に含むことが更に理解されるべきである。例えば、第１のベアラの構成情報は、第１のベアラのベアラ識別子、および、第１のベアラのレベルのサービス品質（ｑｕａｌｉｔｙ  ｏｆ  ｓｅｒｖｉｃｅ、ＱｏＳ）パラメータを含む。代替的に、第１のベアラの構成情報は、第１のベアラに対応するセッション識別子、ＱｏＳフローインジケータ（ＱｏＳ  ｆｌｏｗ  ｉｎｄｉｃａｔｏｒ、ＱＦＩ）、第１ベアラとＱＦＩとの間のマッピング関係、ＱＦＩレベルＱｏＳパラメータ、および、第１のベアラのレベルのＱｏＳパラメータ、のうちの少なくとも１つを含む。
【０２０７】
任意選択で、第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含み、及び／又は、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能、のうちの少なくとも１つを含む。
【０２０８】
任意選択で、第１のネットワークノードのプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、パケットデータ収束プロトコル層、無線リンク制御プロトコル層、媒体アクセス制御層、および、物理層の機能のうちの少なくとも１つである。
【０２０９】
ＳＣＧベアラについて、第１のネットワークノード（ＣＵ）のいくつかのパケットデータ収束プロトコル層（ＰＤＣＰ）機能は、第２のネットワークノード（ＤＵ）へと動かされる必要があることが理解されるべきである。ＰＤＣＰ機能は、暗号化機能であってもよい。第２のネットワークノードの鍵導出処理は、既存の処理と同様であってもよい。より具体的には、鍵を取得した後、最初に、第３のネットワークノード（Ｍ−ｅＮＢ）は、第５のインタフェース（Ｘ２）によって鍵を第１のネットワークノードに送信し、次に、第１のネットワークノードは、第４のインタフェース（Ｆ１）メッセージを用いることによって、鍵を第２のネットワークノードに送信する。具体的には、Ｆ１メッセージは、ＵＥコンテキストセットアップ要求メッセージ、ＵＥコンテキストセットアップ応答メッセージ、別の既存のメッセージ、または、新しいメッセージであってもよい。これは、本願において限定されるものではない。
【０２１０】
任意選択で、第１のネットワークノードが第４のインタフェースによって第３の表示情報を第２のネットワークノードに送信するＳ１１０の前に、伝送方法１００は以下のステップを更に備える。
【０２１１】
Ｓ１０１．第３のネットワークノードは、第１の要求メッセージを第１のネットワークノードに送信し、第１のネットワークノードは、第３のネットワークノードによって送信される第１の要求メッセージを受信し、第１の要求メッセージは、無線リソースを第１のベアラに割り当てることを要求するのに用いられる。
【０２１２】
第１の要求メッセージは、Ｓ−ｇＮＢ追加要求メッセージ、Ｓ−ｇＮＢ修正確認メッセージ、Ｓ−ｇＮＢ修正要求メッセージ、別の既存のＸ２  ＡＰメッセージ、または、新しいメッセージであってもよいことが理解されるべきである。これは、本願において限定されるものではない。
【０２１３】
具体的には、第３のネットワークノードは、第１のベアラの無線リソースを第１のネットワークノードから要求すると判断する。第１の要求メッセージは、ベアラ及び／又はセッションパラメータ（例えば、ＥＲＡＢ  ＩＤ、無線ベアラ識別子、ベアラレベルＱｏＳパラメータ、データパケットセッション識別子（ＰＤＵセッションＩＤ）、ＱｏＳフローインジケータ（ＱｏＳ  ｆｌｏｗ  ｉｎｄｉｃａｔｏｒ、ＱＦＩ）、ベアラとＱＦＩとの間のマッピング関係、または、ＱＦＩレベルＱｏＳパラメータ、のうちの少なくとも１つ）を含む第１のベアラの特性、および、ベアラタイプに対応するトランスポートネットワーク層（Ｔｒａｎｓｐｏｒｔ  Ｎｅｔｗｏｒｋ  Ｌａｙｅｒ、ＴＮＬ）アドレス情報を有してもよい。
【０２１４】
任意選択で、第３のネットワークノードは、最新の測定結果を第１のネットワークノードに提供してもよい。
【０２１５】
任意選択で、第１のベアラはＭＣＧ分割ベアラであり、第１の要求メッセージは、第５のインタフェースのアップリンクトンネルエンドポイントを保持する。
【０２１６】
例えば、図３に示されるように、ＭＣＧ分割ベアラについて、Ｍ−ｅＮＢは、Ｓ−ｇＮＢ追加要求メッセージをＳ−ｇＮＢ−ＣＵに送信してもよく、Ｓ−ｇＮＢ追加要求メッセージにおけるＴＮＬアドレスはＸ２  ＵＬ  ＧＴＰトンネルエンドポイントであり、ＴＮＬアドレスは、アップリンクデータ伝送の宛先アドレスを示すのに用いられる。
【０２１７】
任意選択で、第１のベアラはＳＣＧベアラであり、第１の要求メッセージは第６のインタフェースのアップリンクトンネルエンドポイントを保持する。
【０２１８】
例えば、図３に示されるように、ＳＣＧベアラについて、Ｍ−ｅＮＢは、Ｓ−ｇＮＢ追加要求メッセージをＳ−ｇＮＢ−ＣＵに送信してもよく、Ｓ−ｇＮＢ追加要求メッセージにおけるＴＮＬアドレスはＳ１  ＵＬ  ＧＴＰトンネルエンドポイントであり、ＴＮＬアドレスは、アップリンクデータ伝送の宛先アドレスを示すのに用いられる。
【０２１９】
任意選択で、第１のネットワークノードは、第１のベアラのタイプに基づいて、第３の表示情報を第２のネットワークノードに送信してもよい。
【０２２０】
例えば、第１のベアラがＭＣＧ分割ベアラであるならば、第３の表示情報は、第２のネットワークノードが第５のインタフェースのダウンリンクトンネルエンドポイントを割り当てることをトリガするよう命令するのに用いられる。
【０２２１】
別の例について、第１のベアラがＳＣＧベアラであるならば、第３の表示情報は、第２のネットワークノードが第６のインタフェースのダウンリンクトンネルエンドポイントを割り当てることをトリガするよう命令するのに用いられる。
【０２２２】
Ｓ１２０．第２のネットワークノードは、第１２のメッセージを第１のネットワークノードに送信し、第１のネットワークノードは、第２のネットワークノードによって送信される第１２のメッセージを受信し、第１２のメッセージは第５のインタフェースのダウンリンクトンネルエンドポイント、及び／又は、第６のインタフェースのダウンリンクトンネルエンドポイントを含む。
【０２２３】
任意選択で、第１２のメッセージは、第１のネットワークノードによって要求される特定のベアラ上で、第５のインタフェースのダウンリンクトンネルエンドポイント、及び／又は、第６のインタフェースのトンネルエンドポイントを含む。
【０２２４】
具体的には、ＭＣＧ分割ベアラについて、Ｓ１１０の第３の表示情報が、第２のネットワークノードに対して、第５のインタフェースのダウンリンクトンネルエンドポイントを割り当てるよう命令するのに用いられるならば、第２のネットワークノードは、第５のインタフェースのダウンリンクトンネルアドレスを割り当て、または、Ｓ１１０の第３の表示情報が、第２のネットワークノードに対して、ダウンリンクトンネルエンドポイントを第５のインタフェースの特定のベアラに割り当てるよう命令するのに用いられるならば、第２のネットワークノードは、ダウンリンクトンネルアドレスを、第５のインタフェースの特定のベアラに割り当てる。ＳＣＧベアラについて、Ｓ１１０の第３の表示情報が、第２のネットワークノードに対して、第６のインタフェースのダウンリンクトンネルエンドポイントを割り当てるよう命令するのに用いられるならば、第２のネットワークノードは、第６のインタフェースのダウンリンクトンネルアドレスを割り当て、または、Ｓ１１０の第３の表示情報が、第２のネットワークノードに対して、第６のインタフェースのダウンリンクトンネルエンドポイントを特定のベアラに割り当てるよう命令するのに用いられるならば、第２のネットワークノードは、第６のインタフェースのダウンリンクトンネルアドレスを、特定のベアラに割り当てる。
【０２２５】
第１２のメッセージは、ＵＥコンテキストセットアップ応答メッセージ、ＵＥコンテキスト修正メッセージ、別の既存のＦ１  ＡＰメッセージ、または、新しいメッセージであってもよいことが理解されるべきである。これは、本願において限定されるものではない。
【０２２６】
例えば、図３に示されるように、Ｓ−ｇＮＢ−ＤＵは、ＵＥコンテキストセットアップ応答メッセージをＳ−ｇＮＢ−ＣＵに送信し、ＵＥコンテキストセットアップ応答メッセージは、Ｘ２  ＤＬ  ＧＴＰトンネルエンドポイント及び／又はＳ１  ＤＬ  ＧＴＰトンネルエンドポイントを保持する。
【０２２７】
第１のネットワークノードが、第１の要求メッセージにおいて、無線リソースをＭＣＧ分割ベアラおよびＳＣＧベアラに割り当てることを要求し得るならば、第３の表示情報は、第２のネットワークノードに対して、第５のインタフェースのダウンリンクトンネルエンドポイント、及び／又は、第６のインタフェースのトンネルエンドポイントを割り当てるよう命令するのに用いられることが理解されるべきである。
【０２２８】
Ｓ１３０．第１のネットワークノードは、第１の要求確認メッセージを第３のネットワークノードに送信し、第３のネットワークノードは、第１のネットワークノードによって送信される第１の要求確認メッセージを受信し、第１の要求確認メッセージは、第５のインタフェースのダウンリンクトンネルエンドポイント、及び／又は、第６のインタフェースのダウンリンクトンネルエンドポイントを含む。
【０２２９】
第１の要求確認メッセージは、Ｓ−ｇＮＢ追加要求確認メッセージ、Ｓ−ｇＮＢ修正必要メッセージ、Ｓ−ｇＮＢ修正要求確認メッセージ、別の既存のＸ２  ＡＰメッセージ、または、新しいメッセージであってもよいことが理解されるべきである。これは、本願において限定されるものではない。
【０２３０】
具体的には、第２のネットワークノードによって送信される第１２のメッセージを受信した後、第１のネットワークノードは、第１の要求確認メッセージを第３のネットワークノードに送信する。第１の要求確認メッセージは、第５のインタフェースのダウンリンクトンネルエンドポイント、及び／又は、第６のインタフェースのトンネルエンドポイントを含む。
【０２３１】
例えば、図３に示されるように、Ｓ−ｇＮＢ−ＣＵは、Ｓ−ｇＮＢ追加要求確認メッセージをＭ−ｅＮＢに送信し、Ｓ−ｇＮＢ追加要求確認メッセージは、Ｘ２  ＤＬ  ＧＴＰトンネルエンドポイント及び／又はＳ１  ＤＬ  ＧＴＰトンネルエンドポイントを保持する。
【０２３２】
Ｓ−ｇＮＢ追加要求確認メッセージがＳ１  ＤＬ  ＧＴＰトンネルエンドポイントを保持するならば、Ｓ−ｇＮＢ追加要求確認メッセージを受信した後、Ｍ−ｅＮＢは更に、メッセージをコアネットワークに送信することを必要とし、当該メッセージは、Ｓ１  ＤＬ  ＧＴＰトンネルエンドポイントを保持し、これにより、コアネットワークはダウンリンクデータをＳ−ｇＮＢ−ＤＵに送信することが理解されるべきである。トンネルエンドポイントは、ベアラと１対１の対応関係にあってもよいことに留意すべきである。詳細については、既存のＬＴＥおよびＮＲ技術を参照されたい。簡潔さのため、詳細は本明細書において説明しない。
【０２３３】
本願の本実施形態における伝送方法によれば、第２のネットワークノードは、第５のインタフェースのダウンリンクトンネルアドレス、及び／又は、第６のインタフェースのダウンリンクトンネルアドレスを割り当て、これにより、マスタ基地局は、データをセカンダリ基地局ＤＵに直接伝送し、または、コアネットワークは、データをセカンダリ基地局ＤＵに直接伝送する。
【０２３４】
図１２は、本願の実施形態による伝送方法２００の概略フローチャートである。図１２に示されるように、方法２００におけるユーザプレーンノードは、図７におけるＳＮ−ＵＰであってもよく、制御プレーンノードは、図７におけるＳＮ−ＣＰであってもよく、第２のネットワークノードは、図７におけるＤＵであってもよく、第３のネットワークノードは、図７におけるＭＮであってもよく、コアネットワークノードは、図７におけるＵＰＦであってもよい。伝送方法２００は、以下のステップを備える。
【０２３５】
Ｓ２１０．ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを判断し、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースである。
【０２３６】
Ｓ２２０．ユーザプレーンノードは、第１のメッセージを制御プレーンノードに送信し、制御プレーンノードは、ユーザプレーンノードによって送信される第１のメッセージを受信し、第１のメッセージは、第１のインタフェースのアップリンクトンネルエンドポイント、第２のインタフェースのアップリンクトンネルエンドポイント、および、第３のインタフェースのダウンリンクトンネルエンドポイントを含む。
【０２３７】
Ｓ２３０．制御プレーンノードは、第２のメッセージを第２のネットワークノードに送信し、第２のネットワークノードは、制御プレーンノードによって送信される第２のメッセージを受信し、第２のメッセージは、第１のインタフェースのアップリンクトンネルエンドポイントを含む。
【０２３８】
Ｓ２４０．制御プレーンノードは、第３のメッセージを第３のネットワークノードに送信し、第３のネットワークノードは、制御プレーンノードによって送信される第３のメッセージを受信し、第３のメッセージは、第２のインタフェースのアップリンクトンネルエンドポイント、および、第３のインタフェースのダウンリンクトンネルエンドポイントを含む。
【０２３９】
Ｓ２３０とＳ２４０との間には、実際のシーケンスは１つもないことが理解されるべきである。
【０２４０】
第１のメッセージは、ＵＥベアラセットアップ応答メッセージ、ＵＥベアラ修正応答メッセージ、ＵＥベアラ修正必要メッセージ、別の既存のＥ１  ＡＰメッセージ、または、新しいメッセージのようなＥ１  ＡＰメッセージであってもよいことが理解されるべきである。これは、本願において限定されるものではない。
【０２４１】
第２のメッセージは、ＵＥコンテキストセットアップ要求メッセージ、ＵＥコンテキスト修正要求メッセージ、ＵＥコンテキスト修正確認メッセージ、別の既存のＦ１  ＡＰメッセージ、または、新しいメッセージのようなＦ１  ＡＰメッセージであってもよいことが理解されるべきである。これは、本願において限定されるものではない。
【０２４２】
第３のメッセージは、Ｓ−ｇＮＢ追加要求確認メッセージ、Ｓ−ｇＮＢ修正要求確認メッセージ、Ｓ−ｇＮＢ修正必要メッセージ、別の既存のＸ２  ＡＰメッセージ、または、新しいメッセージのようなＸ２  ＡＰメッセージであってもよいことが理解されるべきである。これは、本願において限定されるものではない。
【０２４３】
任意選択で、Ｓ２１０からＳ２４０におけるトンネルエンドポイントは、特定のベアラ、特定のセッション、及び／又は、特定のＱｏＳフロー、のトンネルエンドポイントである。具体的には、ユーザプレーンノードは、特定のベアラ、特定のセッション、及び／又は、特定のＱｏＳフロー、に関する、第１のインタフェースのアップリンクトンネルエンドポイント、第２のインタフェースのアップリンクトンネルエンドポイント、および、第３のインタフェースのダウンリンクトンネルエンドポイントを判断する。任意選択で、ユーザプレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含み、及び／又は、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能、のうちの少なくとも１つを含む。
【０２４４】
制御プレーンノードおよびユーザプレーンノードのプロトコルスタックアーキテクチャは同じであることが理解されるべきである。すなわち、ユーザプレーンノードおよび制御プレーンノードはそれぞれ、無線リソース制御プロトコル層の機能、サービスデータアダプテーションプロトコル層の機能、および、パケットデータ収束プロトコル層の機能、のうちの少なくとも１つを含み、無線リソース制御プロトコル層、サービスデータアダプテーション層、および、パケットデータ収束プロトコル層はそれぞれ、ユーザプレーンおよび制御プレーンを有する。
【０２４５】
制御プレーンノードおよびユーザプレーンノードは、同じシステムまたは異なるシステムに属してもよいことが理解されるべきである。例えば、ユーザプレーンノードおよび制御プレーンノードが第１のシステムに属するならば、制御プレーンノードは、第１のシステムの制御プレーンノードであり、ユーザプレーンノードは第１のシステムのユーザプレーンノードであり、第１のシステムは、図１における第１のネットワークノードまたは図２におけるＣＵであってもよい。
【０２４６】
具体的には、ユーザプレーンノードは、第１のインタフェースのアップリンクトンネルエンドポイント、第２のインタフェースのアップリンクトンネルエンドポイント、および、第３のインタフェースのダウンリンクトンネルエンドポイントを割り当て、第１のインタフェースのアップリンクトンネルエンドポイント、第２のインタフェースのアップリンクトンネルエンドポイント、および、第３のインタフェースのダウンリンクトンネルエンドポイントを、制御プレーンノードに送信されることになる第１のメッセージに追加する。第１のメッセージを受信した後、制御プレーンノードは、第２のメッセージを第２のネットワークノードに送信し、第３のメッセージを第３のネットワークノードに送信し、第２のメッセージは、第１のインタフェースのアップリンクトンネルエンドポイントを含み、第３のメッセージは、第２のインタフェースのアップリンクトンネルエンドポイント、および、第３のインタフェースのダウンリンクトンネルエンドポイントを含む。
【０２４７】
任意選択で、第１のインタフェースのアップリンクトンネルエンドポイント、第２のインタフェースのアップリンクトンネルエンドポイント、および、第３のインタフェースのダウンリンクトンネルエンドポイントは異なる。
【０２４８】
任意選択で、第１のインタフェースのアップリンクトンネルエンドポイント、第２のインタフェースのアップリンクトンネルエンドポイント、および、第３のインタフェースのダウンリンクトンネルエンドポイントの少なくともいくつかは、同じである。
【０２４９】
第１のインタフェース、第２のインタフェース、および、第３のインタフェースのネットワークセグメントは、一貫性がなくてもよい（例えば、いくつかは内部ネットワークであり、いくつかは外部ネットワークである）ことが理解されるべきである。この場合、第１のインタフェースのアップリンクトンネルエンドポイント、第２のインタフェースのアップリンクトンネルエンドポイント、および、第３のインタフェースのダウンリンクトンネルエンドポイントは異なる。
【０２５０】
第１のインタフェース、第２のインタフェース、および、第３のインタフェースのネットワークセグメントが一致するならば、第１のインタフェースのアップリンクトンネルエンドポイント、第２のインタフェースのアップリンクトンネルエンドポイント、および、第３のインタフェースのダウンリンクトンネルエンドポイントは同じであることが更に理解されるべきである。
【０２５１】
例えば、図７に示されるように、第１のインタフェースはＦ１インタフェースであり、第２のインタフェースはＸ２インタフェースであり（又はＸｎインタフェースであり、Ｘ２インタフェースは、以下の説明のための例として用いられる）、第３のインタフェースはＳ１インタフェースである。
【０２５２】
別の例について、図７に示されるように、第１のインタフェースのアップリンクトンネルエンドポイントはＦ１  ＵＬ  ＧＴＰトンネルエンドポイントであり、第１のインタフェースのダウンリンクトンネルエンドポイントはＦ１  ＤＬ  ＧＴＰトンネルエンドポイントであり、第２のインタフェースのアップリンクトンネルエンドポイントはＸ２  ＵＬ  ＧＴＰトンネルエンドポイントであり、第２のインタフェースのダウンリンクトンネルエンドポイントはＸ２  ＤＬ  ＧＴＰトンネルエンドポイントであり、第３のインタフェースのアップリンクトンネルアドレスはＳ１  ＵＬ  ＧＴＰトンネルエンドポイントであり、第３のインタフェースのダウンリンクトンネルアドレスはＳ１  ＤＬ  ＧＴＰトンネルエンドポイントである。トンネルエンドポイントは、ベアラ、セッション及び／又はＱｏＳフローと１対１の対応関係にあってもよいことが理解されるべきである。
【０２５３】
別の例について、図７に示されるように、ＳＮ−ＵＰは最初に、Ｆ１  ＵＬ  ＧＴＰトンネルエンドポイント、Ｘ２  ＵＬ  ＧＴＰトンネルエンドポイントおよびＳ１  ＤＬ  ＧＴＰトンネルエンドポイントを割り当てる。ＳＮ−ＵＰによってＳＮ−ＣＰに送信されるＥ１  ＡＰメッセージ（例えばＵＥベアラセットアップ応答メッセージ）は、Ｆ１  ＵＬ  ＧＴＰトンネルエンドポイント、Ｘ２  ＵＬ  ＧＴＰトンネルエンドポイント、および、Ｓ１  ＤＬ  ＧＴＰトンネルエンドポイントを保持する。ＵＥベアラセットアップ応答メッセージを受信した後、ＳＮ−ＣＰは、Ｆ１  ＡＰメッセージ（例えばＵＥコンテキストセットアップ要求メッセージ）をＤＵに送信し、ＵＥコンテキストセットアップ要求メッセージは、Ｆ１  ＵＬ  ＧＴＰトンネルエンドポイントを保持する。ＳＮ−ＣＰは、Ｘ２  ＡＰメッセージ（例えばＳｇＮＢ追加要求確認メッセージ）をＭＮに送信し、ＳｇＮＢ追加要求確認メッセージは、Ｘ２  ＵＬ  ＧＴＰトンネルエンドポイントおよびＳ１  ＤＬ  ＧＴＰトンネルエンドポイントを保持する。トンネルエンドポイントは、ベアラ、セッション及び／又はＱｏＳフローと１対１の対応関係にあってもよいことが理解されるべきである。
【０２５４】
任意選択で、第１のメッセージは更に表示情報を保持してもよく、表示情報は、トンネルエンドポイントとインタフェースとの間の対応関係を示すのに用いられ、例えば、制御プレーンノードに対して、第１のインタフェースのアップリンクトンネルエンドポイントが第１のインタフェースのために用いられることを示すのに用いられ、及び／又は、制御プレーンノードに対して、第２のインタフェースのアップリンクトンネルエンドポイントが第２のインタフェースのために用いられることを示すのに用いられ、及び／又は、制御プレーンノードに対して、第３のインタフェースのダウンリンクトンネルエンドポイントが第３のインタフェースのために用いられることを示すのに用いられる。
【０２５５】
任意選択で、第３のメッセージは更に表示情報を保持し、表示情報は、トンネルエンドポイントとインタフェースとの間の対応関係を示すのに用いられ、例えば、第３のネットワークノードに対して、第２のインタフェースのアップリンクトンネルエンドポイントが第２のインタフェースのために用いられることを示すのに用いられ、及び／又は、第３のネットワークノードに対して、第３のインタフェースのダウンリンクトンネルエンドポイントが、第３のネットワークノードのために用いられることを示すのに用いられる。
【０２５６】
任意選択で、データ転送がサポートされているならば、第３のメッセージは更に、Ｘ２インタフェースのデータ転送（ｄａｔａ  ｆｏｒｗａｒｄｉｎｇ）アドレスを保持し、第２のメッセージは更に、Ｆ１インタフェースのデータ転送アドレスを保持する。アドレスは、制御プレーンノードまたはユーザプレーンノードによって割り当てられてもよい。同様に、アドレスがユーザプレーンノードによって割り当てられるならば、アドレスは、Ｓ２２０またはＳ２３３において、制御プレーンノードに送信されてもよい。
【０２５７】
具体的には、Ｘ２インタフェースのデータ転送アドレスは、ダウンリンクデータ転送アドレスおよびアップリンクデータ転送アドレス（例えば、Ｘ２伝送ベアラがダウンリンクデータパケットＰＤＵを転送するのに用いられることを示すＤＬ転送Ｘ２  ＧＴＰトンネルエンドポイント、および、Ｘ２伝送ベアラがアップリンクデータパケットＰＤＵを転送するのに用いられることを示すＵＬ転送Ｘ２  ＧＴＰトンネルエンドポイント）を含む。Ｆ１インタフェースのデータ転送アドレスは、ダウンリンクデータ転送アドレスおよびアップリンクデータ転送アドレス（例えば、Ｆ１伝送ベアラがダウンリンクデータパケットＰＤＵを転送するのに用いられることを示すＤＬ転送Ｆ１  ＧＴＰトンネルエンドポイント、および、Ｆ１伝送ベアラがアップリンクデータパケットＰＤＵを転送するのに用いられることを示すＵＬ転送Ｆ１  ＧＴＰトンネルエンドポイント）を含む。転送アドレスはＧＴＰトンネルエンドポイント（伝送ＩＰアドレスおよびＴＥＩＤを含む）である。Ｘ２インタフェースのデータ転送アドレスおよびＦ１インタフェースのデータ転送アドレスは複数のベアラと１対１の対応関係にあってもよいことに留意すべきである。
【０２５８】
任意選択で、データ転送がサポートされているならば、データ転送アドレスは制御プレーンノードによって割り当てられ、代替的に、Ｘ２インタフェースのデータ転送アドレスは、Ｅ１  ＡＰメッセージにおいて保持されて且つ制御プレーンノードによってユーザプレーンノードに送信されてもよく、Ｆ１インタフェースのデータ転送アドレスは、Ｅ１  ＡＰメッセージに保持されて且つ制御プレーンノードによってユーザプレーンノードに送信されてもよい。任意選択で、データ転送がサポートされているならば、データ転送アドレスは、制御プレーンノードによって割り当てられ、制御プレーンノードによってユーザプレーンノードに送信されるＥ１  ＡＰメッセージは表示情報を保持し、表示情報は、データ転送アドレスとインタフェースとの間の対応関係を示すのに用いられる。
【０２５９】
任意選択で、データ転送がサポートされているならば、データ転送アドレスは、ユーザプレーンノードによって割り当てられ、ユーザプレーンノードによって制御プレーンノードに送信されるＥ１  ＡＰメッセージは表示情報を保持し、表示情報は、データ転送アドレスとインタフェースとの間の対応関係を示すのに用いられる。
【０２６０】
任意選択で、データ転送がサポートされているならば、データ転送アドレスは制御プレーンノードによって割り当てられ、代替的に、Ｆ１インタフェースのデータ転送アドレスは、Ｆ１  ＡＰメッセージにおいて保持されて且つ制御プレーンノードによって第２のネットワークノードに送信されてもよく、または、Ｆ１インタフェースのデータ転送アドレスは、Ｅ１  ＡＰメッセージに保持されて且つ制御プレーンノードによってユーザプレーンノードに送信されてもよい。
【０２６１】
任意選択で、データ転送がサポートされていて、且つ、データ転送アドレスがユーザプレーンノードによって割り当てられるならば、制御プレーンノードがデータ転送アドレスを受信する前に、制御プレーンノードは、データ転送命令をユーザプレーンノードに送信し、データ転送命令は、ユーザプレーンノードに対して、ダウンリンクデータパケットを転送するよう命令するのに用いられ、すなわち、ユーザプレーンノードに対して、データ転送用にデータ転送アドレス（例えば、Ｘ２インタフェースのデータ転送アドレスおよびＦ１インタフェースのデータ転送アドレス）を割り当てるよう命令するのに用いられる。更に代替的に、データ転送命令は、ユーザプレーンノードに対して、特定のベアラのダウンリンクデータパケットを転送するよう命令するのに用いられてもよく、すなわち、ユーザプレーンノードに対して、特定のベアラのデータ転送用の特定のベアラのデータ転送アドレス（例えば、特定のベアラ用のＸ２インタフェースのデータ転送アドレスおよび特定のベアラ用のＦ１インタフェースのデータ転送アドレス）を割り当てるよう命令するのに用いられてもよい。
【０２６２】
伝送方法２００は、マスタ基地局がＬＴＥ  ｅＮＢ（Ｍ−ｅＮＢ、Ｍａｓｔｅｒ  ｅＮＢ）であって、セカンダリ基地局がＮＲにおけるｇＮＢ−ＣＵ−ＣＰである例を用いることによって説明されることが理解されるべきである。マスタ基地局がＮＲ  ｇＮＢであってセカンダリ基地局がＬＴＥ  ＣＰ−ＵＰであるアーキテクチャ、マスタ基地局がＮＲ  ｇＮＢであってセカンダリ基地局がＮＲ  ＣＰ−ＵＰであるアーキテクチャ、または、マスタ基地局がＬＴＥ  ｅＮＢであってセカンダリ基地局がＬＴＥ  ＣＰ−ＵＰであるアーキテクチャに対してもまた、方法は適用可能である。
【０２６３】
任意選択で、方法２００は更に、以下のステップを備える。
【０２６４】
Ｓ２０１．第３のネットワークノードは、第２の要求メッセージを制御プレーンノードに送信し、制御プレーンノードは、第３のネットワークノードによって送信される第２の要求メッセージを受信し、第２の要求メッセージは、制御プレーンノードに対して、無線リソースを第２のベアラに割り当てることを要求するのに用いられる。
【０２６５】
任意選択で、第２のベアラのタイプは、セカンダリセル分割ベアラ（ＳＣＧ分割ベアラ）である。
【０２６６】
任意選択で、第２の要求メッセージは、第２のインタフェースのダウンリンクトンネルエンドポイント、及び／又は、第３のインタフェースのアップリンクトンネルエンドポイントを含む。
【０２６７】
任意選択で、第２の要求メッセージは、ベアラパラメータ及び／又はセッションパラメータを含み、ベアラパラメータは、ベアラ識別子ＥＲＡＢ  ＩＤおよびベアラレベルＱｏＳパラメータのうちの少なくとも１つを含み、セッションパラメータは、セッション識別子、ＱｏＳフローインジケータ（ＱｏＳ  ｆｌｏｗ  ｉｎｄｉｃａｔｏｒ、ＱＦＩ）、ベアラ識別子、ベアラとＱＦＩとの間のマッピング関係、ＱＦＩレベルＱｏＳパラメータ、および、ベアラレベルＱｏＳパラメータのうちの少なくとも１つを含む。
【０２６８】
任意選択で、第２の要求メッセージは、データ転送命令を含み、例えば、特定のベアラ用のデータ転送命令（例えばＤＬ転送）、特定のＱｏＳフロー（ＱｏＳ  ｆｌｏｗ）用のデータ転送命令、または、特定のセッション用のデータ転送命令を含む。
【０２６９】
任意選択で、第２の要求メッセージは、第３のネットワークノードの最新の測定結果を保持する。
【０２７０】
任意選択で、第２の要求メッセージは、セカンダリ基地局追加要求メッセージ（例えばＳｇＮＢ追加要求メッセージ）またはセカンダリ基地局修正要求メッセージ（例えばＳｇＮＢ修正要求メッセージ）のようなメッセージであってもよく、若しくは、別の既存のＸ２  ＡＰメッセージまたは新しいメッセージであってもよい。これは、本願において限定されるものではない。
【０２７１】
例えば、図７に示されるように、ＳＮ−ＣＰが第１の表示情報をＳＮ−ＵＰに送信する前に、ＭＮはＸ２  ＡＰメッセージ（例えばＳｇＮＢ追加要求メッセージ）をＳＮ−ＣＰに送信し、ＳｇＮＢ追加要求メッセージは、Ｘ２  ＤＬ  ＧＴＰトンネルエンドポイントと、Ｓ１  ＵＬ  ＧＴＰトンネルエンドポイントと、ＥＲＡＢ  ＩＤ、ＥＲＡＢ−レベルＱｏＳパラメータ、データパケットセッション識別子（ＰＤＵセッションＩＤ）、ＱｏＳフローインジケータ（ＱｏＳ  ｆｌｏｗ  ｉｎｄｉｃａｔｏｒ、ＱＦＩ）、（ＥＲＡＢ  ＩＤおよびＤＲＢＩＤのような）ベアラとＱＦＩとの間のマッピング関係、ＱＦＩレベルＱｏＳパラメータ、および、ベアラレベルＱｏＳパラメータのうちの少なくとも１つとを保持する。
【０２７２】
Ｓ２０２．制御プレーンノードは、第１の表示情報をユーザプレーンノードに送信し、ユーザプレーンノードは、制御プレーンノードから第１の表示情報を受信する。
【０２７３】
第１の表示情報は、制御プレーンノードによって要求されるベアラタイプがセカンダリセル分割ベアラであることを示すのに用いられ、または、第１の表示情報は、ユーザプレーンノードに対して、第１のインタフェースのアップリンクトンネルエンドポイント、第２のインタフェースのアップリンクトンネルエンドポイント、および、第３のインタフェースのダウンリンクトンネルエンドポイントを割り当てるよう命令するのに用いられ、または、第１の表示情報は、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含み、または、第１の表示情報は、以下の複数のこと、すなわち、ユーザプレーンノードがパケットデータ収束プロトコル層の機能を有することを必要とされること、ユーザプレーンノードがマスタセルリソース構成を有することを必要とされること、または、ユーザプレーンノードがセカンダリセルリソース構成を有することを必要とされること、のうちの少なくとも１つを示すのに用いられる。
【０２７４】
第１の表示情報は、ＰＤＣＰ機能が存在するかどうかを示してもよく、ＭＣＧ構成が存在するかどうかを示してもよく、または、ＳＣＧ構成が存在するかどうかを示してもよく、例えば、ＰＤＣＰ機能が存在する（例えば、ＣＵ−ＵＰのリソース構成におけるＰＤＣＰ機能用の値が「ｐｒｅｓｅｎｔ」または「ｎｏｔ  ｐｒｅｓｅｎｔ」に設定され、ＣＵ−ＣＰのリソース構成におけるＭＣＧ構成用の値が「ｐｒｅｓｅｎｔ」または「ｎｏｔ  ｐｒｅｓｅｎｔ」に設定され、ＣＵ−ＵＰのリソース構成におけるＳＣＧ構成用の値が「ｐｒｅｓｅｎｔ」または「ｎｏｔ  ｐｒｅｓｅｎｔ」に設定される）かどうかを示してもよいことが理解されるべきである。
【０２７５】
具体的には、ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを割り当てる前に、制御プレーンノードは、第１の表示情報をユーザプレーンノードに送信してもよく、第１の表示情報は、明示的に又は暗示的に、ユーザプレーンノードに対して、第１のインタフェースのアップリンクトンネルエンドポイント、第２のインタフェースのアップリンクトンネルエンドポイント、および、第３のインタフェースのダウンリンクトンネルエンドポイントを割り当てるよう命令するのに用いられてもよい。
【０２７６】
任意選択で、第１の表示情報は、Ｅ１  ＡＰメッセージ（例えば、ＵＥベアラセットアップ要求メッセージまたはＵＥベアラ修正要求メッセージ）、別の既存のＥ１  ＡＰメッセージ、または、新しいメッセージにおいて保持される。これは、本願において限定されるものではない。
【０２７７】
任意選択で、Ｅ１  ＡＰメッセージ（例えばＵＥベアラセットアップ要求メッセージ）は、第２のインタフェースのダウンリンクトンネルエンドポイント、及び／又は、第３のインタフェースのアップリンクトンネルエンドポイントを含む。
【０２７８】
任意選択で、Ｅ１  ＡＰメッセージは、データ転送命令（例えばＤＬ転送）、または、特定のベアラ用のデータ転送命令を含む。
【０２７９】
任意選択で、Ｅ１  ＡＰメッセージは、セキュリティ構成、ＳＤＡＰ構成およびＰＤＣＰ構成のうちの少なくとも１つを含む。
【０２８０】
任意選択で、Ｅ１  ＡＰメッセージは、ベアラ及び／又はセッションパラメータを含み、例えば、データパケットセッション識別子（ＰＤＵセッションＩＤ）、ＱｏＳフローインジケータ（ＱｏＳ  ｆｌｏｗ  ｉｎｄｉｃａｔｏｒ、ＱＦＩ）、ベアラ識別子（ＥＲＡＢ  ＩＤ、ＤＲＢＩＤ等）、ベアラとＱＦＩとの間のマッピング関係、ＱＦＩレベルＱｏＳパラメータ、および、ベアラレベルＱｏＳパラメータのうちの少なくとも１つを含む。
【０２８１】
任意選択で、Ｅ１  ＡＰメッセージは、ＱＦＩレベルＱｏＳパラメータ、及び／又は、ベアラレベルＱｏＳ（サービス品質、Ｑｕａｌｉｔｙ  ｏｆ  ｓｅｒｖｉｃｅ）パラメータを含む。具体的には、第１の表示情報が、制御プレーンノードによって必要とされるベアラタイプがセカンダリセル分割ベアラであることを示すのに用いられるシナリオにおいて、ＱｏＳパラメータはベアラレベルＱｏＳパラメータを含み、第１の表示情報が、以下のこと：ユーザプレーンノードがパケットデータ収束プロトコル層の機能を有するために必要とされること、ユーザプレーンノードがマスタセルリソース構成を有するために必要とされること、または、ユーザプレーンノードがセカンダリセルリソース構成を有するために必要とされること、のうちの少なくとも１つを示すのに用いられるシナリオにおいて、ＱｏＳパラメータは、ベアラレベルＱｏＳパラメータ、ＭＣＧによって保持されることができる最大ベアラレベルＱｏＳパラメータ、および、ＳＣＧによって保持されることができる最大ベアラレベルＱｏＳパラメータのうちの少なくとも１つを含む。具体的には、ＱｏＳパラメータは具体的には、ＱＣＩ（ＱｏＳクラス識別子、ＱｏＳ  ｃｌａｓｓ  ｉｄｅｎｔｉｆｉｅｒ）、割り当て及び保持プライオリティ（ａｌｌｏｃａｔｉｏｎ  ａｎｄ  ｒｅｔｅｎｔｉｏｎ ｐｒｉｏｒｉｔｙ）、および、保証ビットレートＱｏＳ情報（ＧＢＲ  ＱｏＳ情報）、のうちの少なくとも１つを含む。
【０２８２】
例えば、図７に示されるように、ＳＮ−ＣＰは、Ｅ１  ＡＰメッセージ（例えばＵＥベアラセットアップ要求メッセージ）をＳＮ−ＵＰに送信し、ＵＥベアラセットアップ要求メッセージは、第１の表示情報を保持してもよい。
【０２８３】
任意選択で、方法２００は更に、以下のステップを備える。
【０２８４】
Ｓ２３１．第２のネットワークノードは、第４のメッセージを制御プレーンノードに送信し、制御プレーンノードは、第２のネットワークノードによって送信される第４のメッセージを受信し、第４のメッセージは、第１のインタフェースのダウンリンクトンネルエンドポイントを含む。
【０２８５】
第４のメッセージはＦ１  ＡＰメッセージであってもよく、例えば、ＵＥコンテキストセットアップ要求メッセージ、ＵＥコンテキスト修正要求メッセージ、既存のＦ１  ＡＰメッセージ、または、新しいＦ１  ＡＰメッセージであってもよいことが理解されるべきである。これは、本願において限定されるものではない。
【０２８６】
例えば、図７に示されるように、ＤＵは、ＳＮ−ＣＰによって送信されるＵＥコンテキストセットアップ要求メッセージを受信し、ＤＵは、Ｆ１  ＡＰメッセージ（例えばＵＥコンテキストセットアップ応答メッセージ）をＳＮ−ＣＰに返送し、ＵＥコンテキストセットアップ応答メッセージはＦ１  ＤＬ  ＧＴＰトンネルエンドポイントを保持する。
【０２８７】
Ｓ２３２．制御プレーンノードは、第５のメッセージをユーザプレーンノードに送信し、ユーザプレーンノードは、制御プレーンノードによって送信される第５のメッセージを受信し、第５のメッセージは、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含む。
【０２８８】
第５のメッセージはＥ１  ＡＰメッセージであってもよく、例えば、ＵＥベアラセットアップ要求メッセージ、ＵＥベアラ修正要求メッセージ、既存のＥ１  ＡＰメッセージ、または、新しいＥ１  ＡＰメッセージであってもよいことが理解されるべきである。これは、本願において限定されるものではない。
【０２８９】
ユーザプレーンノードがトンネルエンドポイントを割り当てる前に、制御プレーンノードは、第５のメッセージをユーザプレーンノードに送信してもよく、第５のメッセージは、第１の表示情報を含んでもよく、第５のメッセージは更に、第２のインタフェースのダウンリンクトンネルエンドポイント、及び／又は、第３のインタフェースのアップリンクトンネルエンドポイントを含んでもよいことが理解されるべきである。
【０２９０】
第２のネットワークノードによって送信される第４のメッセージを受信した後に、制御プレーンノードは、第５のメッセージをユーザプレーンノードに送信してもよく、第５のメッセージは、第１のインタフェースのダウンリンクトンネルエンドポイントを含むことが更に理解されるべきである。
【０２９１】
例えば、図７に示されるように、第５のメッセージは、ＵＥベアラセットアップ要求メッセージであってもよく、ＵＥベアラセットアップ要求メッセージは、Ｘ２  ＤＬ  ＧＴＰトンネルエンドポイント及び／又はＳ１  ＵＬ  ＧＴＰトンネルエンドポイントを保持する。
【０２９２】
別の例について、図７に示されるように、第５のメッセージはＵＥベアラ修正要求メッセージであってもよく、ＵＥベアラ修正要求メッセージは、Ｆ１  ＤＬ  ＧＴＰトンネルエンドポイントを保持する。
【０２９３】
Ｓ２３３．ユーザプレーンノードは、要求応答メッセージを制御プレーンノードに送信し、制御プレーンノードは、ユーザプレーンノードによって送信される要求応答メッセージを受信する。
【０２９４】
例えば、図７に示されるように、ＳＮ−ＵＰは、ＵＥベアラ修正応答メッセージをＳＮ−ＣＰに送信する。
【０２９５】
本願の本実施形態の伝送方法によれば、第２のベアラのユーザプレーントンネルをセットアップする処理が提供され、ユーザプレーンノードは、異なるトンネルエンドポイントを判断し、これにより、特に複数のインタフェースの複数のネットワークセグメントに一貫性がない場合に、ユーザプレーンに対する、アップリンクトンネルおよびダウンリンクトンネルの割り当ておよび表示の課題を解決することを助けることになる。
【０２９６】
本願の本実施形態における伝送方法２００は、図１２を参照して詳細に上記で説明された。方法２００において、ユーザプレーンノードによって実行されるトンネルエンドポイント割り当てが説明された。以下では、図１３を参照して、本願の実施形態における方法３００を詳細に説明する。方法３００において、制御プレーンノードがどのようにトンネルエンドポイントを割り当てるか、が説明される。
【０２９７】
表２、表３および表４は、表２、表３および表４において示される通り、伝送方法２００におけるネットワークノードによって提供される複数のアドレスを示す。
表２  ＣＵ−ＣＰおよびＣＵ−ＵＰによって提供されるアドレス
【表２】
2021513810.tif 000004
表３  ＣＵ−ＵＰおよびＭ−ｅＮＢによって提供されるアドレス
【表３】
2021513810.tif 000005
表４  ＣＵ−ＵＰおよびＤＵによって提供されるアドレス
【表４】
2021513810.tif 000006
【０２９８】
図１３は、本願の実施形態による伝送方法３００の概略フローチャートである。図１３に示されるように、方法３００において、ユーザプレーンノードは、図７におけるＳＮ−ＵＰであってもよく、制御プレーンノードは、図７におけるＳＮ−ＣＰであってもよく、第２のネットワークノードは、図７におけるＤＵであってもよく、第３のネットワークノードは、図７におけるＭＮであってもよく、コアネットワークノードは、図７におけるＵＰＦであってもよい。伝送方法３００は、以下のステップを備える。
【０２９９】
Ｓ３１０．制御プレーンノードが、第１のインタフェースのアップリンクトンネルエンドポイント、第２のインタフェースのアップリンクトンネルエンドポイント、および、第３のインタフェースのダウンリンクトンネルエンドポイントを判断し、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースであり、第１のインタフェース、第２のインタフェースおよび第３のインタフェースは異なるインタフェースである。
【０３００】
Ｓ３２０．制御プレーンノードは、第２のメッセージを第２のネットワークノードに送信し、第２のネットワークノードは、制御プレーンノードによって送信される第２のメッセージを受信し、第２のメッセージは、第１のインタフェースのアップリンクトンネルエンドポイントを含む。
【０３０１】
Ｓ３３０．制御プレーンノードは、第３のメッセージを第３のネットワークノードに送信し、第３のネットワークノードは、制御プレーンノードによって送信される第３のメッセージを受信し、第３のメッセージは、第２のインタフェースのアップリンクトンネルエンドポイント、および、第３のインタフェースのダウンリンクトンネルエンドポイントを含む。
【０３０２】
Ｓ３２０とＳ３３０との間には、実際のシーケンスは１つもないことが理解されるべきである。
【０３０３】
第２のメッセージは、ＵＥコンテキストセットアップ要求メッセージまたはＵＥコンテキスト修正要求メッセージ、別の既存のＦ１  ＡＰメッセージ、若しくは、新しいメッセージのようなＦ１  ＡＰメッセージであってもよいことが理解されるべきである。これは、本願において限定されるものではない。
【０３０４】
第３のメッセージは、Ｓ−ｇＮＢ追加要求確認メッセージまたはＳ−ｇＮＢ修正要求確認メッセージ、別の既存のＸ２  ＡＰメッセージ、若しくは、新しいメッセージのようなＸ２  ＡＰメッセージであってもよいことが理解されるべきである。これは、本願において限定されるものではない。
【０３０５】
任意選択で、Ｓ３１０からＳ３３０におけるトンネルエンドポイントは、特定のベアラ、特定のセッション、及び／又は、特定のＱｏＳフロー、のトンネルエンドポイントである。具体的には、ユーザプレーンノードは、特定のベアラ、特定のセッション、及び／又は、特定のＱｏＳフロー、に関する、第１のインタフェースのアップリンクトンネルエンドポイント、第２のインタフェースのアップリンクトンネルエンドポイント、および、第３のインタフェースのダウンリンクトンネルエンドポイントを判断する。
【０３０６】
任意選択で、第１のインタフェースのアップリンクトンネルエンドポイント、第２のインタフェースのアップリンクトンネルエンドポイント、および、第３のインタフェースのダウンリンクトンネルエンドポイントは、Ｅ１  ＡＰメッセージにおいて保持され、制御プレーンノードによってユーザプレーンノードに送信され、Ｅ１  ＡＰメッセージは、ＵＥベアラセットアップ要求メッセージまたはＵＥベアラ修正要求メッセージ、別の既存のＥ１  ＡＰメッセージ、または、新しいメッセージであってもよい。これは、本願において限定されるものではない。
【０３０７】
任意選択で、制御プレーンノードは、ユーザプレーンノードの事前構成されたアドレスプールに基づいてトンネルエンドポイントを割り当てる。ユーザプレーンノードのアドレスプールは、Ｅ１  ＡＰインタフェースをセットアップする処理において交換されてもよく、または、ネットワーク管理システム（ＯＡＭ、ｏｐｅｒａｔｉｏｎ  ａｎｄ  ｍａｉｎｔｅｎａｎｃｅ  ｍａｎａｇｅｍｅｎｔ  ｓｙｓｔｅｍ）によって事前構成されてもよい。これは、本願において限定されるものではない。
【０３０８】
任意選択で、ユーザプレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含み、及び／又は、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能、のうちの少なくとも１つを含む。
【０３０９】
具体的には、制御プレーンノードは、第１のインタフェースのアップリンクトンネルエンドポイント、第２のインタフェースのアップリンクトンネルエンドポイント、および、第３のインタフェースのダウンリンクトンネルエンドポイントを割り当てる。制御プレーンノードは、第２のメッセージを第２のネットワークノードに送信し、第３のメッセージを第３のネットワークノードに送信し、第２のメッセージは、第１のインタフェースのアップリンクトンネルエンドポイントを含み、第３のメッセージは、第２のインタフェースのアップリンクトンネルエンドポイント、および、第３のインタフェースのダウンリンクトンネルエンドポイントを含む。
【０３１０】
第１のインタフェース、第２のインタフェース、および、第３のインタフェースのネットワークセグメントは、一貫性がない（例えば、いくつかは内部ネットワークであり、いくつかは外部ネットワークである）ことが理解されるべきである。この場合、第１のインタフェースのアップリンクトンネルエンドポイント、第２のインタフェースのアップリンクトンネルエンドポイント、および、第３のインタフェースのダウンリンクトンネルエンドポイントは異なる。
【０３１１】
第１のインタフェース、第２のインタフェース、および、第３のインタフェースのネットワークセグメントが一致するならば、第１のインタフェースのアップリンクトンネルエンドポイント、第２のインタフェースのアップリンクトンネルエンドポイント、および、第３のインタフェースのダウンリンクトンネルエンドポイントは同じであることが更に理解されるべきである。
【０３１２】
例えば、図７に示されるように、第１のインタフェースはＦ１インタフェースであり、第２のインタフェースはＸ２インタフェースであり（又はＸｎインタフェースであり、Ｘ２インタフェースは、以下の説明のための例として用いられる）、第３のインタフェースはＳ１インタフェースである。
【０３１３】
別の例について、図７に示されるように、第１のインタフェースのアップリンクトンネルエンドポイントはＦ１  ＵＬ  ＧＴＰトンネルエンドポイントであり、第１のインタフェースのダウンリンクトンネルアドレスはＦ１  ＤＬ  ＧＴＰトンネルエンドポイントであり、第２のインタフェースのアップリンクトンネルエンドポイントはＸ２  ＵＬ  ＧＴＰトンネルエンドポイントであり、第２のインタフェースのダウンリンクトンネルエンドポイントはＸ２  ＤＬ  ＧＴＰトンネルエンドポイントであり、第３のインタフェースのアップリンクトンネルアドレスはＳ１  ＵＬ  ＧＴＰトンネルエンドポイントであり、第３のインタフェースのダウンリンクトンネルアドレスはＳ１  ＤＬ  ＧＴＰトンネルエンドポイントである。トンネルエンドポイントは、ベアラ、セッション及び／又はＱｏＳフローと１対１の対応関係にあってもよいことが理解されるべきである。
【０３１４】
別の例について、図７に示されるように、ＳＮ−ＣＰは最初に、Ｆ１  ＵＬ  ＴＰトンネルエンドポイント、Ｘ２  ＵＬ  ＧＴＰトンネルエンドポイントおよびＳ１  ＤＬ  ＧＴＰトンネルエンドポイントを割り当てる。ＳＮ−ＣＰは、Ｆ１  ＡＰメッセージ（例えばＵＥコンテキストセットアップ要求メッセージ）をＤＵに送信し、ＵＥコンテキストセットアップ要求メッセージは、Ｆ１  ＵＬ  ＧＴＰトンネルエンドポイントを保持する。ＳＮ−ＣＰは、Ｘ２  ＡＰメッセージ（例えばＳｇＮＢ追加要求確認メッセージ）をＭＮに送信し、ＳｇＮＢ追加要求確認メッセージは、Ｘ２  ＵＬ  ＧＴＰトンネルエンドポイントおよびＳ１  ＤＬ  ＧＴＰトンネルエンドポイントを保持する。トンネルエンドポイントは、ベアラ、セッション及び／又はＱｏＳフローと１対１の対応関係にあってもよいことが理解されるべきである。
【０３１５】
任意選択で、データ転送がサポートされているならば、第３のメッセージは更に、Ｘ２インタフェースのデータ転送（ｄａｔａ  ｆｏｒｗａｒｄｉｎｇ）アドレスを保持し、第２のメッセージは更に、Ｆ１インタフェースのデータ転送アドレスを保持する。アドレスは、制御プレーンノードまたはユーザプレーンノードによって割り当てられてもよい。同様に、アドレスがユーザプレーンノードによって割り当てられるならば、アドレスは、ユーザプレーンノードによって制御プレーンノードに送信されてもよい。  具体的には、Ｘ２インタフェースのデータ転送アドレスは、ダウンリンクデータ転送アドレスおよびアップリンクデータ転送アドレス（例えば、Ｘ２伝送ベアラがダウンリンクデータパケットＰＤＵを転送するのに用いられることを示すＤＬ転送Ｘ２  ＧＴＰトンネルエンドポイント、および、Ｘ２伝送ベアラがアップリンクデータパケットＰＤＵを転送するのに用いられることを示すＵＬ転送Ｘ２  ＧＴＰトンネルエンドポイント）を含む。Ｆ１インタフェースのデータ転送アドレスは、ダウンリンクデータ転送アドレスおよびアップリンクデータ転送アドレス（例えば、Ｆ１伝送ベアラがダウンリンクデータパケットＰＤＵを転送するのに用いられることを示すＤＬ転送Ｆ１  ＧＴＰトンネルエンドポイント、および、Ｆ１伝送ベアラがアップリンクデータパケットＰＤＵを転送するのに用いられることを示すＵＬ転送Ｆ１  ＧＴＰトンネルエンドポイント）を含む。転送アドレスはＧＴＰトンネルエンドポイント（伝送ＩＰアドレスおよびＴＥＩＤを含む）である。Ｘ２インタフェースのデータ転送アドレスおよびＦ１インタフェースのデータ転送アドレスは複数のベアラと１対１の対応関係にあってもよいことに留意すべきである。任意選択で、データ転送がサポートされているならば、データ転送アドレスは制御プレーンノードによって割り当てられ、代替的に、Ｘ２インタフェースのデータ転送アドレスは、Ｅ１  ＡＰメッセージにおいて保持されて且つ制御プレーンノードによってユーザプレーンノードに送信されてもよい。
【０３１６】
任意選択で、制御プレーンノードによってユーザプレーンノードに送信されるＥ１  ＡＰメッセージは表示情報を保持し、表示情報は、データ転送アドレスとインタフェースとの間の対応関係を示すのに用いられる。
【０３１７】
任意選択で、データ転送がサポートされているならば、データ転送アドレスは制御プレーンノードによって割り当てられ、代替的に、Ｆ１インタフェースのデータ転送アドレスは、Ｆ１  ＡＰメッセージにおいて保持されて且つ制御プレーンノードによって第２のネットワークノードに送信されてもよく、または、Ｆ１インタフェースのデータ転送アドレスは、Ｅ１  ＡＰメッセージに保持されて且つ制御プレーンノードによってユーザプレーンノードに送信されてもよい。
【０３１８】
任意選択で、データ転送がサポートされていて、且つ、データ転送アドレスがユーザプレーンノードによって割り当てられるならば、制御プレーンノードがデータ転送アドレスを受信する前に、制御プレーンノードは、データ転送命令をユーザプレーンノードに送信し、データ転送命令は、ユーザプレーンノードに対して、ダウンリンクデータを転送するよう命令するのに用いられる。更に、代替的に、データ転送命令は、ユーザプレーンノードに対して、特定のベアラ、特定のセッション及び／又は特定のＱｏＳフローのダウンリンクデータを転送するよう命令するのに用いられてもよい。
【０３１９】
任意選択で、方法３００は更に、以下のステップを備える。
【０３２０】
Ｓ３０１．第３のネットワークノードは、第３の要求メッセージを制御プレーンノードに送信し、制御プレーンノードは、第３のネットワークノードによって送信される第３の要求メッセージを受信し、第３の要求メッセージは、制御プレーンノードに対して、無線リソースを第２のベアラに割り当てることを要求するのに用いられる。
【０３２１】
任意選択で、第２のベアラはセカンダリセル分割ベアラ（ＳＣＧ分割ベアラ）である。
【０３２２】
任意選択で、第２のベアラの特性は、第３の要求メッセージにおいて指定され、ベアラタイプに対応するＴＮＬアドレスおよびベアラパラメータを含む。
【０３２３】
任意選択で、第３のネットワークノードは最新の測定結果を第３の要求メッセージに追加する。
【０３２４】
任意選択で、第３の要求メッセージは、第２のインタフェースのダウンリンクトンネルエンドポイント、及び／又は、第３のインタフェースのアップリンクトンネルエンドポイントを含む。
【０３２５】
任意選択で、第３の要求メッセージは、ベアラ及び／又はセッション構成パラメータを含み、例えば、ベアラ識別子（ＥＲＡＢ  ＩＤまたはＤＲＢ  ＩＤ）、ベアラレベルＱｏＳパラメータ、データパケットセッション識別子、ＱｏＳフローインジケータ（ＱｏＳ  ｆｌｏｗ  ｉｎｄｉｃａｔｏｒ、ＱＦＩ）、ベアラとＱＦＩとの間のマッピング関係、および、ＱＦＩレベルＱｏＳパラメータのうちの少なくとも１つを含む。
【０３２６】
任意選択で、第３の要求メッセージは、データ転送命令を含み、例えば、特定のベアラのデータ転送命令（例えばＤＬ転送）を含む。
【０３２７】
具体的には、制御プレーンノードがトンネルエンドポイントを割り当てる前に、第３のネットワークノードは、第３の要求メッセージを制御プレーンノードに送信し、第３の要求メッセージは、制御プレーンノードに対して、無線リソースを第２のベアラに割り当てることを要求するのに用いられる。
【０３２８】
例えば、図７に示されるように、ＭＮはＸ２  ＡＰメッセージ（例えばＳｇＮＢ追加要求メッセージ）をＳＮ−ＣＰに送信し、ＳｇＮＢ追加要求メッセージは、Ｘ２  ＤＬ  ＧＴＰトンネルエンドポイントと、Ｓ１  ＵＬ  ＧＴＰトンネルエンドポイントと、ベアラ及び／又はセッション構成情報（例えば、ベアラ識別子ＥＲＡＢ  ＩＤ、ベアラレベルＱｏＳパラメータ、データパケットセッション識別子、ＱｏＳフローインジケータ（ＱｏＳ  ｆｌｏｗ  ｉｎｄｉｃａｔｏｒ、ＱＦＩ）、ベアラとＱＦＩとの間のマッピング関係、ＱＦＩレベルＱｏＳパラメータ、および、ベアラレベルＱｏＳパラメータのうちの少なくとも１つ）と、を保持する。
【０３２９】
任意選択で、方法３００は更に、以下のステップを備える。
【０３３０】
Ｓ３２１．第２のネットワークノードは、第４のメッセージを制御プレーンノードに送信し、制御プレーンノードは、第２のネットワークノードによって送信される第４のメッセージを受信し、第４のメッセージは、第１のインタフェースのダウンリンクトンネルエンドポイントを含む。
【０３３１】
例えば、図７に示されるように、ＤＵは、ＳＮ−ＣＰによって送信されるＵＥコンテキストセットアップ要求メッセージを受信し、ＤＵは、Ｆ１  ＡＰメッセージ（例えばＵＥコンテキストセットアップ応答メッセージ）をＳＮ−ＣＰに返送し、ＵＥコンテキストセットアップ応答メッセージはＦ１  ＤＬ  ＧＴＰトンネルエンドポイントを保持する。
【０３３２】
Ｓ３２２．制御プレーンノードは、第５のメッセージをユーザプレーンノードに送信し、ユーザプレーンノードは、制御プレーンノードによって送信される第５のメッセージを受信し、第５のメッセージは、第１のインタフェースのアップリンクトンネルエンドポイント、第１のインタフェースのダウンリンクトンネルエンドポイント、第２のインタフェースのアップリンクトンネルエンドポイント、第２のインタフェースのダウンリンクトンネルエンドポイント、第３のインタフェースのアップリンクトンネルエンドポイント、および、第３のインタフェースのダウンリンクトンネルエンドポイント、のうちの少なくとも１つを含む。
【０３３３】
第５のメッセージはＥ１  ＡＰメッセージであり、例えば、ＵＥベアラセットアップ要求メッセージ、ＵＥベアラ修正要求メッセージ、別の既存のＥ１  ＡＰメッセージ、または、新しいメッセージであることが理解されるべきである。これは、本願において限定されるものではない。
【０３３４】
本願の本実施形態における伝送方法によれば、制御プレーンノードによってユーザプレーンノードに送信されるメッセージは、アップリンクトンネルおよびダウンリンクトンネルのトンネルエンドポイントを保持し、これにより、ユーザプレーンノードは、データがユーザプレーンノードに向けて送信されるかどうかを識別することができる。
【０３３５】
任意選択で、第５のメッセージは更に表示情報を含み、表示情報は、トンネルエンドポイントとインタフェースとの間の対応関係を示すのに用いられる。例えば、表示情報は、ユーザプレーンノードに対して、第１のインタフェースのアップリンクトンネルエンドポイントが第１のインタフェースのために用いられること、第２のインタフェースのアップリンクトンネルエンドポイントが第２のインタフェースのために用いられること、及び／又は、第３のインタフェースのダウンリンクトンネルエンドポイントが第３のインタフェースのために用いられることを示す。
【０３３６】
例えば、ＳＮ−ＣＰは、Ｅ１  ＡＰメッセージ（例えば、ＵＥベアラセットアップ要求メッセージ）をＳＮ−ＵＰに送信し、ＵＥベアラセットアップ要求メッセージは、Ｆ１  ＵＬ  ＧＴＰトンネルエンドポイント、Ｆ１  ＤＬ  ＧＴＰトンネルエンドポイント、Ｘ２  ＵＬ  ＧＴＰトンネルエンドポイント、Ｘ２  ＤＬ  ＧＴＰトンネルエンドポイント、Ｓ１  ＵＬ  ＧＴＰトンネルエンドポイント、および、Ｓ１  ＤＬ  ＧＴＰトンネルエンドポイントのうちの少なくとも１つを保持する。
【０３３７】
Ｓ３２３．ユーザプレーンノードは、要求応答メッセージを制御プレーンノードに送信し、制御プレーンノードは、ユーザプレーンノードによって送信される要求応答メッセージを受信する。
【０３３８】
例えば、図７に示されるように、ＳＮ−ＵＰは、ＵＥベアラセットアップ応答メッセージをＳＮ−ＣＰに送信する。
【０３３９】
第３のインタフェースのダウンリンクトンネルエンドポイントは代替的に、ユーザプレーンノードによって割り当てられてもよく、したがって、要求応答メッセージは、第３のインタフェースのダウンリンクトンネルエンドポイントを保持することが理解されるべきである。更に、要求応答メッセージは更に、第３のインタフェースのダウンリンクトンネルエンドポイントが第３のインタフェースのために用いられることを示すのに用いられる表示情報を保持してもよい。
【０３４０】
本願の本実施形態の伝送方法によれば、第２のベアラのユーザプレーントンネルをセットアップする処理が提供され、制御プレーンノードは、異なるトンネルエンドポイントを判断し、これにより、特に複数のインタフェースの複数のネットワークセグメントに一貫性がない場合に、ユーザプレーンに対する、アップリンクトンネルおよびダウンリンクトンネルの割り当ておよび表示の課題を解決することを助けることになる。
【０３４１】
表５、表６および表７は、表５、表６および表７において示される通り、伝送方法３００におけるネットワークノードによって提供される複数のアドレスを示す。
表５  ＣＵ−ＣＰおよびＣＵ−ＵＰによって提供されるアドレス
【表５】
2021513810.tif 000007
表６  ＣＵ−ＵＰおよびＭ−ｅＮＢによって提供されるアドレス
【表６】
2021513810.tif 000008
表７  ＣＵ−ＵＰおよびＤＵによって提供されるアドレス
【表７】
2021513810.tif 000009
【０３４２】
伝送方法２００および伝送方法３００において、複数のトンネルエンドポイント（第１のインタフェースのアップリンクトンネルエンドポイント、第２のインタフェースのアップリンクトンネルエンドポイント、および、第３のインタフェースのダウンリンクトンネルエンドポイント）がユーザプレーンノードおよび制御プレーンノードによって割り当てられる処理のみが説明され、複数のトンネルエンドポイントは代替的に、制御プレーンノードおよびユーザプレーンノードの間の協働によって割り当てられてもよいことが理解されるべきである。例えば、ユーザプレーンノードは、第１のインタフェースのアップリンクトンネルエンドポイント、および、第２のインタフェースのアップリンクトンネルエンドポイントを割り当て、制御プレーンノードは、第３のインタフェースのダウンリンクトンネルエンドポイントを割り当てる。別の例について、制御プレーンノードは、第１のインタフェースのアップリンクトンネルエンドポイントおよび第２のインタフェースのアップリンクトンネルエンドポイントを割り当て、ユーザプレーンノードは、第３のインタフェースのダウンリンクトンネルエンドポイントを割り当てる。割り当ては、任意の組み合わせで実行されてもよく、本願は、これに限定されるものではない。
【０３４３】
前述のものは、方法１００から方法３００を用いることによって、ユーザプレーンアップリンクおよびダウンリンクトンネルエンドポイントを割り当てて示す処理を詳細に説明した。以下では、方法４００から方法７００を参照して詳細に、トラフィック統計、電力配分、および、セル識別子追加処理を説明する。
【０３４４】
図１４は、本願の実施形態による伝送方法４００の概略フローチャートである。図１４に示されるように、方法４００において、第１のネットワークノードは、図１における第１のネットワークノードであってもよく、図２におけるＣＵであってもよく、図３におけるＳ−ｇＮＢ−ＣＵであってもよく、または、図４におけるＳｇＮＢ−ＣＰであってもよく、第２のネットワークノードは、図１における第２のネットワークノードであってもよく、図２におけるＤＵであってもよく、図３におけるＳ−ｇＮＢ−ＤＵであってもよく、または、図４におけるＳ−ｇＮＢ−ＤＵであってもよく、第３のネットワークノードは、図３におけるＭ−ｅＮＢまたは図４におけるＭ−ｅＮＢであってもよい。伝送方法４００は、以下のステップを備える。
【０３４５】
Ｓ４１０．第２のネットワークノードは、第７のメッセージを第１のネットワークノードに送信し、第１のネットワークノードは、第２のネットワークノードから第７のメッセージを受信し、第７のメッセージは、第２のネットワークノードによって伝送されるデータトラフィック情報を含む。
【０３４６】
第７のメッセージは、ＵＥコンテキストセットアップ応答メッセージ、ＵＥコンテキスト修正応答メッセージ、ＵＥコンテキスト修正必要メッセージ、別の既存のＦ１  ＡＰメッセージ、または、新しいメッセージのようなＦ１  ＡＰメッセージであってもよいことが理解されるべきである。これは、本願において限定されるものではない。
【０３４７】
第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含み、及び／又は、第３のネットワークノードは、無線リソース制御プロトコル層の機能、サービスデータアダプテーションプロトコル層の機能、パケットデータ収束プロトコル層の機能、無線リンク制御プロトコル層の機能、媒体アクセス制御層の機能、および、物理層の機能、のうちの少なくとも１つを含む。
【０３４８】
任意選択で、第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０３４９】
任意選択で、第２のネットワークノードによって伝送されるデータトラフィック情報は、第２のネットワークノードによって伝送されるアップリンクデータトラフィック、第２のネットワークノードによって伝送されるダウンリンクデータトラフィック、並びに、第２のネットワークノードによって伝送されるデータトラフィックについての統計を収集する統計収集の開始時間および終了時間のうちの少なくとも１つを含む。
【０３５０】
任意選択で、第２のネットワークノードのデータトラフィック情報は、ＭＣＧ分割ベアラ、ＳＣＧベアラおよびＳＣＧ分割ベアラのようないくつかのベアラのトラフィック情報を含む。
【０３５１】
任意選択で、第２のネットワークノードのデータトラフィック情報は、ＥＲＡＢ  ＩＤ１、ＥＲＡＢ  ＩＤ２、セッションＩＤ１およびＱＦＩ１のような、特定のベアラ、特定のセッション及び／又は特定のＱｏＳフローのトラフィック情報を含む。
【０３５２】
本明細書におけるデータトラフィック情報は、セカンダリ基地局によって伝送されるデータトラフィック情報であってもよい、すなわち、セカンダリ基地局のエアインタフェースによって端末デバイスに伝送されるデータトラフィックであってもよいことが理解されるべきである。
【０３５３】
例えば、図３に示されるように、Ｓ−ｇＮＢ−ＤＵは、Ｓ−ｇＮＢ−ＣＵに対して、Ｓ−ｇＮＢ−ＤＵのデータトラフィック情報を頻繁に報告してもよい。Ｓ−ｇＮＢ−ＤＵは、データトラフィック情報をＦ１  ＡＰメッセージ（例えば、ＵＥコンテキストセットアップ要求メッセージ、ＵＥコンテキスト修正要求メッセージ、または、ＵＥコンテキスト修正必要メッセージ）に追加してもよい。代替的に、Ｆ１  ＡＰメッセージは、別の既存のメッセージまたは新しいメッセージである。本願はこれに限定されるものではない。
【０３５４】
別の例について、図４に示されるように、Ｓ−ｇＮＢ−ＤＵは、Ｓ−ｇＮＢ−ＣＰに対して、Ｓ−ｇＮＢ−ＤＵのデータトラフィック情報を頻繁に報告してもよい。Ｓ−ｇＮＢ−ＤＵは、データトラフィック情報をＦ１  ＡＰメッセージ（例えば、ＵＥコンテキストセットアップ要求メッセージ、ＵＥコンテキスト修正要求メッセージ、または、ＵＥコンテキスト修正必要メッセージ）に追加してもよい。代替的に、Ｆ１  ＡＰメッセージは、別の既存のメッセージまたは新しいメッセージである。本願はこれに限定されるものではない。
【０３５５】
データトラフィック情報は、ベアラ識別子（ＥＲＡＢ  ＩＤ）、セッション識別子（ＰＤＵセッションＩＤ）、ＱｏＳフローインジケータ（ＱｏＳ  ｆｌｏｗ  ｉｎｄｉｃａｔｏｒ、ＱＦＩ）、トラフィックについての統計が収集され始める時点のタイムスタンプ（開始タイムスタンプ）、トラフィックについての統計の収集が終了する時点のタイムスタンプ（終了タイムスタンプ）、アップリンクデータトラフィック情報（使用カウントＵＬ）、または、ダウンリンクデータトラフィック情報（使用カウントＤＬ）のうちの少なくとも１つを含んでもよいことが理解されるべきである。
【０３５６】
任意選択で、方法４００は更に、以下のステップを備える。
【０３５７】
Ｓ４０１．第１のネットワークノードは、第２の表示情報を第２のネットワークノードに送信し、第２のネットワークノードは、第１のネットワークノードによって送信される第２の表示情報を受信し、第２の表示情報は、第２のネットワークノードに対して、第２のネットワークノードによって伝送されるデータトラフィック情報を報告するよう命令するのに用いられる。
【０３５８】
セカンダリ基地局がＣＵ−ＤＵアーキテクチャをサポートしている、または、セカンダリ基地局がＣＰ−ＵＰアーキテクチャをサポートしているならば、マスタ基地局からセカンダリ基地局のＤＵにデータが送信される場合に、セカンダリ基地局のＤＵは、セカンダリ基地局のＣＵによって送信される第２の表示情報に基づいて、伝送されるデータトラフィックについての統計を収集することが理解されるべきである。第２の表示情報は、ＣＵおよびＤＵの間で、ＵＥコンテキストセットアップ要求メッセージ、ＵＥコンテキスト修正要求メッセージ、または、ＵＥコンテキスト修正確認メッセージのようなＦ１  ＡＰメッセージを用いることによって送信され、または、別の既存のメッセージまたは新しいメッセージを用いることによって送信されてもよい。これは、本願において限定されるものではない。
【０３５９】
このステップの前に、複数のリンクはセットアップされる必要があり、複数のリンクをセットアップする処理は、先行技術における当該処理と同様であることが更に理解されるべきである。簡潔さのために、本明細書において詳細は説明しない。
【０３６０】
このステップは任意選択のものであることが更に理解されるべきである。すなわち、セカンダリ基地局のＤＵは、伝送されるデータのトラフィックについての統計を頻繁に収集して報告してもよい。
【０３６１】
任意選択で、第２の表示情報は、以下のものの１つ又は複数を含むが、これに限定されるものではない。
【０３６２】
（１）第２のネットワークノードに対して、トラフィック情報を報告するよう明示的に命令し、トラフィック情報についての統計が収集される。
【０３６３】
（２）第２のネットワークノードに対して、特定のベアラ（特定のベアラ、特定のセッションおよび特定のＱｏＳフローのうちの少なくとも１つを含む）、トラフィック統計収集の開始時間及び終了時間、特定のベアラのトラフィックについての統計を収集する開始時間及び終了時間、アップリンクおよびダウンリンクトラフィック統計、特定のベアラのアップリンクおよびダウンリンクトラフィック統計、等のトラフィック情報を報告するよう命令する。例えば、第２の表示情報は、ベアラ識別子（ＥＲＡＢ  ＩＤ）、トラフィック統計収集が開始する時点のタイムスタンプ（開始タイムスタンプ）、トラフィック統計収集が終了する時点のタイムスタンプ（終了タイムスタンプ）、特定のベアラのトラフィック統計の収集が開始する時点のタイムスタンプ、特定のベアラのトラフィック統計の収集が終了する時点のタイムスタンプ、特定のベアラのアップリンクデータトラフィックの統計情報、特定のベアラのダウンリンクデータトラフィックの統計情報、アップリンクデータトラフィック情報（使用カウントＵＬ）、または、ダウンリンクデータトラフィック情報（使用カウントＤＬ）のうちの少なくとも１つを含む。
【０３６４】
（３）データトラフィック情報の報告期間を報告するよう命令する。
【０３６５】
任意選択で、方法４００は更に、以下のステップを備える。
【０３６６】
Ｓ４２０．第１のネットワークノードは、第２のネットワークノードのデータトラフィック情報を第３のネットワークノードに送信し、第３のネットワークノードは、第１のネットワークノードからデータトラフィック情報を受信する。
【０３６７】
具体的には、第２のネットワークノードによって送信されるデータトラフィック情報を受信した後、第１のネットワークノードは、データトラフィック情報を第３のネットワークノードに送信してもよい。
【０３６８】
例えば、図３に示されるように、Ｓ−ｇＮＢ−ＣＵは、セカンダリＲＡＴデータ使用報告をＭ−ｅＮＢに送信し、セカンダリＲＡＴデータ使用報告メッセージは、Ｓ−ｇＮＢ−ＤＵのデータトラフィック情報を保持する。
【０３６９】
別の例について、図４に示されるように、Ｓ−ｇＮＢ−ＣＰは、セカンダリＲＡＴデータ使用報告をＭ−ｅＮＢに送信し、セカンダリＲＡＴデータ使用報告メッセージは、Ｓ−ｇＮＢ−ＤＵのデータトラフィック情報を保持する。
【０３７０】
任意選択で、データトラフィック情報は、ベアラ識別子（ＥＲＡＢ  ＩＤ）、トラフィック統計収集が開始する時点のタイムスタンプ（開始タイムスタンプ）、トラフィック統計収集が終了する時点のタイムスタンプ（終了タイムスタンプ）、アップリンクデータトラフィック情報（使用カウントＵＬ）、または、ダウンリンクデータトラフィック情報（使用カウントＤＬ）のうちの少なくとも１つを含む。
【０３７１】
任意選択で、データトラフィック情報は更に、セカンダリ基地局タイプ（Ｓｅｃｏｎｄａｒｙ  Ｒａｔ  Ｔｙｐｅ）情報を含み、セカンダリＲＡＴタイプ情報は、セカンダリ基地局のＣＵが、セカンダリ基地局のＤＵによって送信されるデータトラフィック情報を受信した後に、トラフィック統計報告（Ｓｅｃｏｎｄａｒｙ  Ｒａｔ  Ｄａｔａ  Ｕｓａｇｅ  Ｒｅｐｏｒｔ）に追加されてマスタ基地局に送信されてもよい。代替的に、セカンダリＲＡＴタイプ情報は、セカンダリ基地局のＤＵによってトラフィック統計情報に追加され、セカンダリ基地局のＣＵに送信されてもよい。トラフィック統計情報を受信した後、セカンダリ基地局のＣＵは、トラフィック統計情報をマスタ基地局に送信する。この場合、セカンダリ基地局のＣＵは、セカンダリＲＡＴタイプを修正してもよく、修正しなくてもよい。
【０３７２】
本願の本実施形態における伝送方法４００は、独立した実施形態であってもよく、または、別の実施形態と組み合わされてもよいことが理解されるべきである。例えば、伝送方法４００は、伝送方法１００に基づいてもよい。本願は、これに限定されるものではない。
【０３７３】
本願の本実施形態におけるデータトラフィック情報は、具体的には、データＰＤＵ、データパケットにおけるＩＰヘッダまたは伝送制御プロトコル（Ｔｒａｎｓｍｉｓｓｉｏｎ  Ｃｏｎｔｒｏｌ  Ｐｒｏｔｏｃｏｌ、ＴＣＰ）／ユーザデータグラムプロトコル（ｕｓｅｒ  ｄａｔａｇｒａｍ  ｐｒｏｔｏｃｏｌ、ＵＤＰ）ヘッダ、ＴＣＰ制御パケット（例えばＡＣＫ）、若しくは、再伝送データパケットのうちの１つ又は複数を含んでもよいことが更に理解されるべきである。
【０３７４】
本願の本実施形態における伝送方法によれば、セカンダリ基地局がＣＵ−ＤＵアーキテクチャをサポートしているマルチリンクシナリオにおいて、マスタ基地局がセカンダリ基地局のＤＵへのユーザプレーンデータ伝送を直接実行する場合に、セカンダリ基地局のトラフィック統計の課題が解決される。
【０３７５】
以下では、本願の実施形態による伝送方法５００を説明する。伝送方法５００は主に、マスタ基地局及びセカンダリ基地局の両方がＣＵ−ＤＵアーキテクチャをサポートしている場合に適用可能である。
【０３７６】
図１５は、本願の実施形態による伝送方法５００の概略フローチャートである。図１５に示されるように、第１のネットワークノードは、図５におけるＭ−ｇＮＢ−ＣＵであってもよく、第２のネットワークノードは、図５におけるＭ−ｇＮＢ−ＤＵであってもよい。伝送方法５００は、以下のステップを備える。
【０３７７】
Ｓ５１０．第１のネットワークノードは、第９のメッセージを第２のネットワークノードに送信し、第２のネットワークノードは、第１のネットワークノードによって送信される第９のメッセージを受信し、第９のメッセージは、第２のネットワークノードの第１の電力構成パラメータを含み、第１の電力構成パラメータは、マスタセルグループで端末デバイスが用いることができる最大伝送電力である。
【０３７８】
具体的には、第２のネットワークノードの電力構成パラメータは、第１のネットワークノードによって判断されてもよく、第１のネットワークノードは、第９のメッセージを第２のネットワークノードに送信し、第９のメッセージは、第２のネットワークノードの第１の電力構成パラメータを含む。
【０３７９】
例えば、図５に示されるように、Ｍ−ｇＮＢ−ＤＵの電力構成パラメータ（例えばＰ−ｍａｘ  ＭＣＧであり、特定の名称は本願において限定されるものではない）の特定の値は、Ｍ−ｇＮＢ−ＣＵによって判断される。Ｆ１インタフェースメッセージは、ＵＥコンテキストセットアップ要求メッセージまたはＵＥコンテキスト修正要求メッセージのようなメッセージであってもよい。
【０３８０】
任意選択で、第１のネットワークノードは、第１の電力構成パラメータを第４のネットワークノードに送信する。
【０３８１】
任意選択で、方法５００は更に、以下のステップを備える。
【０３８２】
Ｓ５２０．第２のネットワークノードは、要求応答メッセージを第１のネットワークノードに送信する。
【０３８３】
例えば、図５に示されるように、Ｍ−ｇＮＢ−ＤＵは、ＵＥコンテキストセットアップ応答メッセージまたはＵＥコンテキスト修正応答メッセージのようなメッセージをＭ−ｇＮＢ−ＣＵに送信する。
【０３８４】
任意選択で、方法５００は更に、第２のネットワークノードが、第１０のメッセージを第１のネットワークノードに送信する段階を備え、第１０のメッセージは、第２のネットワークノードの第２の電力構成パラメータを含み、第２の電力構成パラメータは、マスタセルグループで端末デバイスが用いることができる最大伝送電力である。
【０３８５】
第２のネットワークノードの電力構成パラメータが更新されている場合、第１０のメッセージは、第１のネットワークノードに送信されてもよいことが理解されるべきである。
【０３８６】
任意選択で、方法５００は更に、以下のステップを備える。
【０３８７】
Ｓ５０１．第４のネットワークノードは、電力更新情報を第５のネットワークノードに送信し、電力更新情報は、第４のネットワークノードの更新された第３の電力構成パラメータを含み、第３の電力構成パラメータは、セカンダリセルグループで端末デバイスが用いることができる最大伝送電力である。
【０３８８】
第４のネットワークノードは、図５におけるＳ−ｇＮＢ−ＤＵであってもよく、第５のネットワークノードは、図５におけるＳ−ｇＮＢ−ＣＵであってもよいことが理解されるべきである。
【０３８９】
任意選択で、電力更新情報は、第４のネットワークノードによって第５のネットワークノードに送信される既存の情報要素ＣｅｌｌＧｒｏｕｐＣｏｎｆｉｇにあってもよい。ＣｅｌｌＧｒｏｕｐＣｏｎｆｉｇを受信した後、第５のネットワークノードは、ＣｅｌｌＧｒｏｕｐＣｏｎｆｉｇを解析して、ＣｅｌｌＧｒｏｕｐＣｏｎｆｉｇから電力更新情報を読み出し、これにより、電力が更新されているかどうかを判断することを必要とすることが理解されるべきである。
【０３９０】
任意選択で、電力更新情報は、明示的な情報要素（例えばＰ−ｍａｘ  ＳＣＧ）として用いられ、第４のネットワークノードによって第５のネットワークノードに送信されるＦ１  ＡＰメッセージに保持されてもよい。電力更新情報を受信した後、第５のネットワークノードは、電力更新情報を直接読み出し、次に、電力が更新されているかどうかを判断することが理解されるべきである。この選択可能な項目において、電力更新情報は、ＣｅｌｌＧｒｏｕｐＣｏｎｆｉｇにおいて設定されてもよく、または、設定されなくてもよい。
【０３９１】
任意選択で、第５のネットワークノードが、電力が更新されていると判断した後、更新された電力は、第５のネットワークノードによって第１のネットワークノードに送信されるＸ２インタフェースメッセージに保持される（任意選択で、Ｘ２インタフェースメッセージは更に、第１のネットワークノードに対して、マスタセルグループの電力パラメータを更新するよう命令するための電力更新命令を保持してもよい）。Ｘ２インタフェースメッセージは、ＳｇＮＢ修正必要メッセージ、ＳｇＮＢ追加要求確認メッセージ、ＳｇＮＢ修正要求確認メッセージ、別の既存のＸ２  ＡＰメッセージ、または、新しいメッセージであってもよいことが理解されるべきである。これは、本願において限定されるものではない。
【０３９２】
任意選択で、第５のネットワークノードが、電力が更新されていると判断した後、更新された電力は、第５のネットワークノードによって第１のネットワークノードに送信されるＸ２インタフェースメッセージに保持される。具体的には、更新された電力は、情報要素ＣｅｌｌＧｒｏｕｐＣｏｎｆｉｇに保持される。Ｘ２インタフェースメッセージを受信し、情報要素ＣｅｌｌＧｒｏｕｐＣｏｎｆｉｇを解析し、更新された電力を取得した後、第１のネットワークノードは、マスタセルグループの電力パラメータが更新されることを必要としているかどうかを判断する。Ｘ２インタフェースメッセージは、ＳｇＮＢ修正必要メッセージ、ＳｇＮＢ追加要求確認メッセージ、ＳｇＮＢ修正要求確認メッセージ、別の既存のＸ２  ＡＰメッセージ、または、新しいメッセージであってもよいことが理解されるべきである。これは、本願において限定されるものではない。
【０３９３】
任意選択で、Ｘ２インタフェースメッセージを受信した後、第１のネットワークノードは、構成を受け入れるかどうかを判断する。具体的には、第１のネットワークノードは、電力更新情報を受け入れるかどうかを判断し、フィードバックメッセージを第５のネットワークノードに送信してもよく、フィードバックメッセージは、直接、拒否メッセージを含んでもよく、または、新しい電力情報等を含んでもよい（例えば、フィードバックメッセージは、ＳｇＮＢ修正確認メッセージ、ＳｇＮＢ修正拒否メッセージ、ＳｇＮＢ修正要求メッセージ、または、新しいＸ２  ＡＰメッセージのような既存のメッセージに保持されてもよく、これは本願において限定されるものではない）。
【０３９４】
具体的には、第４のネットワークノードのいくつかの構成は、例えば電力構成（例えばＰ−ｍａｘ  ＳＣＧ）は、更新されることを必要とする。電力構成パラメータは、セカンダリセルグループで端末デバイスが用いることができる最大伝送電力である。第４のネットワークノードは、アップリンク伝送用のスケジューラを制御するので、第４のネットワークノードは、セカンダリセルグループで端末デバイスが用いることができる最大伝送電力を修正する権限を有し、第４のネットワークノードの電力構成パラメータは、電力更新情報を用いることによって第５のネットワークノードに送信される。
【０３９５】
任意選択で、Ｓ５０１は、第４のネットワークノードの構成を修正する処理であり、第５のネットワークノードは、第４のネットワークノードの更新された電力構成パラメータを判断してもよい。
【０３９６】
例えば、図５に示されるように、Ｓ−ｇＮＢ−ＤＵの電力構成パラメータは、Ｆ１インタフェースメッセージを用いることによって、Ｓ−ｇＮＢ−ＤＵからＳ−ｇＮＢ−ＣＵに伝送されてもよい。具体的には、Ｆ１  ＡＰメッセージは、例えば、ＵＥコンテキストセットアップ応答メッセージ、ＵＥコンテキスト修正必要／応答メッセージ、または、新しいメッセージである。これは、本願において限定されるものではない。
【０３９７】
Ｓ５０２．第１のネットワークノードは、マルチリンクデータ伝送用のノードとして第５のネットワークノードを追加する（セカンダリノード追加）。
【０３９８】
具体的には、Ｓ５０２は、既存のマルチリンクセットアップ処理と同様であり、簡潔さのため、詳細は本明細書において説明しない。
【０３９９】
任意選択で、Ｓ５０２において、第４のネットワークノードの電力構成パラメータは、第１のネットワークノードによって判断され、第５のネットワークノードを用いることによって第４のネットワークノードに送信される。
【０４００】
例えば、ＵＥコンテキストセットアップ要求メッセージまたはＵＥコンテキスト修正要求メッセージのようなメッセージが、Ｓ−ｇＮＢ−ＤＵコンテキストセットアップ要求処理において、または、Ｓ−ｇＮＢ−ＤＵコンテキスト修正処理において、送信されてもよく、若しくは、新しいＦ１  ＡＰメッセージが送信されてもよい。本願は、これに限定されるものではない。
【０４０１】
本願の本実施形態における伝送方法５００は、独立した実施形態であってもよく、または、別の実施形態と組み合わされてもよいことが理解されるべきである。例えば、伝送方法５００は、伝送方法２００および伝送方法３００と組み合わされてもよい。より具体的には、伝送方法２００および伝送方法３００における第３のネットワークノード（例えば、図７におけるＭＮ）がＣＵ−ＤＵアーキテクチャをサポートしている場合、第３のネットワークノードのＣＵは、第３のネットワークノードのＤＵの電力構成パラメータを第３のネットワークノードのＤＵに送信してもよく、または、第２のネットワークノードは、電力更新情報を制御プレーンノードに送信してもよい。
【０４０２】
本願の本実施形態における伝送方法によれば、マスタ基地局及びセカンダリ基地局がＣＵ−ＤＵアーキテクチャに関する場合、マルチリンクシナリオにおける電力配分が実装され、これにより、端末デバイスの合計伝送電力が、頻繁に、端末デバイスの最大伝送電力を超過することを回避するのを助けることができる。
【０４０３】
前述のものは、伝送方法５００を用いることによって電力配分処理を説明した。方法５００において、マスタ基地局及びセカンダリ基地局の両方は、ＣＵ−ＤＵアーキテクチャに関する。以下では、伝送方法６００を用いることによって、別の電力配分処理を説明する。方法５００におけるものと異なり、マスタ基地局及びセカンダリ基地局は、１つのＣＵと複数のＤＵのアーキテクチャに関する。
【０４０４】
図１６は、本願の実施形態による伝送方法６００の概略フローチャートである。図１６に示されるように、第１のネットワークノードは、図６におけるｇＮＢ−ＣＵであってもよく、第２のネットワークノードは、図６におけるＭ−ｇＮＢ−ＤＵであってもよい。伝送方法６００は、以下のステップを備える。
【０４０５】
Ｓ６１０．第１のネットワークノードは、第９のメッセージを第２のネットワークノードに送信し、第２のネットワークノードは、第１のネットワークノードによって送信される第９のメッセージを受信し、第９のメッセージは、第２のネットワークノードの第１の電力構成パラメータを含み、第１の電力構成パラメータは、マスタセルグループで端末デバイスが用いることができる最大伝送電力である。
【０４０６】
具体的には、第２のネットワークノードの第１の電力構成パラメータは、第１のネットワークノードによって判断されてもよく、第１のネットワークノードは、第９のメッセージを第２のネットワークノードに送信し、第９のメッセージは、第２のネットワークノードの第１の電力構成パラメータを含む。
【０４０７】
例えば、図６に示されるように、Ｍ−ｇＮＢ−ＤＵの電力構成パラメータ（Ｐ−ｍａｘ  ＭＣＧであり、特定の名称は本願において限定されるものではない）の特定の値は、ｇＮＢ−ＣＵによって判断され、Ｆ１インタフェースメッセージは、ＵＥコンテキストセットアップ要求メッセージまたはＵＥコンテキスト修正要求メッセージのようなメッセージであってもよい。
【０４０８】
第１のネットワークノードは更に、第２のネットワークノードの第１の電力構成パラメータを第４のネットワークノードに送信してもよいことが理解されるべきである。
【０４０９】
任意選択で、伝送方法６００は更に、以下のステップを備える。
【０４１０】
Ｓ６２０．第２のネットワークノードは、要求応答メッセージを第１のネットワークノードに送信する。
【０４１１】
例えば、図６に示されるように、Ｍ−ｇＮＢ−ＤＵは、ＵＥコンテキストセットアップ応答メッセージまたはＵＥコンテキスト修正応答メッセージのようなメッセージをｇＮＢ−ＣＵに送信する。
【０４１２】
任意選択で、伝送方法６００は更に、第２のネットワークノードが、第１０のメッセージを第１のネットワークノードに送信する段階を備え、第１０のメッセージは、第２のネットワークノードの第２の電力構成パラメータを含み、第２の電力構成パラメータは、マスタセルグループで端末デバイスが用いることができる最大伝送電力である。
【０４１３】
第２のネットワークノードの電力構成パラメータが更新されている場合、第１０のメッセージは、第１のネットワークノードに送信されてもよいことが理解されるべきである。
【０４１４】
任意選択で、伝送方法６００は更に、以下のステップを備える。
【０４１５】
Ｓ６０１．第４のネットワークノードは、電力更新情報を第１のネットワークノードに送信し、電力更新情報は、第４のネットワークノードによって更新された第３の電力構成パラメータを含み、第３の電力構成パラメータは、セカンダリセルグループで端末デバイスが用いることができる最大伝送電力である。
【０４１６】
Ｓ６０１は、Ｓ５０１と同様であることが理解されるべきである。簡潔さのために、詳細は本明細書において再度説明しない。
【０４１７】
例えば、図６に示されるように、Ｓ−ｇＮＢ−ＤＵの電力構成パラメータは、Ｆ１インタフェースメッセージを用いることによって、Ｓ−ｇＮＢ−ＤＵからｇＮＢ−ＣＵに伝送されてもよい。具体的には、Ｆ１  ＡＰメッセージは、例えば、ＵＥコンテキストセットアップ応答、ＵＥコンテキスト修正必要／応答メッセージ、または、新しいメッセージである。これは、本願において限定されるものではない。例えば、電力構成パラメータは、メッセージにおける、情報要素ＤＵ  ｔｏ  ＣＵ情報において保持されてもよい。
【０４１８】
Ｓ６０２．第１のネットワークノードは、マルチリンクデータ伝送用のノードとして第４のネットワークノードを追加し（セカンダリノード追加）、または、第１のネットワークノードは、マルチリンク構成を修正する（セカンダリノード修正）。
【０４１９】
具体的には、Ｓ６０２は、既存のマルチリンクセットアップ処理と同様であり、簡潔さのために、詳細は本明細書において再度説明しない。
【０４２０】
例えば、ＵＥコンテキストセットアップ要求メッセージまたはＵＥコンテキスト修正要求メッセージのようなメッセージが、Ｓ−ｇＮＢ−ＤＵ追加要求処理において、または、Ｓ−ｇＮＢ−ＤＵ修正処理において、送信されてもよく、若しくは、新しいＦ１  ＡＰメッセージが送信されてもよい。本願は、これに限定されるものではない。
【０４２１】
本願の本実施形態における伝送方法６００は、独立した実施形態であってもよく、または、別の実施形態と組み合わされてもよいことが理解されるべきである。
【０４２２】
本願の本実施形態における伝送方法によれば、マスタ基地局及びセカンダリ基地局が１つのＣＵと複数のＤＵのアーキテクチャに関するものであり、マルチリンクシナリオにおける電力配分が実装され、これにより、端末デバイスの合計伝送電力が、頻繁に、端末デバイスの最大伝送電力を超過することを回避するのを助けることができる。
【０４２３】
伝送方法５００および伝送方法６００において、第１のネットワークノードは、専用のシグナリング（例えばＲＲＣメッセージ）を用いることによって、第１の電力構成パラメータおよび第２の電力構成パラメータを端末デバイスに送信することに留意すべきである。第１のネットワークノードは、ＲＲＣメッセージを用いることによって、端末デバイスに、マスタセルグループで端末デバイスが用いることができる最大伝送電力と、セカンダリセルグループで用いることができる最大伝送電力とを送信することが理解されるべきである。
【０４２４】
図１７は、本願の実施形態による伝送方法７００の概略フローチャートである。図１７に示されるように、第１のネットワークノードは、図１における第１のネットワークノードまたは図２におけるＣＵであってもよく、第２のネットワークノードは、図２における第２のネットワークノードまたは図２におけるＤＵであってもよい。伝送方法７００は、以下のステップを備える。
【０４２５】
Ｓ７１０．第１のネットワークノードは、第１２のメッセージを第２のネットワークノードに送信し、第１２のメッセージは、第２のネットワークノードのセルグループ識別子を含む。
【０４２６】
Ｓ７２０．第２のネットワークノードは、第１３のメッセージを第１のネットワークノードに送信し、第１のネットワークノードは、第２のネットワークノードによって送信される第１３のメッセージを受信し、第１３のメッセージは、第２のネットワークノードのセルグループ識別子を含む。
【０４２７】
第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０４２８】
任意選択で、第１のネットワークノードが第１２のメッセージを第２のネットワークノードに送信する前に、第１のネットワークノードは、第２のネットワークノードのセルグループ識別子を第２のネットワークノードに割り当てる。
【０４２９】
第２のネットワークノードは、特定の端末デバイスのリンク（デュアルコネクティビティまたはマルチコネクティビティ）にある複数のネットワークノードの１つであることが理解されるべきである。
【０４３０】
具体的には、デュアルコネクティビティまたはマルチコネクティビティシナリオにおいて、ＤＵは、ＣＵによってＤＵに送信されるＲＲＣ構成参照情報（ＣＵ−ｔｏ−ＤＵ  ＲＲＣ情報）がセカンダリセルグループ構成情報（ＳＣＧ−ＣｏｎｆｉｇＩｎｆｏ）を含むかどうかに基づいて、ＤＵが端末デバイスのセカンダリセルグループであるかどうかを判断してもよい。デュアルコネクティビティについて、ＤＵは、ＣｅｌｌＧｒｏｕｐＩｄが１であると判断してもよく、マルチコネクティビティについて、ＤＵは、ＳＣＧのＣｅｌｌＧｒｏｕｐＩｄをどのように正確に設定するのかを認識できない。この場合、ＤＵのＣｅｌｌＧｒｏｕｐＩｄは、ＣＵによってＤＵに送信されるＲＲＣ構成参照情報に追加され、ＤＵは、ＣＵにフィードバックされるセルグループ構成においてＳＣＧのＣｅｌｌＧｒｏｕｐＩｄをどのように設定するのかを認識し得る。
【０４３１】
例えば、図２に示されるように、ＣＵは、ＤＵのセルグループ識別子をＤＵに割り当て、ＣＵは、例えばセルグループ識別子をＵＥコンテキストセットアップ／修正要求に追加することによって、ＤＵにセルグループ識別子ＣｅｌｌＧｒｏｕｐＩｄを通知する。ＤＵがセルグループ構成（例えば、ＵＥコンテキストセットアップ／修正応答）をＣＵにフィードバックする場合、セルグループ構成は、ＣＵによって提供されるＣｅｌｌＧｒｏｕｐＩｄを含む。
【０４３２】
ステップＳ７１０は任意選択のものであり、ステップＳ７２０は、第２のネットワークノードのセルグループ識別子を含んでもよく、例えば、デフォルト値が設定され、または、第２のネットワークノードのセルグループ識別子を含まなくてもよく、セルグループ識別子が第１のネットワークノードによって設定されることが更に理解されるべきである。
【０４３３】
ステップＳ７２０が第２のネットワークノードのセルグループ識別子を含む場合、第２のネットワークノードによって設定されるセルグループ識別子はデフォルト値であることが更に理解されるべきである。例えば、ＤＵがセルグループ構成ＣｅｌｌＧｒｏｕｐＣｏｎｆｉｇをＣＵにフィードバックする場合、ＣｅｌｌＧｒｏｕｐＩｄは含まれず、または、ＣｅｌｌＧｒｏｕｐＩｄは、デフォルト値、例えば０又は１に設定される。ＣｅｌｌＧｒｏｕｐＣｏｎｆｉｇを受信した後、ＣＵは、ＣｅｌｌＧｒｏｕｐＣｏｎｆｉｇを解析し、ＣｅｌｌＧｒｏｕｐＣｏｎｆｉｇにおけるＣｅｌｌＧｒｏｕｐＩｄを追加または修正することを必要とする。ＣＵは、実装の間に、ＣｅｌｌＧｒｏｕｐＩｄを追加または修正してもよいことが理解されるべきである。
【０４３４】
本願の本実施形態における伝送方法７００は、独立した実施形態であってもよく、または、別の実施形態と組み合わされてもよいことが更に理解されるべきである。例えば、伝送方法７００は、伝送方法２００、伝送方法３００または伝送方法５００と組み合わされてもよい。
【０４３５】
本願の本実施形態における伝送方法によれば、マルチコネクティビティデータ伝送をサポートしているシナリオにおいて、複数のセカンダリＤＵが存在する場合にセルグループ識別子をどのように割り当てるか、という課題が解決される。
【０４３６】
前述のものは、図１から図１７を参照して本願の実施形態における伝送方法を詳細に説明した。以下では、図１８から図２８を参照して本願の実施形態におけるネットワークデバイスを詳細に説明する。
【０４３７】
図１８は、本願の実施形態によるネットワークデバイス８００の概略ブロック図である。図１８に示されるように、ネットワークデバイス８００は、第３の表示情報を生成するように構成された処理モジュール８１０を備える。
【０４３８】
処理モジュール８１０は、トランシーバモジュール８２０を制御して、第４のインタフェースによって第３の表示情報を送信させるよう構成され、第３の表示情報は、第２のネットワークノードが、第５のインタフェースのダウンリンクトンネルエンドポイント及び／又は第６のインタフェースのダウンリンクトンネルエンドポイントを割り当てることをトリガするのに用いられ、第５のインタフェースは、第２のネットワークノードと第３のネットワークノードとの間のインタフェースであり、第６のインタフェースは、第２のネットワークノードとコアネットワークノードとの間のインタフェースであり、第４のインタフェース、第５のインタフェースおよび第６のインタフェースは異なるインタフェースである。
【０４３９】
トランシーバモジュール８２０は更に、第２のネットワークノードから第１１のメッセージを受信するように構成され、第１１のメッセージは、第５のインタフェースのダウンリンクトンネルエンドポイント及び／又は第６のインタフェースのダウンリンクトンネルエンドポイントを含む。
【０４４０】
任意選択で、ネットワークデバイス８００は、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、パケットデータ収束プロトコル層の機能、無線リンク制御プロトコル層の機能、媒体アクセス制御層の機能、および、物理層の機能のうちの少なくとも１つを含む。
【０４４１】
図１９は、本願の実施形態によるネットワークデバイス９００の概略ブロック図である。図１９に示されるように、ネットワークデバイス９００は、トランシーバモジュール９２０を制御して、第４のインタフェースによって第１のネットワークノードから第３の表示情報を受信させるように構成された処理モジュール９１０を備え、第３の表示情報は、ネットワークデバイス９００が、第５のインタフェースのダウンリンクトンネルエンドポイント及び／又は第６のインタフェースのダウンリンクトンネルエンドポイントを割り当てることをトリガするよう命令するのに用いられ、第５のインタフェースは、ネットワークデバイス９００と第３のネットワークノードとの間のインタフェースであり、第６のインタフェースは、ネットワークデバイス９００とコアネットワークノードとの間のインタフェースであり、第４のインタフェース、第５のインタフェースおよび第６のインタフェースは異なるインタフェースである。
【０４４２】
処理モジュール９１０は更に、トランシーバモジュール９２０を制御して、第１１のメッセージを送信させるように構成され、第１１のメッセージは、第５のインタフェースのダウンリンクトンネルエンドポイント及び／又は第６のインタフェースのダウンリンクトンネルエンドポイントを含む。
【０４４３】
任意選択で、第１のネットワークノードは、無線リソース制御プロトコル層の機能、サービスデータアダプテーションプロトコル層の機能、および、パケットデータ収束プロトコル層の機能のうちの少なくとも１つを含み、及び／又は、ネットワークデバイス９００は、パケットデータ収束プロトコル層の機能、無線リンク制御プロトコル層の機能、媒体アクセス制御層の機能、および、物理層の機能のうちの少なくとも１つを含む。
【０４４４】
図２０は、本願の実施形態によるネットワークデバイス１０００の概略ブロック図である。図２０に示されるように、ネットワークデバイス１０００は、トランシーバモジュール１０２０を制御して、ユーザプレーンノードから第１のメッセージを受信させるように構成された処理モジュール１０１０を備え、第１のメッセージは、第１のインタフェースのアップリンクトンネルエンドポイント、第２のインタフェースのアップリンクトンネルエンドポイント、および、第３のインタフェースのダウンリンクトンネルエンドポイントを含み、第１のインタフェースは、ユーザプレーンノードと第２のネットワークノードとの間のインタフェースであり、第２のインタフェースは、ユーザプレーンノードと第３のネットワークノードとの間のインタフェースであり、第３のインタフェースは、ユーザプレーンノードとコアネットワークノードとの間のインタフェースであり、第１のインタフェース、第２のインタフェースおよび第３のインタフェースは異なるインタフェースである。
【０４４５】
処理モジュール１０１０は更に、トランシーバモジュール１０２０を制御して、第２のメッセージを送信させるように構成され、第２のメッセージは、第１のインタフェースのアップリンクトンネルエンドポイントを含む。
【０４４６】
処理モジュール１０１０は更に、トランシーバモジュール１０２０を制御して、第３のメッセージを送信させるように構成され、第３のメッセージは、第２のインタフェースのアップリンクトンネルエンドポイントおよび第３のインタフェースのダウンリンクトンネルエンドポイントを含む。
【０４４７】
任意選択で、処理モジュール１０１０は更に、トランシーバモジュール１０２０を制御して第１の表示情報を送信させるように構成される。
【０４４８】
第１の表示情報は、制御プレーンノードによって要求されるベアラタイプがセカンダリセル分割ベアラであることを示すのに用いられ、または、第１の表示情報は、ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを割り当てることをトリガするのに用いられ、または、第１の表示情報は、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含み、または、第１の表示情報は、以下の複数のこと、すなわち、ユーザプレーンノードがパケットデータ収束プロトコル層の機能を有することを必要とされること、ユーザプレーンノードがマスタセルリソース構成を有することを必要とされること、または、ユーザプレーンノードがセカンダリセルリソース構成を有することを必要とされること、のうちの少なくとも１つを示すのに用いられる。
【０４４９】
任意選択で、処理モジュール１０１０は更に、トランシーバモジュール１０２０を制御して、第２のネットワークノードから第４のメッセージを受信させるように構成され、第４のメッセージは、第１のインタフェースのダウンリンクトンネルエンドポイントを含む。
【０４５０】
処理モジュール１０１０は更に、トランシーバモジュール１０２０を制御して、第５のメッセージを送信させるように構成され、第５のメッセージは、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含む。
【０４５１】
任意選択で、ユーザプレーンノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０４５２】
図２１は、本願の実施形態によるネットワークデバイス１１００の概略ブロック図である。図２１に示されるように、ネットワークデバイス１１００は、第１のインタフェースのアップリンクトンネルエンドポイント、第２のインタフェースのアップリンクトンネルエンドポイント、および、第３のインタフェースのダウンリンクトンネルエンドポイントを判断するための処理モジュール１１１０を備え、第１のインタフェースはネットワークデバイス１１００と第２のネットワークノードとの間のインタフェースであり、第２のインタフェースはネットワークデバイス１１００と第３のネットワークノードとの間のインタフェースであり、第３のインタフェースはネットワークデバイス１１００とコアネットワークノードとの間のインタフェースであり、第１のインタフェース、第２のインタフェースおよび第３のインタフェースは異なるインタフェースである。
【０４５３】
処理モジュール１１１０は更に、トランシーバモジュール１１２０を制御して、第１のメッセージを送信させるように構成され、第１のメッセージは、第１のインタフェースのアップリンクトンネルエンドポイント、第２のインタフェースのアップリンクトンネルエンドポイント、および、第３のインタフェースのダウンリンクトンネルエンドポイントを含む。
【０４５４】
任意選択で、処理モジュール１１１０は更に、トランシーバモジュール１１２０を制御して、制御プレーンノードから第１の表示情報を受信させるように構成される。
【０４５５】
第１の表示情報は、制御プレーンノードによって要求されるベアラタイプがセカンダリセル分割ベアラであることを示すのに用いられ、または、第１の表示情報は、ユーザプレーンノードに対して、第１のインタフェースのアップリンクトンネルエンドポイント、第２のインタフェースのアップリンクトンネルエンドポイント、および、第３のインタフェースのダウンリンクトンネルエンドポイントを割り当てるよう命令するのに用いられ、または、第１の表示情報は、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含み、または、第１の表示情報は、以下の複数のこと、すなわち、ユーザプレーンノードがパケットデータ収束プロトコル層の機能を有することを必要とされること、ユーザプレーンノードがマスタセルリソース構成を有することを必要とされること、または、ユーザプレーンノードがセカンダリセルリソース構成を有することを必要とされること、のうちの少なくとも１つを示すのに用いられる。
【０４５６】
任意選択で、処理モジュール１１１０は更に、トランシーバモジュール１１２０を制御して、制御プレーンノードから第５のメッセージを受信させるように構成され、第５のメッセージは、第１のインタフェースのダウンリンクトンネルエンドポイント、第２のインタフェースのダウンリンクトンネルエンドポイント、および、第３のインタフェースのアップリンクトンネルエンドポイントのうちの少なくとも１つを含む。
【０４５７】
任意選択で、ネットワークデバイス１１００は、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０４５８】
図２２は、本願の実施形態によるネットワークデバイス１２００の概略ブロック図である。図２２に示されるように、ネットワークデバイス１２００は、トランシーバモジュール１２２０を制御して、制御プレーンノードから第３のメッセージを受信させるように構成された処理モジュール１２１０を備え、第３のメッセージは、第２のインタフェースのアップリンクトンネルエンドポイントおよび第３のインタフェースのダウンリンクトンネルエンドポイントを含み、第２のインタフェースは、ユーザプレーンノードとネットワークデバイス１２００との間のインタフェースであり、第３のインタフェースは、ユーザプレーンノードとコアネットワークノードとの間のインタフェースであり、第２のインタフェースおよび第３のインタフェースは異なるインタフェースである。
【０４５９】
制御プレーンノードは、無線リソース制御プロトコル層の機能、サービスデータアダプテーションプロトコル層の機能、および、パケットデータ収束プロトコル層の機能のうちの少なくとも１つを含む。
【０４６０】
任意選択で、処理モジュール１２１０は更に、トランシーバモジュール１２２０を制御して、第６のメッセージを制御プレーンノードに送信させるように構成され、第６のメッセージは、第２のインタフェースのダウンリンクトンネルエンドポイントおよび第３のインタフェースのアップリンクトンネルエンドポイントを含む。
【０４６１】
図２３は、本願の実施形態によるネットワークデバイス１３００の概略ブロック図である。図２３に示されるように、ネットワークデバイス１３００は、トランシーバモジュール１３２０を制御して、第２のネットワークノードから第７のメッセージを受信させるように構成された処理モジュール１３１０を備え、第７のメッセージは、第２のネットワークノードによって伝送されるデータトラフィック情報を含む。
【０４６２】
処理モジュール１３１０は更に、トランシーバモジュール１３２０を制御して、第８のメッセージを送信させるように構成され、第８のメッセージはデータトラフィック情報を含む。
【０４６３】
ネットワークデバイス１３００のプロトコルスタックアーキテクチャは、無線リソース制御プロトコル層、サービスデータアダプテーションプロトコル層、および、パケットデータ収束プロトコル層の機能のうちの少なくとも１つであり、及び／又は、第２のネットワークノードのプロトコルスタックアーキテクチャは、無線リンク制御プロトコル層、媒体アクセス制御層、および、物理層の機能のうちの少なくとも１つである。
【０４６４】
任意選択で、処理モジュール１３１０は更に、トランシーバモジュール１３２０を制御して、第２の表示情報を送信させるように構成され、第２の表示情報は、第２のネットワークノードに対して、第２のネットワークノードによって伝送されるデータトラフィック情報を報告するよう命令するのに用いられる。
【０４６５】
任意選択で、第２のネットワークノードによって伝送されるデータトラフィック情報は、第２のネットワークノードによって伝送されるアップリンクデータトラフィック、第２のネットワークノードによって伝送されるダウンリンクデータトラフィック、並びに、第２のネットワークノードによって伝送されるデータトラフィックについての統計を収集する統計収集の開始時間および終了時間のうちの少なくとも１つを含む。
【０４６６】
図２４は、本願の実施形態によるネットワークデバイス１４００の概略ブロック図である。図２４に示されるように、ネットワークデバイス１４００は、第７のメッセージを生成するように構成された処理モジュール１４１０を備える。
【０４６７】
処理モジュール１４１０は更に、トランシーバモジュール１４２０を制御して、第７のメッセージを送信させるように構成され、第７のメッセージは、ネットワークデバイス１４００によって伝送されるデータトラフィック情報を含む。
【０４６８】
第２のネットワークノードのプロトコルスタックアーキテクチャは、無線リンク制御プロトコル層、媒体アクセス制御層および物理層の機能のうちの少なくとも１つである。
【０４６９】
任意選択で、処理モジュール１４１０は更に、トランシーバモジュール１４２０を制御して、第１のネットワークノードによって送信される第２の表示情報を受信させるように構成され、第２の表示情報は、第２のネットワークノードに対して、第２のネットワークノードによって伝送されるデータトラフィック情報を報告するよう命令するのに用いられる。
【０４７０】
第１のネットワークノードのプロトコルスタックアーキテクチャは、無線リソース制御プロトコル層、サービスデータアダプテーション層およびパケットデータ収束プロトコル層のうちの少なくとも１つである。
【０４７１】
任意選択で、第２のネットワークノードによって伝送されるデータトラフィック情報は、第２のネットワークノードによって伝送されるアップリンクデータトラフィック、第２のネットワークノードによって伝送されるダウンリンクデータトラフィック、並びに、第２のネットワークノードによって伝送されるデータトラフィックについての統計を収集する統計収集の開始時間および終了時間のうちの少なくとも１つを含む。
【０４７２】
図２５は、本願の実施形態によるネットワークデバイス１５００の概略ブロック図である。図２５に示されるように、ネットワークデバイス１５００は、第９のメッセージを生成するように構成された処理モジュール１５１０を備える。
【０４７３】
処理モジュール１５１０は更に、トランシーバモジュール１５２０を制御して、第９のメッセージを送信させるように構成され、第９のメッセージは、第２のネットワークノードの電力構成パラメータを含み、電力構成パラメータは、マスタセルグループで端末デバイスが用いることができる最大伝送電力である。
【０４７４】
第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０４７５】
図２６は、本願の実施形態によるネットワークデバイス１６００の概略ブロック図である。図２６に示されるように、ネットワークデバイス１６００は、第１１のメッセージを生成するように構成された処理モジュール１６１０を備える。
【０４７６】
処理モジュール１６１０は更に、トランシーバモジュール１６２０を制御して、第１１のメッセージを送信させるように構成され、第１１のメッセージは、第２のネットワークノードの電力構成パラメータを含み、電力構成パラメータは、セカンダリセルグループで端末デバイスが用いることができる最大伝送電力である。
【０４７７】
第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０４７８】
図２７は、本願の実施形態によるネットワークデバイス１７００の概略ブロック図である。図２７に示されるように、ネットワークデバイス１７００は、第１２のメッセージを生成するように構成された処理モジュール１７１０を備える。
【０４７９】
処理モジュール１７１０は更に、トランシーバモジュール１７２０を制御して、第１２のメッセージを送信させるように構成され、第１２のメッセージは、第２のネットワークノードのセルグループ識別子を含む。
【０４８０】
第１のネットワークノードは、無線リソース制御プロトコル層の機能、サービスデータアダプテーションプロトコル層の機能、および、パケットデータ収束プロトコル層の機能のうちの少なくとも１つを含み、及び／又は、第２のネットワークノードは、無線リンク制御プロトコル層の機能、媒体アクセス制御層の機能、および、物理層の機能のうちの少なくとも１つを含む。
【０４８１】
前述の実施形態において、操作／様々な任意選択の設計は連続して付番されていることが理解され得る。しかしながら、連続番号は、単に説明しやすくするためだけであって、連続番号に基づいて操作が連続して実行される必要があることを意味するものではないことが理解され得る。
【０４８２】
前述の実施形態における第１のネットワークノード、第２のネットワークノード、第３のネットワークノード、ユーザプレーンノード、または、制御プレーンノードについて、若しくは、前述の実施形態におけるＣＵ（例えば、Ｓ−ｅＮＢ−ＣＵ、Ｓ−ｇＮＢ−ＣＵ、Ｍ−ｅＮＢ−ＣＵまたはＭ−ｇＮＢ−ＣＵ）、ＤＵ（例えば、Ｓ−ｅＮＢ−ＤＵ、Ｓ−ｇＮＢ−ＤＵ、Ｍ−ｅＮＢ−ＤＵまたはＭ−ｇＮＢ−ＤＵ）、ＭＮ（例えば、Ｍ−ｅＮＢまたはＭ−ｇＮＢ）、ＣＰ（例えば、ＳＮ−ＣＰ、Ｓ−ｅＮＢ−ＣＰまたはＳ−ｇＮＢ−ＣＰ）、または、ＵＰ（例えば、ＳＮ−ＵＰ、Ｓ−ｅＮＢ−ＵＰまたはＳ−ｇＮＢ−ＵＰ）について、本願の前述の実施形態における任意の設計でのこれらの機能は、プロセッサおよび通信インタフェースを有するハードウェアプラットフォームによってプログラム命令を実行することにより、別々に実装されてもよいことが理解され得る。これに基づいて、図２８に示されるように、本願の実施形態は、通信デバイス１８００の概略ブロック図を提供する。通信デバイス１８００は、少なくとも１つのプロセッサ１８０１を備え、任意選択で、通信インタフェース１８０２およびメモリ１８０３を備え、通信インタフェースは、通信デバイス１８００と別のデバイスとの間の通信インタラクションをサポートするように構成され、メモリ１８０３はプログラム命令を含み、少なくとも１つのプロセッサ１８０１は当該プログラム命令を実行し、これにより、本願の前述の実施形態の任意の設計における以下のデバイス：第１のネットワークノード、第２のネットワークノード、第３のネットワークノード、ユーザプレーンノード、制御プレーンノード、若しくは、前述の実施形態におけるＣＵ（例えば、Ｓ−ｅＮＢ−ＣＵ、Ｓ−ｇＮＢ−ＣＵ、Ｍ−ｅＮＢ−ＣＵ、または、Ｍ−ｇＮＢ−ＣＵ）、ＤＵ（例えば、Ｓ−ｅＮＢ−ＤＵ、Ｓ−ｇＮＢ−ＤＵ、Ｍ−ｅＮＢ−ＤＵまたはＭ−ｇＮＢ−ＤＵ）、ＭＮ（例えば、Ｍ−ｅＮＢまたはＭ−ｇＮＢ）、ＣＰ（例えば、ＳＮ−ＣＰ、Ｓ−ｅＮＢ−ＣＰまたはＳ−ｇＮＢ−ＣＰ）、または、ＵＰ（例えば、ＳＮ−ＵＰ、Ｓ−ｅＮＢ−ＵＰまたはＳ−ｇＮＢ−ＵＰ）、のうちのいずれか１つの機能が実装される。任意選択の設計において、メモリ１８０３は、前述のデバイスの機能を実装するために必要とされる、プログラム命令またはプログラム実行処理において生成される中間データを格納するように構成されてもよい。任意選択で、通信デバイス１８００は更に、少なくとも１つのプロセッサ１８０１、通信インタフェース１８０２およびメモリ１８０３の間の通信インタラクションを実装するべく、内部の相互接続通信線を含んでもよい。少なくとも１つのプロセッサ１８０１は、専用の処理チップ、処理回路、プロセッサまたは汎用チップを用いることによって実装されてもよい。例えば、実施形態における分散型ユニットＤＵでの全て又はいくつかのＰＨＹ機能、若しくは、実施形態におけるＦ１インタフェースまたはＥ１インタフェースの全て又はいくつかのプロトコル通信機能の処理は、少なくとも１つのプロセッサに専用の回路／チップを配置することによって実装されてもよく、または、少なくとも１つのプロセッサ１８０１に配置される汎用プロセッサが、ＰＨＹ機能若しくはＦ１インタフェースまたはＥ１インタフェース通信機能に関連するプログラム命令を実行することによって実装されてもよい。別の例について、任意選択で、少なくとも１つのプロセッサ１８０１は、通信処理チップを有してもよく、本願の実施形態におけるデバイスのＭＡＣ層、ＲＬＣ層、ＰＤＣＰ層、ＳＤＡＰ層およびＲＲＣ層の関連機能のプログラム命令を実行することによって、ＭＡＣ層、ＲＬＣ層、ＰＤＣＰ層、ＳＤＡＰ層およびＲＲＣ層の関連機能の全て又はいくつかを処理してもよい。本願の実施形態において説明される設計での、方法、手順、操作またはステップは、コンピュータソフトウェア、電子ハードウェア、またはコンピュータソフトウェアおよび電子ハードウェアの組み合わせを用いることによって、１対１の対応関係の態様で実装されることができることが理解され得る。これらの機能が、ハードウェアまたはソフトウェアを用いることによって実行されるかどうかは、技術的解決手段の特定のアプリケーションおよび設計制約で決まる。例えば、高い汎用性、低コスト、ソフトウェアとハードウェアとの分離等を考慮すると、これらの機能は、プログラム命令を実行することによって実装されてもよい。別の例について、システム性能、信頼性等を考慮すると、これらの機能は、専用回路を用いることによって実装されてもよい。当業者であれば、特定の用途ごとに異なる方法を用いることによって、説明した機能を実装し得る。これは、本明細書において限定されるものではない。
【０４８３】
通信インタフェース１８０２はまた、トランシーバとも称され得、通常、２つの通信ピアエンドの間で情報をやり取りする機能を有する。複数の通信ピアエンドが有線の形態で情報を交換する場合、通信インタフェースは、複数の通信ピアエンドの間の有線通信インタラクションをサポートするべく、インタフェース回路として、または、インタフェース回路を含むハードウェアモジュールとして設計されてもよい。例えば、この形態におけるインタフェース設計は、本願における、ＤＵおよびＣＵの間のＦ１インタフェースと、ＣＰおよびＵＰの間のＥ１インタフェースの通信機能のために用いられてもよい。複数の通信ピアエンドが無線の形態で情報を交換する場合、通信インタフェースは、無線周波数送信及び受信機能を有するインタフェース回路であってもよく、または、無線周波数送信及び受信機能を有するインタフェース回路を備えるハードウェアシステムであってもよい。例えば、ＤＵおよびＵＥの間で無線通信が実行される場合、この設計は、ＤＵおよびＵＥの間の通信インタフェースのために用いられてもよい。
【０４８４】
本願の実施形態は更に、チップシステムを提供する。チップシステムは、前述の通信デバイスに適用されてもよい。チップシステムは、少なくとも１つのプロセッサと、少なくとも１つのメモリと、インタフェース回路とを有する。インタフェース回路は、チップシステムと外部との間の情報交換を担う。少なくとも１つのメモリ、インタフェース回路および少なくとも１つのプロセッサは、内部通信線を用いることによって互いに接続されてもよい。少なくとも１つのメモリは命令を格納し、当該命令は、少なくとも１つのプロセッサによって実行されると、前述の複数の態様による方法における、第１のネットワークノード、第２のネットワークノード、第３のネットワークノード、制御プレーンノードまたはユーザプレーンノードの操作を実行させる。
【０４８５】
本願の実施形態は更に、ネットワークデバイス及び／又は端末デバイスを有する、通信システムを提供する。ネットワークデバイスは、前述の複数の態様による新しいネットワークデバイスである。
【０４８６】
本願の実施形態は更に、ネットワークデバイスに適用される、コンピュータプログラム製品を提供する。コンピュータプログラム製品は、一連の命令を有し、命令が実行された場合、前述の複数の態様による方法における、第１のネットワークノード、第２のネットワークノードおよび第３のネットワークノード、制御プレーンノード、または、ユーザプレーンノード、の操作が実行される。
【０４８７】
本願の実施形態において、本願の実施形態における方法の実施形態は、プロセッサに適用されてもよく、または、プロセッサによって実装されてもよいことに留意すべきである。プロセッサは、集積回路チップであってもよく、信号処理機能を有する。実装処理において、前述の方法の実施形態におけるステップは、プロセッサにおけるハードウェア集積論理回路を用いることによって、または、ソフトウェアの形態の命令を用いることによって、実装されることができる。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、若しくは、別のプログラマブル論理デバイス、ディスクリートゲート又はトランジスタ論理デバイス、または、ディスクリートハードウェアコンポーネントであってもよい。プロセッサは、本願の実施形態において開示される、方法、ステップ、および、論理ブロック図を実装または実行してもよい。汎用プロセッサは、マイクロプロセッサであってもよく、プロセッサは、任意の従来のプロセッサ等であってもよい。本願の実施形態を参照して開示される方法のステップは、ハードウェア復号プロセッサによって直接的に実行及び実現されてもよく、復号プロセッサにおけるハードウェア及びソフトウェアモジュールの組み合わせによって実行および実現されてもよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなど、当該分野における成熟した記憶媒体に配置されてもよい。記憶媒体はメモリ内に配置され、プロセッサはメモリ内の情報を読み出し、プロセッサのハードウェアと組み合わせて、前述の方法におけるステップを完了する。
【０４８８】
本願の実施形態におけるメモリは、揮発性メモリまたは不揮発性メモリであり得ること、または、揮発性メモリおよび不揮発性メモリを含み得ることが理解され得る。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、またはフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってもよい。例示的ではあるが限定的ではない説明によって、多くの形態のＲＡＭが用いられてもよく、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）、および、ダイレクトランバスランダムアクセスメモリ（Ｄｉｒｅｃｔ  Ｒａｍｂｕｓ  ＲＡＭ、ＤＲ  ＲＡＭ）に用いられてよい。本明細書で説明されるシステムおよび方法におけるメモリは、これらのメモリと、任意の他の適当なタイプのメモリとを含むが、これらに限定されるものではないことに留意すべきである。
【０４８９】
明細書において言及される「１つの実施形態」または「実施形態」とは、当該実施形態に関連する特定の特徴、構造または特性が、本願の少なくとも１つの実施形態に含まれることを意味していることが理解されるべきである。したがって、明細書全体を通じて出現する「１つの実施形態において」または「実施形態において」とは、必ずしも同じ実施形態でなくてもよい。追加して、これらの特定の特徴、構造または特性は、任意の適切な態様で、１つ又は複数の実施形態に組み合わされてもよい。本願の様々な実施形態において、前述の処理の連続番号は実行シーケンスを意味するものではないことが理解されるべきである。処理の実行シーケンスは、処理の機能および内部論理に基づいて判断されるべきであり、本願の実施形態の実装処理に対する何らかの限定として解釈されるべきではない。
【０４９０】
追加して、「システム」および「ネットワーク」との用語は、本明細書において、同じ意味で用いられてもよい。本明細書における「及び／又は」との用語は、複数の関連する対象を説明するための対応関係のみを説明しており、３つの関係が存在してもよいことを表わしている。例えば、Ａ及び／又はＢは、以下の３つの場合：Ａのみが存在する、ＡおよびＢの両方が存在する、Ｂのみが存在する、ことを表わしてもよい。追加して、本明細書における「／」との記号は概して、複数の関連する対象の間における、「又は」の関係を示している。
【０４９１】
本願の実施形態において、「Ａに対応するＢ」とは、ＢがＡと関連していることを示していること、および、ＢはＡに基づいて判断されてもよいことが理解されるべきである。しかしながら、Ａに基づいてＢを判断することは、ＢがＡのみに基づいて判断されることを意味するものではなく、すなわち、Ｂはまた、Ａ及び／又は他の情報に基づいて判断されてもよいことが更に理解されるべきである。
【０４９２】
本願において出現する「第１」、「第２」等の用語は、単に、異なる対象の間を区別することを意図されているだけであって、「第１」および「第２」は、「第１」および「第２」によって修正される、実際のシーケンスまたは対象の機能を限定するものではない。本願における「例」、「例えば」、「のような」、「任意選択の設計」、および、「設計」のような表現は、単に、例、インスタンス、または説明を表わすのに用いられるだけである。本願において、「例」、「例えば」、「のような」、「任意選択の設計」、または、「設計」として説明される任意の実施形態または設計スキームは、別の実施形態または設計スキームよりも、より好ましい又はより有利なものとして解釈されるべきではない。具体的には、これらの言葉を用いることは、特定の態様における関連する概念を提示することを意図されている。
【０４９３】
本願における「アップリンク」および「ダウンリンク」との用語は、特定のシナリオにおけるデータ／情報伝送方向を説明するために用いられる。例えば、「アップリンク」方向は通常、データ／情報が端末デバイスからネットワーク側に伝送される方向であり、または、データ／情報が分散型ユニットから集中型ユニットに伝送される方向であり、「ダウンリンク」方向は通常、データ／情報がネットワーク側から端末デバイスに伝送される方向であり、または、データ／情報が集中型ユニットから分散型ユニットに伝送される方向である。「アップリンク」および「ダウンリンク」は、データ／情報の伝送方向を説明するのに用いられるだけであることが理解され得る。データ／情報伝送がそこから開始する特定のデバイスも、データ／情報伝送がそこで止まる特定のデバイスもないことに限定されるわけではない。
【０４９４】
特に指定しない限り、本願において、「項目は以下：Ａ、Ｂ、およびＣのうちの少なくとも１つを含む」と同様の表現の意味は通常、項目は以下：Ａ；Ｂ；Ｃ；ＡおよびＢ；ＡおよびＣ；ＢおよびＣ；Ａ、Ｂ、およびＣ；ＡおよびＡ；Ａ、ＡおよびＡ；Ａ、ＡおよびＢ；Ａ、ＡおよびＣ；Ａ、ＢおよびＢ；Ａ、ＣおよびＣ；ＢおよびＢ；Ｂ、ＢおよびＢ；Ｂ、ＢおよびＣ；ＣおよびＣ；Ｃ、ＣおよびＣ；Ａ、Ｂ、およびＣの他の組み合わせ、のうちのいずれか１つであってもよいことを意味する。前述のものは、例として３つの要素Ａ、Ｂ、およびＣを用いて、項目の任意選択のエントリを説明している。表現が、「項目は、以下：Ａ、Ｂ、…、および、Ｘ、のうちの少なくとも１つを含む」である場合、換言すると、表現により多くの要素が含まれる場合、項目が適用可能となるエントリはまた、前述のルールに従って取得されてもよい。
【０４９５】
名称は、様々なメッセージ／情報／デバイス／ネットワーク要素／システム／装置／アクション／操作／手順／概念のような、本願に関与し得る様々な対象に割り当てられてもよい。これらの特定の名称は、関連する対象に対する限定を構成しないこと、および、割り当てられる名称は、シナリオ、コンテキストまたは用いられる習慣のような要素で変わり得ることが理解され得る。本願における技術的用語の技術的な意味は、主に、技術的用語に関する、且つ、技術的解決手段において反映／実行される、機能および技術的効果に基づいて、理解され且つ判断されるべきである。
【０４９６】
本願の実施形態において、ＣＵおよびＤＵのアーキテクチャは、５Ｇ  ＮＲ  ｇＮＢに限定されるものではなく、ＬＴＥ  ｅＮＢがＣＵおよびＤＵへと分割されるシナリオに、更に適用されてもよい。ＣＵは、ＣＰおよびＵＰといった２つのパートへと更に分割されてもよい。任意選択で、基地局がＬＴＥ  ｅＮＢである場合、プロトコル層はＳＤＡＰ層を含まない。
【０４９７】
明細書において言及される「１つの実施形態」または「実施形態」とは、当該実施形態に関連する特定の特徴、構造または特性が、本願の少なくとも１つの実施形態に含まれることを意味していることが理解されるべきである。したがって、明細書全体を通じて出現する「１つの実施形態において」または「実施形態において」とは、必ずしも同じ実施形態でなくてもよい。追加して、これらの特定の特徴、構造または特性は、任意の適切な態様で、１つ又は複数の実施形態に組み合わされてもよい。本願の様々な実施形態において、前述の処理の連続番号は実行シーケンスを意味するものではないことが理解されるべきである。処理の実行シーケンスは、処理の機能および内部論理に基づいて判断されるべきであり、本願の実施形態の実装処理に対する何らかの限定として解釈されるべきではない。
【０４９８】
追加して、「システム」および「ネットワーク」との用語は、本明細書において、同じ意味で用いられてもよい。本明細書における「及び／又は」との用語は、複数の関連する対象を説明するための対応関係のみを説明しており、３つの関係が存在してもよいことを表わしている。例えば、Ａ及び／又はＢは、以下の３つの場合：Ａのみが存在する、ＡおよびＢの両方が存在する、Ｂのみが存在する、ことを表わしてもよい。追加して、本明細書における「／」との記号は概して、複数の関連する対象の間における、「又は」の関係を示している。
【０４９９】
本願の実施形態において、「Ａに対応するＢ」とは、ＢがＡと関連していることを示していること、および、ＢはＡに基づいて判断されてもよいことが理解されるべきである。しかしながら、Ａに基づいてＢを判断することは、ＢがＡのみに基づいて判断されることを意味するものではなく、すなわち、Ｂはまた、Ａ及び／又は他の情報に基づいて判断されてもよいことが更に理解されるべきである。
【０５００】
本願の実施形態で説明されるネットワークアーキテクチャおよびサービスシナリオは、読者に、本願の実施形態における技術的解決手段をより明確に理解させることを意図されており、本願の実施形態で提供される技術的解決手段に対する限定を構成しない。当業者であれば、ネットワークアーキテクチャの進化および新しいサービスシナリオの出現と共に、本願の実施形態で提供される技術的解決手段もまた、同様の技術的課題に適用可能であることを認識し得る。
【０５０１】
前述の実施形態の全て又はいくつかは、ソフトウェア、ハードウェア、ファームウェアまたはそれらの任意の組み合わせによって実装されてもよい。実施形態を実装するのにソフトウェアが用いられる場合、実施形態は、コンピュータプログラム製品の形態で完全に又は部分的に実装されてもよい。コンピュータプログラム製品は、１つ又は複数のコンピュータ命令を含んでもよい。コンピュータで当該コンピュータプログラム命令がロードされて実行される場合、本願の実施形態による手順または機能は、全て又は部分的に生成される。コンピュータは、汎用コンピュータ、専用コンピュータ、コンピュータネットワーク、または、他のプログラマブル装置であってもよい。コンピュータ命令は、コンピュータ可読記憶媒体に格納されてもよく、または、コンピュータ可読記憶媒体から別のコンピュータ可読記憶媒体に伝送されてもよい。例えば、コンピュータ命令は、ウェブサイト、コンピュータ、サーバ、または、データセンタから、別のウェブサイト、コンピュータ、サーバまたはデータセンタへ、有線（例えば、同軸ケーブル、光ファイバ、又はデジタル加入者線（ＤＳＬ））方式、又は無線（例えば、赤外線、電波、又はマイクロ波等）方式で伝送されてよい。コンピュータ可読記憶媒体は、コンピュータによってアクセス可能な任意の使用可能な媒体、または、１つ又は複数の使用可能な媒体を統合する、サーバまたはデータセンタなどのデータ記憶デバイスであってよい。使用可能な媒体は、磁気媒体（例えば、フロッピ（登録商標）ディスク、ハードディスク、又は磁気テープ）、光媒体（例えば、ＤＶＤ）、半導体媒体（例えば、ソリッドステートドライブ（Ｓｏｌｉｄ  Ｓｔａｔｅ  Ｄｉｓｋ、ＳＳＤ））等であってよい。
【０５０２】
当業者であれば、本明細書において開示された実施形態で説明された例と組み合わせて、ユニットおよびアルゴリズムステップが、電子ハードウェアにより、または、コンピュータソフトウェアおよび電子ハードウェアの組み合わせにより、実装され得ることを認識し得る。これらの機能がハードウェアおよびソフトウェアのどちらで実行されるかは、技術的解決手段の特定の用途および設計制約で決まる。当業者であれば、異なる方法を用いて、説明した機能を特定の用途ごとに実装し得るが、こうした実装が本願の範囲を超えるものとみなされるべきではない。
【０５０３】
当業者であれば、簡便且つ簡潔な説明のために、前述のシステム、装置およびユニットの詳細な作動プロセスについて、前述の方法の実施形態における対応する処理を参照し、詳細は本明細書において再度説明しないことが明確に理解され得る。
【０５０４】
本願で提供されるいくつかの実施形態において、開示されるシステム、装置および方法は、他の態様で実装されてもよいことが理解されるべきである。例えば、説明される装置の実施形態は、単に例に過ぎない。例えば、ユニット分割は、単に論理機能の分割に過ぎず、実際の実装では他の分割であってもよい。例えば、複数のユニットまたはコンポーネントは、別のシステムへと組み合わされてもよく又は統合されてもよく、若しくは、いくつかの特徴は無視されてもよく又は実行されなくてもよい。追加して、表示又は説明される相互連結又は直接連結又は通信接続は、いくつかのインタフェースを用いることによって実装されてもよい。複数の装置の間又は複数のユニットの間における間接連結又は通信接続は、電子的な形態、機械的な形態、または他の形態で実装されてもよい。
【０５０５】
別個の部分として説明されるユニットは、物理的に別個であっても別個でなくてもよく、ユニットとして表示される部分は、物理ユニットであってもなくてもよく、１つの位置に配置されてもよく、又は、複数のネットワークユニット上に分散されていてもよい。ユニットのいくつか又は全ては、実施形態の解決策の目的を実現するべく、実際の要件に基づいて選択されてもよい。
【０５０６】
追加して、本願の実施形態における複数の機能ユニットは、１つの処理ユニットへと統合されてもよく、又は複数のユニットの各々は物理的に単独で存在してもよく、または、２つ以上のユニットは１つのユニットへ統合されてもよい。
【０５０７】
これらの機能がソフトウェア機能ユニットの形態で実装されて、且つ、独立の製品として販売又は用いられる場合、これらの機能はコンピュータ可読記憶媒体に格納されてもよい。そのような理解に基づいて、本願の技術的解決手段は基本的に、または先行技術に対して貢献している一部は、または技術的解決手段のいくつかは、ソフトウェア製品の形態で実装されてもよい。ソフトウェア製品は、記憶媒体に格納され、コンピュータデバイス（パーソナルコンピュータ、サーバまたはネットワークデバイスであってもよい）に対して、本願の実施形態で説明される方法のステップの全て又はいくつかを実行させるよう命令するための、いくつかの命令を有する。前述の記憶媒体は、ＵＳＢフラッシュドライブ、リムーバブルハードディスク、リードオンリメモリ、ランダムアクセスメモリ、磁気ディスクまたは光ディスクのような、プログラムコードを格納できる任意の媒体を含む。
【０５０８】
前述の説明は、単に本願の特定の実装例に過ぎないが、本願の保護範囲を限定することを意図されていない。当業者によって、本願で開示される技術的範囲内で容易に考案される任意の変形又は置き換えは、本願の保護範囲内に属するものとする。したがって、本願の保護範囲は、特許請求の範囲の保護範囲の対象になるものとする。
【図１】
2021513810.tif 000010
【図２】
2021513810.tif 000011
【図３】
2021513810.tif 000012
【図４】
2021513810.tif 000013
【図５】
2021513810.tif 000014
【図６】
2021513810.tif 000015
【図７】
2021513810.tif 000016
【図８】
2021513810.tif 000017
【図９】
2021513810.tif 000018
【図１０】
2021513810.tif 000019
【図１１】
2021513810.tif 000020
【図１２】
2021513810.tif 000021
【図１３】
2021513810.tif 000022
【図１４】
2021513810.tif 000023
【図１５】
2021513810.tif 000024
【図１６】
2021513810.tif 000025
【図１７】
2021513810.tif 000026
【図１８】
2021513810.tif 000027
【図１９】
2021513810.tif 000028
【図２０】
2021513810.tif 000029
【図２１】
2021513810.tif 000030
【図２２】
2021513810.tif 000031
【図２３】
2021513810.tif 000032
【図２４】
2021513810.tif 000033
【図２５】
2021513810.tif 000034
【図２６】
2021513810.tif 000035
【図２７】
2021513810.tif 000036
【図２８】
2021513810.tif 000037
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
伝送方法であって、
制御プレーンノードが、ユーザプレーンノードから第１のメッセージを受信する段階と、
前記制御プレーンノードが、第２のメッセージを第２のネットワークノードに送信する段階と、
前記制御プレーンノードが、第３のメッセージを第３のネットワークノードに送信する段階と
を備え、
前記第１のメッセージは、第１のインタフェースのアップリンクトンネルエンドポイント、第２のインタフェースのアップリンクトンネルエンドポイント、および、第３のインタフェースのダウンリンクトンネルエンドポイントを含み、前記第１のインタフェースは、前記ユーザプレーンノードと前記第２のネットワークノードとの間のインタフェースであり、前記第２のインタフェースは、前記ユーザプレーンノードと前記第３のネットワークノードとの間のインタフェースであり、前記第３のインタフェースは、前記ユーザプレーンノードとコアネットワークノードとの間のインタフェースであり、
前記第２のメッセージは、前記第１のインタフェースの前記アップリンクトンネルエンドポイントを含み、
前記第３のメッセージは、前記第２のインタフェースの前記アップリンクトンネルエンドポイントおよび前記第３のインタフェースの前記ダウンリンクトンネルエンドポイントを含む、
伝送方法。
【請求項２】
前記制御プレーンノードが第１の表示情報を前記ユーザプレーンノードに送信する段階を更に備え、
前記第１の表示情報は、前記制御プレーンノードによって要求されたベアラタイプがセカンダリセル分割ベアラであることを示すのに用いられ、若しくは、
前記第１の表示情報は、前記ユーザプレーンノードが、前記第１のインタフェースの前記アップリンクトンネルエンドポイント、前記第２のインタフェースの前記アップリンクトンネルエンドポイント、および、前記第３のインタフェースの前記ダウンリンクトンネルエンドポイントを割り当てることをトリガするのに用いられ、若しくは、
前記第１の表示情報は、前記第１のインタフェースのダウンリンクトンネルエンドポイント、前記第２のインタフェースのダウンリンクトンネルエンドポイント、または、前記第３のインタフェースのアップリンクトンネルエンドポイントのうちの少なくとも１つを含み、若しくは、
前記第１の表示情報は、前記ユーザプレーンノードがパケットデータ収束プロトコル層の機能を有することを必要とされること、前記ユーザプレーンノードがマスタセルリソース構成を有することを必要とされること、または、前記ユーザプレーンノードがセカンダリセルリソース構成を有することを必要とされること、のうちの少なくとも１つを示すのに用いられる、
請求項１に記載の伝送方法。
【請求項３】
前記制御プレーンノードが、前記第２のネットワークノードから第４のメッセージを受信する段階と、
前記制御プレーンノードが、第５のメッセージを前記ユーザプレーンノードに送信する段階と
を更に備え、
前記第４のメッセージは、前記第１のインタフェースのダウンリンクトンネルエンドポイントを含み、
前記第５のメッセージは、前記第１のインタフェースの前記ダウンリンクトンネルエンドポイント、前記第２のインタフェースのダウンリンクトンネルエンドポイント、または、前記第３のインタフェースのアップリンクトンネルエンドポイントのうちの少なくとも１つを含む、
請求項１または２に記載の伝送方法。
【請求項４】
前記制御プレーンノードが、データ転送命令を前記ユーザプレーンノードに送信する段階を更に備え、
前記データ転送命令は、前記ユーザプレーンノードに対して、データ転送のためにアップリンクデータ転送アドレスおよびダウンリンクデータ転送アドレスを割り当てるよう命令するのに用いられる、
請求項１から３の何れか一項に記載の伝送方法。
【請求項５】
前記制御プレーンノードが、前記ユーザプレーンノードから前記アップリンクデータ転送アドレスおよび前記ダウンリンクデータ転送アドレスを受信する段階を更に備える、請求項４に記載の伝送方法。
【請求項６】
前記制御プレーンノードが、データ転送のためにアップリンクデータ転送アドレスおよびダウンリンクデータ転送アドレスを割り当て、且つ、前記アップリンクデータ転送アドレスおよび前記ダウンリンクデータ転送アドレスを前記ユーザプレーンノードに送信する段階を更に備える、請求項１から３の何れか一項に記載の伝送方法。
【請求項７】
前記アップリンクデータ転送アドレスおよび前記ダウンリンクデータ転送アドレスは特定のベアラのためであり、または、前記アップリンクデータ転送アドレスおよび前記ダウンリンクデータ転送アドレスは特定のＱｏＳフローのためである、請求項４から６の何れか一項に記載の伝送方法。
【請求項８】
前記制御プレーンノードは、無線リソース制御プロトコル層の機能、サービスデータアダプテーションプロトコル層の機能、または、パケットデータ収束プロトコル層の機能のうちの少なくとも１つを含み、及び／又は、
前記第２のネットワークノードは、無線リンク制御プロトコル層の機能、媒体アクセス制御層の機能、または、物理層の機能のうちの少なくとも１つを含む、
請求項１から７の何れか一項に記載の伝送方法。
【請求項９】
伝送方法であって、
ユーザプレーンノードが、第１のインタフェースのアップリンクトンネルエンドポイント、第２のインタフェースのアップリンクトンネルエンドポイント、および、第３のインタフェースのダウンリンクトンネルエンドポイントを判断する段階と、
前記ユーザプレーンノードが、第１のメッセージを制御プレーンノードに送信する段階と
を備え、
前記第１のインタフェースは、前記ユーザプレーンノードと第２のネットワークノードとの間のインタフェースであり、前記第２のインタフェースは、前記ユーザプレーンノードと第３のネットワークノードとの間のインタフェースであり、前記第３のインタフェースは、前記ユーザプレーンノードとコアネットワークノードとの間のインタフェースであり、
前記第１のメッセージは、前記第１のインタフェースの前記アップリンクトンネルエンドポイント、前記第２のインタフェースの前記アップリンクトンネルエンドポイント、および、前記第３のインタフェースの前記ダウンリンクトンネルエンドポイントを含む、
伝送方法。
【請求項１０】
前記ユーザプレーンノードが前記制御プレーンノードから第１の表示情報を受信する段階を更に備え、
前記第１の表示情報は、前記制御プレーンノードによって要求されたベアラタイプがセカンダリセル分割ベアラであることを示すのに用いられ、若しくは、
前記第１の表示情報は、前記ユーザプレーンノードが、前記第１のインタフェースの前記アップリンクトンネルエンドポイント、前記第２のインタフェースの前記アップリンクトンネルエンドポイント、および、前記第３のインタフェースの前記ダウンリンクトンネルエンドポイントを割り当てることをトリガするのに用いられ、若しくは、
前記第１の表示情報は、前記第１のインタフェースのダウンリンクトンネルエンドポイント、前記第２のインタフェースのダウンリンクトンネルエンドポイント、または、前記第３のインタフェースのアップリンクトンネルエンドポイントのうちの少なくとも１つを含み、若しくは、
前記第１の表示情報は、前記ユーザプレーンノードがパケットデータ収束プロトコル層の機能を有することを必要とされること、前記ユーザプレーンノードがマスタセルリソース構成を有することを必要とされること、または、前記ユーザプレーンノードがセカンダリセルリソース構成を有することを必要とされること、のうちの少なくとも１つを示すのに用いられる、
請求項９に記載の伝送方法。
【請求項１１】
前記ユーザプレーンノードが、前記制御プレーンノードから第５のメッセージを受信する段階を更に備え、
前記第５のメッセージは、前記第１のインタフェースのダウンリンクトンネルエンドポイント、前記第２のインタフェースのダウンリンクトンネルエンドポイント、または、前記第３のインタフェースのアップリンクトンネルエンドポイントのうちの少なくとも１つを含む、
請求項９または１０に記載の伝送方法。
【請求項１２】
前記ユーザプレーンノードが、前記制御プレーンノードからデータ転送命令を受信する段階を更に備え、
前記データ転送命令は、前記ユーザプレーンノードに対して、データ転送のために、アップリンクデータ転送アドレスおよびダウンリンクデータ転送アドレスを割り当てるよう命令するのに用いられる、
請求項９から１１の何れか一項に記載の伝送方法。
【請求項１３】
前記ユーザプレーンノードが、前記アップリンクデータ転送アドレスおよび前記ダウンリンクデータ転送アドレスを前記制御プレーンノードに送信する段階を更に備える、請求項１２に記載の伝送方法。
【請求項１４】
ユーザプレーンノードが、制御プレーンノードからアップリンクデータ転送アドレスおよびダウンリンクデータ転送アドレスを受信する段階を更に備える、請求項９から１１の何れか一項に記載の伝送方法。
【請求項１５】
前記アップリンクデータ転送アドレスおよび前記ダウンリンクデータ転送アドレスは特定のベアラのためであり、または、前記アップリンクデータ転送アドレスおよび前記ダウンリンクデータ転送アドレスは特定のＱｏＳフローのためである、請求項１２から１４の何れか一項に記載の伝送方法。
【請求項１６】
前記ユーザプレーンノードは、無線リソース制御プロトコル層の機能、サービスデータアダプテーションプロトコル層の機能、または、パケットデータ収束プロトコル層の機能のうちの少なくとも１つを含み、及び／又は、
前記第２のネットワークノードは、無線リンク制御プロトコル層の機能、媒体アクセス制御層の機能、または、物理層の機能のうちの少なくとも１つを含む、
請求項９から１５の何れか一項に記載の伝送方法。
【請求項１７】
伝送方法であって、
第３のネットワークノードが、制御プレーンノードから第３のメッセージを受信する段階を備え、
前記第３のメッセージは、第２のインタフェースのアップリンクトンネルエンドポイントおよび第３のインタフェースのダウンリンクトンネルエンドポイントを含み、前記第２のインタフェースは、ユーザプレーンノードと前記第３のネットワークノードとの間のインタフェースであり、前記第３のインタフェースは、前記ユーザプレーンノードとコアネットワークノードとの間のインタフェースであり、
前記制御プレーンノードは、無線リソース制御プロトコル層の機能、サービスデータアダプテーションプロトコル層の機能、または、パケットデータ収束プロトコル層の機能のうちの少なくとも１つを有する、
伝送方法。
【請求項１８】
前記第３のネットワークノードが、第６のメッセージを前記制御プレーンノードに送信する段階を更に備え、
前記第６のメッセージは、前記第２のインタフェースのダウンリンクトンネルエンドポイントおよび前記第３のインタフェースのアップリンクトンネルエンドポイントを含む、
請求項１７に記載の伝送方法。
【請求項１９】
伝送方法であって、
第１のネットワークノードが、第２のネットワークノードから第７のメッセージを受信する段階と、
前記第１のネットワークノードが、第８のメッセージを第３のネットワークノードに送信する段階と
を備え、
前記第７のメッセージは、前記第２のネットワークノードによって伝送されるデータトラフィック情報を有し、
前記第８のメッセージは前記データトラフィック情報を有し、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２０】
前記第１のネットワークノードが、第２の表示情報を前記第２のネットワークノードに送信する段階を更に備え、
前記第２の表示情報は、前記第２のネットワークノードが、前記第２のネットワークノードによって伝送されるデータトラフィック情報を報告することをトリガするのに用いられる、
請求項１９に記載の伝送方法。
【請求項２１】
前記第２のネットワークノードによって伝送される前記データトラフィック情報は、前記第２のネットワークノードによって伝送されるアップリンクデータトラフィック、前記第２のネットワークノードによって伝送されるダウンリンクデータトラフィック、並びに、前記第２のネットワークノードによって伝送されるデータトラフィックについての統計を収集する統計収集の開始時間および終了時間のうちの少なくとも１つを含む、
請求項１９または２０に記載の伝送方法。
【請求項２２】
第２のネットワークノードが、第７のメッセージを第１のネットワークノードに送信する段階を備え、
前記第７のメッセージは、前記第２のネットワークノードによって伝送されるデータトラフィック情報を有し、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２３】
前記第２のネットワークノードが、前記第１のネットワークノードによって送信される第２の表示情報を受信する段階を更に備え、
前記第２の表示情報は、前記第２のネットワークノードが、前記第２のネットワークノードによって伝送される前記データトラフィック情報を報告することをトリガするのに用いられ、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
請求項２２に記載の伝送方法。
【請求項２４】
前記第２のネットワークノードによって伝送される前記データトラフィック情報は、前記第２のネットワークノードによって伝送されるアップリンクデータトラフィック、前記第２のネットワークノードによって伝送されるダウンリンクデータトラフィック、または、前記第２のネットワークノードによって伝送されるデータトラフィックについての統計を収集する統計収集の開始時間および終了時間のうちの少なくとも１つを含む、
請求項２２または２３に記載の伝送方法。
【請求項２５】
伝送方法であって、
第１のネットワークノードが、第９のメッセージを第２のネットワークノードに送信する段階を備え、
前記第９のメッセージは、第１の電力構成パラメータを有し、前記第１の電力構成パラメータは、マスタセルグループで端末デバイスが用いることができる最大伝送電力であり、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２６】
第１のネットワークノードが、第１０のメッセージを受信する段階を更に備え、
前記第１０のメッセージは、第２の電力構成パラメータを有し、前記第２の電力構成パラメータは、前記マスタセルグループで前記端末デバイスが用いることができる前記最大伝送電力である、または、前記第２の電力構成パラメータは、セカンダリセルグループで前記端末デバイスが用いることができる最大伝送電力である、
請求項２５に記載の伝送方法。
【請求項２７】
伝送方法であって、
第１のネットワークノードが、電力更新情報を第２のネットワークノードに送信する段階を備え、
前記電力更新情報は、前記第１のネットワークノードによって更新される第３の電力構成パラメータを有し、前記第３の電力構成パラメータは、セカンダリセルグループで端末デバイスが用いることができる最大伝送電力であり、
前記第１のネットワークノードのプロトコル層の機能は、無線リンク制御プロトコル層の機能、媒体アクセス制御層の機能、または、物理層の機能のうちの少なくとも１つであり、及び／又は、
前記第２のネットワークノードのプロトコル層の機能は、無線リソース制御プロトコル層の機能、サービスデータアダプテーションプロトコル層の機能、または、パケットデータ収束プロトコル層の機能のうちの少なくとも１つである、
伝送方法。
【請求項２８】
伝送方法であって、
第１のネットワークノードが、第２のネットワークノードのセルグループ識別子を前記第２のネットワークノードに割り当てる段階と、
前記第１のネットワークノードが、第１１のメッセージを前記第２のネットワークノードに送信する段階と
を備え、
前記第１１のメッセージは、前記第２のネットワークノードの前記セルグループ識別子を有し、
前記第１のネットワークノードのプロトコル層の機能は、無線リソース制御プロトコル層の機能、サービスデータアダプテーションプロトコル層の機能、または、パケットデータ収束プロトコル層の機能のうちの少なくとも１つであり、及び／又は、
前記第２のネットワークノードのプロトコル層の機能は、無線リンク制御プロトコル層の機能、媒体アクセス制御層の機能、または、物理層の機能のうちの少なくとも１つである、
伝送方法。
【請求項２９】
通信デバイスであって、
少なくとも１つのプロセッサと、メモリとを備え、
前記メモリは、プログラム命令を有し、
前記プロセッサは、前記プログラム命令を実行し、これにより、前記通信デバイスは、請求項１から２８の何れか一項に記載の伝送方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能を実装する、
通信デバイス。
【請求項３０】
通信デバイスであって、
請求項１から２８の何れか一項に記載の伝送方法における任意の操作を実行するモジュールを備え、
前記第１のネットワークノード、前記第２のネットワークノード、前記第３のネットワークノード、前記ユーザプレーンノード、および、前記制御プレーンノードのうちのいずれか１つである、
通信デバイス。
【請求項３１】
通信デバイスであって、
請求項１から２８の何れか一項に記載の伝送方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能を実行するように構成される、
通信デバイス。
【請求項３２】
コンピュータプログラムであって、
コンピュータによって直接的に又は間接的に実行された場合に、請求項１から２８の何れか一項に記載の伝送方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能を実装する、
コンピュータプログラム。
【請求項３３】
チップシステムであって、
少なくとも１つのプロセッサを備え、
前記少なくとも１つのプロセッサでプログラム命令が実行された場合に、請求項１から２８の何れか一項に記載の伝送方法におけるデバイス、すなわち、前記第１のネットワークノード、前記第２のネットワークノード、前記第３のネットワークノード、前記ユーザプレーンノード、および、前記制御プレーンノードのうちのいずれか１つ、の機能が実装される、
チップシステム。
【請求項３４】
通信システムであって、
請求項２９から３１の何れか一項に記載の通信デバイス、
請求項３２に記載のコンピュータプログラムを記憶するコンピュータプログラム記憶媒体、および、
請求項３３に記載のチップシステム、
のうちの１つ又は複数を備える、通信システム。
【手続補正３】
【補正対象書類名】図面
【補正対象項目名】図２
【補正方法】変更
【補正の内容】
【図２】
2021513810.tif 000038
【手続補正４】
【補正対象書類名】図面
【補正対象項目名】図１６
【補正方法】変更
【補正の内容】
【図１６】
2021513810.tif 000039
【国際調査報告】
2021513810.tif 000040
2021513810.tif 000041
2021513810.tif 000042
2021513810.tif 000043